(57)【要約】  無線機器（Ｄｅｖ）が利用され、車の電子制御モジュール、または自宅（または事業所）警報／セキュリティシステムの中に統合されることを可能にする無線ネットワークをプログラムし、制御し、監視するためのシステム。本システムはまた、汎用入出力機能を制御する汎用制御（ロボット）機器を提示し、この場合、複数の携帯電話端末機、インターネット機器が、携帯電話、インターネットネットワーク、および他の有線／無線ネットワークを通して情報を共同制御し、監視し、共有し、交換することができる。【選択図】図１【特許請求の範囲】
【請求項１】
所有者に関連付けられた移動体機器に関連して、有用な新しい電気器具を識別し、登録するためのコンピュータ化された方法であって：
前記移動体機器から固有の活動化ユーザ識別子、およびパスワードを前記新しい電気器具で受け取るステップ；
前記移動体機器から固有の移動体機器識別子を前記新しい電気器具で受け取るステップ；
前記新しい電気器具により固有のセキュリティキーを前記移動体機器に伝送するステップ；
前記移動体機器から固有のサービス識別子を前記新しい電気器具で受け取るステップ；
前記新しい電気器具で携帯電話ネットワークを介して携帯電話サービスプロバイダに前記固有のサービス識別子を伝送するステップ；
前記携帯電話サービスプロバイダから前記携帯電話ネットワークを介して前記新しい電気器具で活動化肯定応答を受け取るステップ；および
前記新しい電気器具により前記携帯電話ネットワークを介して前記移動体機器に、更新された固有のセキュリティキーを伝送するステップ
を備える方法。
【請求項２】
無線による活動化（ＯＴＡ）、端末機支援活動化（ＨＡＡ）、端末機模倣活動化（ＨＩＡ）、および手作業での活動化（ＭＡＮ）のうち少なくとも１つに基づき、前記移動体機器で前記活動化コードを受け取ることにより前記新しい電気器具を活動化するステップをさらに備える、請求項１に記載の方法。
【請求項３】
前記移動体機器に関連付けられた前記固有のセキュリティキーを識別し、更新するステップ；および
前記識別された移動体機器との通信を限定するステップ
をさらに備える、請求項１に記載の方法。
【請求項４】
識別できない固有のセキュリティキーを識別するステップ；および
１つまたは複数の登録済み移動体機器に警告を発するステップ
をさらに備える、請求項１に記載の方法。
【請求項５】
コマンドを受け取り、前記移動体機器に関連付けられた期限切れの固有のセキュリティキーを識別するステップ；および
１つまたは複数の移動体機器に警告を発するステップ
をさらに備える、請求項１に記載の方法。
【請求項６】
新しい（認識されていない）移動体機器に登録するように要求するステップ；および
前記移動体機器に新しい固有のセキュリティキーを伝送するステップ
をさらに備える、請求項４に記載の方法。
【請求項７】
前記新しい電気器具に関連付けられた少なくとも１つのセンサから警告を受け取るステップ；
１つまたは複数の登録済み移動体機器に前記警告を伝送するステップ
をさらに備え、
前記少なくとも１つのセンサが、過積載重量制限センサ、呼気検出センサ、逆方向運転センサ、軌道の定まらない運転センサ、エンジン・アイドリング・センサ、および衝突運転センサのうち少なくとも１つを含む、
請求項３に記載の方法。
【請求項８】
前記新しい電気器具に関連付けられた少なくとも１つのセンサから警告を受け取るステップ；および
前記警告およびコマンドを、前記コマンドに関連付けられた前記固有のセキュリティキーと共に緊急サービス事務所（９１１）に伝送するステップ
をさらに備え、
前記少なくとも１つのセンサが、パニックセンサ、逆方向運転センサ、または軌道の定まらない運転センサのうち少なくとも１つを含む、
請求項３に記載の方法。
【請求項９】
１つの登録済み移動体機器からコマンドに関連付けられたコマンド固有のセキュリティキーを受け取るステップ
をさらに備え、
前記コマンドが第三者制御および監視コマンドである、
請求項３に記載の方法。
【請求項１０】
少なくとも１つの未登録の移動体機器からコマンドを受け取るステップであって、
前記コマンドが前記コマンドに関連付けられた固有のセキュリティキーを含むステップ；および
制限時間以内に前記コマンドを実行するステップ
をさらに備える、請求項８に記載の方法。
【請求項１１】
前記電気器具に関連付けられた少なくとも１つのセンサからコマンドを受け取るステップであって、
前記少なくとも１つのセンサが、コンソール表示装置ソフトキーボードまたはコンソール表示装置ハードキーパッドのうち少なくとも１つを含むステップ；および
前記コマンドを前記第２の電気器具に伝送するステップであって
前記少なくとも１つのコマンドが、車両減速コマンド、車両カメラ視聴コマンド、車両停止コマンド、車両スピーカコマンド、車両クラクション鳴動コマンド、または車両非常灯点滅コマンドのうち少なくとも１つを含むステップ、
をさらに備える、請求項８に記載の方法。
【請求項１２】
登録済み移動体機器から前記新しい電気器具に関連付けられた前記少なくとも１つのセンサを監視する、または読み取るコマンドを受け取るステップ
をさらに備え、
前記コマンドが運転挙動コマンドであり、
前記少なくとも１つのセンサが、シート・ベルト・センサ、ならびに赤信号入力、一時停止標識入力、および過速度入力のうち少なくとも１つを含む、
請求項３に記載の方法。
【請求項１３】
前記新しい電気器具に関連付けられた前記少なくとも１つのセンサから警告を受け取り、記憶するステップ、
前記警告を含む複数の警告を期間の終わりに、前記登録済み移動体機器に伝送するステップ
をさらに備え、
前記警告が、シート・ベルト・センサ、ならびに交通信号コントローラからの赤信号入力、一時停止標識コントローラからの一時停止標識入力、速度計およびスピード防止帯コントローラからの過速度入力のうち少なくとも１つを含む、
請求項１２に記載の方法。
【請求項１４】
前記登録済み移動体機器からデータを受け取るステップ；および
家庭用電気器具、または前記電気器具に関連付けられた家に関連する装置に前記データを伝送するステップ
をさらに備え、
前記家庭用電気器具または前記家に関連する装置がプライベートクラウド記憶装置またはＰＣを含む、
請求項１３に記載の方法。
【請求項１５】
前記新しい電気器具に関連付けられた１つのセンサに関連付けられたコマンド、およびウェブアドレスを前記登録済み移動体機器から受け取るステップ；および
前記ウェブアドレスに前記警告を伝送するステップ
をさらに備え、
前記少なくとも１つのセンサが、ＧＰＳ入力、速度計入力、およびＲＴＣ入力のうち少なくとも１つを含む、
請求項３に記載の方法。
【請求項１６】
前記新しい電気器具に関連付けられた複数の家庭用機器または家に関連する装置のうち少なくとも１つへの接続リクエストを１つの未登録の移動体機器から受け取るステップ；および
前記登録済み移動体機器に前記警告を伝送するステップ
をさらに備える、請求項３に記載の方法。
【請求項１７】
前記登録済み移動体機器にダミー発ＩＤを伝送するステップ；および
ダミー発ＩＤを第２の電気器具から受け取るステップ
をさらに備える、請求項３に記載の方法。
【請求項１８】
登録済み移動体機器から前記新しい電気器具への電気器具ＩＤコマンドを受け取るステップをさらに備え、前記電気器具ＩＤがＥＳＮ、ＭＥＩＤ、Ｓ／Ｎ、およびＩＭＥＩのうち少なくとも１つである、請求項３に記載の方法。
【請求項１９】
前記新しい電気器具から前記登録済み移動体機器への前記電気器具ＩＤコマンド応答を伝送するステップをさらに備え、前記電気器具ＩＤがＥＳＮ、ＭＥＩＤ、Ｓ／Ｎ、およびＩＭＥＩのうち少なくとも１つである、請求項１８に記載の方法。
【請求項２０】
前記新しい電気器具に関連付けられた前記少なくとも１つのセンサに関連付けられたコマンドを受け取るステップであって、
前記少なくとも１つのセンサが、声による活動化入力、ハードキーパッド入力、ソフトキーボード入力、または表示装置アイコン入力のうち少なくとも１つを含むステップ；および
前記少なくとも１つの車両アクセサリに関連付けられたコマンドを伝送するステップであって、
前記コマンドが、車両ドア・ロック・コマンド、車両ドアロック解除コマンド、車両警報オンコマンド、バッテリ・レベル・コマンド、ブレーキ液レベルコマンド、または点火装置オンコマンドのうち少なくとも１つを含むステップ
をさらに備える、請求項１に記載の方法。
【請求項２１】
少なくとも１つの未登録の移動体機器からコマンドを受け取るステップであって、
前記コマンドが前記コマンドに関連付けられた固有のセキュリティキーを含むステップ；および
制限時間以内に前記コマンドを実行するステップ
をさらに備える、請求項９に記載の方法。
【請求項２２】
前記電気器具に関連付けられた少なくとも１つのセンサからコマンドを受け取るステップであって、
前記少なくとも１つのセンサが、コンソール表示装置ソフトキーボードまたはコンソール表示装置ハードキーパッドのうち少なくとも１つを含むステップ；
前記コマンドを前記第２の電気器具に伝送するステップ
をさらに備え、
前記少なくとも１つのコマンドが、車両減速コマンド、車両カメラ視聴コマンド、車両停止コマンド、車両スピーカコマンド、車両クラクション鳴動コマンド、または車両非常灯点滅コマンドのうち少なくとも１つを含む、
請求項９に記載の方法。
【発明の詳細な説明】
【技術分野】
【０００１】
本発明は、無線通信の分野に関し、詳細には、無線機器または有線機器、すなわちＤｅｖ（たとえば、電気器具）が無線ネットワーク内で、具体的には、携帯電話ネットワーク、無線インターネットネットワーク、および短距離通信（ＳＲＣ）ネットワークで、無線で通信することができる携帯電話通信の分野に関する。ＰＣＭＤ（Ｐｒｏｇｒａｍ  Ｃｏｎｔｒｏｌ  ＆  Ｍｏｎｉｔｏｒ  Ｄｅｖｉｃｅ、プログラム制御・監視機器）またはＤｅｖが（たとえば、電気器具。本発明者は、用語「Ｄｅｖ」を本明細書の残りの部分で本発明を説明するために使用するが、用語「電気器具」は、本明細書の終わりに続く特許請求の範囲で使用される）、端末機（たとえば、１つまたは複数の携帯電話端末機）と通信し、Ｄｅｖはまた、同じくスマートホン、タブレット、タブレットＰＣ、ラップトップＰＣ、ＶｏＩＰ機器、ｉＰａｄ（登録商標）のような機器、ＰＤＡ（Ｐｅｒｓｏｎａｌ  Ｄｉｇｉｔａｌ  Ａｓｓｉｓｔａｎｔ、携帯情報端末）、任意の携帯型電子機器、または携帯機器とすることができる端末機（たとえば、移動体機器）の任意の１つにより指示されることができ、その結果、Ｄｅｖは、Ｄｅｖの環境、関連する装置、または複数の関連する装置を監視し、制御するために使用することができ、許可されていない、または危険な任意のイベントが発生したときに警報を発することができるので、Ｄｅｖの１人または複数の所有者がその状況に対処するために適切な方策を講じることができる。
【背景技術】
【０００２】
Ｄｅｖはまた、ユーザが他の端末機を追加する（登録する）ことができるようにすることができるので、前記端末機の所有者が車両／自宅制御および監視システムに元のユーザと同様にアクセスすることができる。Ｄｅｖはまた、紛失した、盗まれた、またはもはや使用しない端末機をユーザに取り除かせる（登録抹消させる）。
【０００３】
Ｄｅｖはまた、自宅から何１００または何１，０００マイル（キロメートル）も離れたユーザが自宅セキュリティおよび監視システムにアクセスできるように、友人または親戚の端末機をプログラムすることができるようにすることができるので、前記友人または親戚が、プログラム可能な期間、ユーザの自宅に滞在することができる。
【０００４】
Ｄｅｖはまた、自宅セキュリティおよび監視システムの特定の限定された機能にだけ、たとえば：週の特定の１日または複数日、および特定の時刻の出入りだけにアクセスできるように、家事手伝い職員（すなわち、清掃従業員）の端末機をプログラムすることができるようにすることができる。さらに、そのような出入りの記録をユーザが作成し、記憶し、見ることができる。
【０００５】
Ｄｅｖはまた、だれかがユーザの端末機をＤｅｖのユーザの制御および管理システムに登録しようとするときに警告を発することができるので、そのような試みにユーザが気づくことができ、そのような試みが行われるのを許可するか、または許可しないか選択できる。
【０００６】
Ｄｅｖはまた、ユーザの端末機を介して、他の紛失した登録済み端末機のＧＰＳ位置をユーザに特定させることができる。
【０００７】
Ｄｅｖはまた、Ｄｅｖが新しいネットワークの中で容易に活動化され、登録されることができるかなり簡単な仕組みを提供することにより、ユーザが他の携帯電話サービスプロバイダを自由に選択することができるようにすることができる。
【０００８】
Ｄｅｖはまた、ユーザが遠隔でＧＰＳにデータを入力し、ＧＰＳからデータを取り出し、前記ＧＰＳを通して車両の現在位置を問い合わせることができるようにすることができる。
【０００９】
Ｄｅｖはまた、運転者が通行料徴収機（すなわち、橋、幹線道路）に代金を電子的に支払うことができるようにすることができ、取引口座が後で見るためにメモリに記憶される。
【００１０】
Ｄｅｖはまた、ユーザが他の運転者の運転癖を、たとえば、運転速度を遠隔で記録し、見ることができるようすることができ、任意選択で、そのような最高速度制限が発生したとき、すなわち、場所、日時、および期間について、ユーザに警告を発する。Ｄｅｖはまた、レンタカー会社、タクシー、トラック会社などが後で見るために、会社の記憶サーバの中に各車両の運転記録を送信させ、記憶させることができるようにする。
【００１１】
Ｄｅｖはまた、ユーザの車両が許可されて移動する、または入るときに、車の所有者に警告を発することができる。Ｄｅｖは、そのイベントが発生した位置および時刻を所有者に知らせる。
【００１２】
Ｄｅｖはまた、外の気温が非常に暖かくまたは非常に寒く感じられるときに、非常に危険ではあるが、駐車した運転者の車両内部に子供またはペットを残している可能性がある運転者に警告を発することができる。
【００１３】
Ｄｅｖはまた、特に二酸化炭素中毒の可能性が最も高い閉じた環境（ガレージ）の中で長期間自動車のエンジンを誤ってオン（アイドリング）のままでいる可能性がある運転者に警告を発することができる。運転者／所有者から応答が全くない場合、Ｄｅｖは、エンジンおよびそのすべてのアクセサリ（すなわち、ラジオ、ライト、空調など）を自動的にオフにする。
【００１４】
Ｄｅｖはまた、ユーザがユーザの車両およびそのアクセサリをユーザの端末機を通して遠隔でプログラムし、制御し、監視することができるようにすることができる。
【００１５】
Ｄｅｖはまた、事故の場合に、たとえば：車両に突然衝突が発生した、および／または車両のエアバッグが膨張した場合、救急センタに警告を発することができる。Ｄｅｖはまた、ハンズ・フリー・スピーカおよびマイクロホンを介して運転者に緊急電話対応オペレータと通信させる。運転者はまた、運転者の電話機が作動しない、または運転者が所有していない場合、車両の「ダイヤルおよび通話」ボタンを用いて運転者の家族の一員（他の登録済み端末機）と通話することができる。
【００１６】
Ｄｅｖはまた、第三者（警察／消防士／救急隊員）が、前記車両が盗まれた／強奪された、および公共安全を考えずに危険運転されているときに車両を占有することができるようにすることができる。これは、第三者の登録済みの端末機により前記第三者に第三者制御および監視コマンド（ＭＳＫ付き）を伝送し、同時に、前記コマンドが前記第三者に送信されたというＭＳＫ検証キー付きの通知をＤｅｖが前記登録済み端末機から受け取ることにより、またはＤｅｖ自身が前記第三者に前記第三者制御および監視コマンドを伝送することにより、達成することができる。
【００１７】
Ｄｅｖはまた、ユーザがユーザの端末機を通して、Ｄｅｖの制御および監視システムを使用して、ユーザの自宅セキュリティシステムをプログラムし、制御し、管理する、たとえば：警報をオンまたはオフする、家の出入りを監視する、家の動き検知機器を見る、家の入り口および出口を見る、家の内外の周囲を遠隔で観察することができるようにすることができるようにすることができる。
【００１８】
Ｄｅｖはまた、自宅所有者自身の家または事業所構内に、許可されたまたは違法な立ち入りが行われたとき、自宅所有者に警告を発することができる。Ｄｅｖは、自宅所有者に家または事業所構内内部の正確な位置、および立ち入りが行われた時刻を知らせる。
【００１９】
Ｄｅｖはまた、モニタカメラがその入力の変化を検出し、次いで、自宅所有者が見て判断するためにビデオ画像を所有者に送信するとき、自宅所有者に警告を発することができる。
【００２０】
Ｄｅｖはまた、１つまたは複数の無線端末機／端末、コンピュータ、サーバなどと有線／無線で通信することができるので、金融（非金融）取引または任意の他の必要な金融（非金融）取引を容易にするために、Ｄｅｖと、１つまたは複数の機器、たとえば：端末機／端末、サーバ／コンピュータ（有線／無線）との間でアカウント情報を交換することができる。
【００２１】
Ｄｅｖはまた、自宅または事業所構内にある１つまたは複数の家庭用電気器具／装置と、インターネット上の複数のサーバからダウンロードされた、または前記電気器具／装置からＤｅｖに転送され、次いで、Ｄｅｖから端末機に渡されたソフトウェアアプリケーションの助けを借りて、有線／無線で通信することができ、その結果、１人または複数のユーザが端末機を通して前記電気器具／装置を、Ｄｅｖを介して制御し、プログラムし、監視し、見て、記録し、再生することができるようにすることができる。
【００２２】
Ｄｅｖはまた、プログラムされ、制御されることができ、次いで、ユーザの公益事業使用量情報（すなわち、電気／水道／［暖房および調理用ガス］メータ検針結果）を毎月渡すために、公共機関、たとえば、公益事業会社と有線／無線で通信するので、前記会社のコンピュータが料金を処理し、計算することができる。次いで、公益事業会社が支払いを自動的に完了する、またはユーザの端末機に前記情報を送信するので、前記端末機を使用するユーザがオンラインで支払いすることにより取引を完了することができる。
【００２３】
Ｄｅｖはまた、（ユーザがいる可能性がある場所ではいつも）ユーザの端末機を介してユーザに警告を発することにより、ユーザにドアベルを鳴らす訪問者に話しかけさせることができ、したがって、インターホン（正面玄関のスピーカおよびマイクロホン）を通してユーザおよび訪問者の通信を可能にする。所有者が現時点で自宅にいない可能性があることに招かれない訪問者が気づかない。
【００２４】
Ｄｅｖはまた自宅所有者に、統合スマート・ペット・ドア（そのドア、スピーカ、およびマイクロホン）と通信して、自宅所有者のペット（犬）に一日に複数回、指定された時刻に裏庭に外出させることにより、たとえば：統合スマート・ペット・ドアのドアを開けてドアのスピーカで所有者の声を再生し、同じスピーカで再生するにとによりペット（犬）を家の中に戻すように誘い／命令し、次いで、ペットドアを閉じて鍵をかけることにより、所有者のペット（犬）の健康を監視させることができる。
【００２５】
Ｄｅｖはまた、ユーザに任意の登録済み端末機を介して図４９／図５１／図５３／図５４のユーザのプライベートクラウド４９０４の中にデータ（音声、ビデオ、ファイル、画像、図形など）を記憶させる／そこからデータを取り出させることができる。
【００２６】
Ｄｅｖはまた、端末機により携帯電話ネットワークを介して遠隔でプログラムされ、制御されることができるロボット機器の中に埋め込まれることができる。携帯電話通信は、インターネットよりも偏在し、実用的で、リアルタイムで、どこにでもある。ロボット機器は、いくつかの状況で、たとえば：遠距離の医学的外科手術、遠隔の救助任務、遠隔の消防および救助、荷物配達飛行ドローンなどで使用することができる。
【００２７】
Ｄｅｖはまた、端末機またはコンピュータにＤｅｖの位置を伝達するために、携帯電話ネットワークまたは衛星ネットワーク（または携帯電話、無線、有線、地上、および衛星からなるハイブリッドネットワーク）を介して前記端末機または前記コンピュータによりプログラムされ、制御されることができるブラックボックス、輸送用コンテナなどの中に埋め込むことができる。
【００２８】
Ｄｅｖは無線機器であり、具体的には携帯電話機器であるので、携帯電話ネットワークの中に登録され、活動化される必要があり、そのために、ネットワークコンピュータ／サーバがＤｅｖを認識することができ、Ｄｅｖが他の移動体機器と通信するためにＤｅｖをコンピュータ／サーバのネットワークの中で許可することができるようにする。携帯電話端末機、タブレット、個人的補助手段などとは異なり、ＤｅｖはＤｅｖの登録済み端末機のうちの１つまたは複数によりそうするようにプログラムされたとき、他の端末機または無線機器と通信する。Ｄｅｖは、だれの携帯電話機器とも通信するわけではなく、他の携帯電話機器がＤｅｖと通信しようとするときに応答するわけでもない。換言すれば、Ｄｅｖは、招かれていない呼出し／メッセージを無視する、またはそれに応答しない（Ｄｅｖの起動／登録中という例外はある）。Ｄｅｖは登録済みの１つまたは複数の端末機からコマンドおよびデータを受け取り、復号し、実行し、意図された／プログラムされたときにＤｅｖのタスク／機能を行い、１つまたは複数の端末機／機器に情報および／または状態を伝送して戻す。端末機からのコマンドおよびデータは、１つまたは複数のパケットの形、バイナリの形、またはバイナリとＡＳＣＩＩテキストフォーマットの組合せの形とすることができる。端末機からのコマンドはまた、好ましくは、符号化された端末機電話番号、暗号化されたモバイル・セキュリティ・キー（ＭＳＫ）、およびパスワードを含むので、Ｄｅｖは端末機からのコマンドを、望ましくない情報源と区別することができる。電話番号、（および／または）ＭＳＫ、ならびにパスワードがＤｅｖのメモリに記憶したものと一致する場合、Ｄｅｖはそれに従ってコマンドを実行する。データはまた、ビデオおよび音声テキストフォーマットの形とすることができる。Ｄｅｖからの情報および／または状態は、１つまたは複数のパケットの形で、およびバイナリの形で、またはバイナリ、ＡＳＣＩＩ、ビデオ、ストリーミングビデオおよび音声、もしくはストリーミング音声テキストフォーマットの組合せの形とすることができる。Ｄｅｖはまた、当業者に公知のように、イベントが発生したときに、１人または複数の所有者に警告を発するために、１つまたは複数の端末機にメッセージ（本発明では、メッセージはまた、テキストメッセージに加えて、データメッセージングの形、すなわち：ＩＭ、ＭＭＳ「Ｍｕｌｔｉｍｅｄｉａ  Ｍｅｓｓａｇｅ  Ｓｅｒｖｉｃｅ、マルチメディア・メッセージ・サービス」、ｉＭｅｓｓａｇｅの形とすることができる）を送信する、またはパスワード回復のために所有者の電子メールアドレスに所有者のパスワードを電子メールで送信するために、Ａｐｐサーバまたは電子メールサーバにコマンドを送信する。ＭＳＫは、ＤｅｖがＤｅｖの登録済み機器の各々に割り当てる、ランダムに生成され暗号化されたセキュリティ・データ・パラメータ（または第三者のコマンドの場合コマンド）であり、活動化または登録中に、Ｄｅｖに登録中の機器に、前記Ｄｅｖにより伝送され、換言すれば、各ＭＳＫが、Ｄｅｖの登録済み端末機（機器）の１つに、または（Ｄｅｖに対して期間限定で制御および監視することができる第��者に送信される）第三者のコマンドに関連付けられる。次いで、ＭＳＫは、Ｄｅｖがその１つまたは複数の登録済み機器または合法の第三者と通信しているかどうかを識別し、認識することができるようにする、端末機により生成されるコマンドに符号化される。ＭＳＫは（携帯電話、インターネット、ＳＲＣ、および衛星を介して）Ｄｅｖおよびその１つまたは複数の登録済み機器の通信中に、Ｄｅｖとそれらの機器の間に、強化されたセキュリティ保護を提供し、処理中に、一致しないＭＳＫを前記Ｄｅｖが受け取った場合、Ｄｅｖは、ユーザがユーザの登録されていない新しい機器を登録する必要があると要求し、その機器のユーザにテキストメッセージ、声、および電子メールを介して警告を発する。
【００２９】
Ｄｅｖの機能は、その環境を監視および制御し、他の意図する無線機器と通信することであり、Ｄｅｖは、セキュリティ機器として機能する場合、任意の望ましくない人により容易に取り除かれない、または無効にされない場所に設置されなければならない。Ｄｅｖは、好ましくは、マイクロコントローラまたはＣＰＵ、ＩＣ（集積されたチップセット）、ＥＰＬＤ、（ソフトウェアコード、アプリケーションプログラム、携帯電話アカウント情報、ＯＳなどのための）揮発性および不揮発性のメモリ（すなわち、フラッシュ、ＲＡＭ、ＳＤＲＡＭ、ＥＥＰＲＯＭ、ＲＯＭ、ＳＳＤ、記憶媒体など）記憶装置、１つまたは複数のアンテナ、携帯電話／無線ＬＡＮチップセット、ＳＲＣ（Ｓｈｏｒｔ  Ｒａｎｇｅ  Ｃｏｍｍｕｎｉｃａｔｉｏｎ、短距離通信）インタフェース、構成要素（ＮＦＣ、Ｗｉ−Ｆｉ、Ｂｌｕｅｔｏｏｔｈ（登録商標）、ＵＳＢ、無線周波数（ＲＦ）技術）、および汎用入出力からなる組込型電子モジュールの形をとる。モジュールは、車両に適用されたときには自動車制御回路の一部、または家に適用されたときには自宅セキュリティシステムの一部、およびロボット機器もしくは輸送用コンテナに適用されたときには電子回路の一部となることができる。
【００３０】
Ｄｅｖは、他の機器／サーバからソフトウェアアプリケーションを無線で得て、記憶し、走らせることができる。車両の場合、Ｄｅｖはまた、橋の使用料または道路の使用料が必要となるときに、通行料金取引を容易にするための金融口座アプリケーションを含む。Ｄｅｖはまた、ユーザが１つまたは複数の他の登録済み端末機のＧＰＳ位置を特定することができるようにする特徴を含む。Ｄｅｖはまた、他の制御される機器を発見する／見つけ出すために、または後で端末機を介してユーザにより命令されたときにこれらの機器を取り除くための、Ｄｅｖが使用する自動追加および除去機能を有することにより、ユーザが自宅で、または遠隔の構内で機器／電気器具を制御することができるようにするので、機能を追加することができる。
【００３１】
Ｄｅｖはまた、主端末機が他の端末機を登録することができ、次いで、他の端末機が一緒にＤｅｖと通信して、Ｄｅｖの環境内部で起きていることの、たとえば：ロボット／外科手術／探索−救助ロボットの監視および制御を、およびカメラおよびセンサを通して何が起きているかの監視を調整し、端末画面上にリアルタイム画像を表示することができる汎用制御システムを提供する。または、この汎用制御システムはブラックボックス、船荷、輸送用コンテナなどの中に組み入れられることができるので、ブラックボックス、船荷、輸送用コンテナなどが端末機またはコンピュータによりプログラムされ、次いで、ブラックボックス、船荷、輸送用コンテナなどの場所を、前記端末機または前記コンピュータによりリアルタイムに追跡および監視することができる。
【００３２】
これらの３つの応用、すなわち、車、自宅、およびロボット／外科手術／探索−救助作業／輸送用コンテナ／ブラックボックスは、例を列挙するためのものであり、Ｄｅｖがこれらの応用だけに制限されることを意味しない。
【００３３】
Ｄｅｖが存続する期間に、Ｄｅｖは、持ち主を変える所有権をいくつか有する可能性が最も高く、したがって、所有権の変更が発生したときに、Ｄｅｖの新しい所有者により、容易に活動化され、登録されなければならない。Ｄｅｖはまた、許可されていない人が活動化または登録することができないようにし、同じく、そのようなイベントが発生したときに、Ｄｅｖの１人または複数の所有者に警告を発する。これにより、所有者が現在のプロバイダで依然として活動化している間に（端末機を通して）新しいサービスプロバイダのネットワークの中で所有者にＤｅｖを活動化させることにより、他のサービスプロバイダに非常に容易に切り替えるようになる。新しいサービスプロバイダに対して活動することに成功した後、ＤｅｖがＤｅｖ自身を前のネットワークから非活動化し、または任意選択で、マルチ・アカウント・モードにあるときには前記アカウントデータを保持し、さらに、Ｄｅｖの新しい電話番号を更新する他の１つまたは複数の登録済み端末機にコマンドを伝送する。
【００３４】
携帯電話／機器は自動車の中にすでに存在しているが、それらの機能はかなり制限されている。現在のシステムの主要な機能は、運転者の携帯電話が鳴ったときに呼出しを引き継ぐためのものであり、したがって、運転者が呼出しに応答し、外の発呼者とハンズフリーで通信することができるようにする。いくつかの他の応用により、車の所有者が車を遠隔でロックする／ロック解除する、または車のエンジンを始動させることができるようになる。車の製造業者が完全な解決策をまだ提供していない理由の一部が、本発明により本明細書で提示するように、携帯電話システム（携帯電話システムが運転者の携帯電話端末機の機能を引き継ぐ場合のように、車両の携帯電話組込電話モジュールの中にすでにある）がプログラムされ、制御され、監視されることができ、したがって、所有者の端末機と通信し、本発明の本明細書で列挙するように所有者の端末機の機能を実行することができるような仕組みをどのようにして考え出すかである。本発明により本明細書で提示されるように、ハードウェア（マイクロコントローラおよび携帯電話チップセット）が車の所有者の携帯電話と通信することができるように、車の所有者が監視し、プログラムし、選択した携帯電話サービスプロバイダで前記ハードウェアを活動化させることができるわかりやすく単純明快な仕組みが実現されない場合、前記ハードウェアが車内の他の機器と、たとえば：車のＧＰＳ、車のエンジンオイル／燃料のレベル、速度計の読取値、ドアロック、車の警報、点火システムなどとインタフェースをとることができるように前記ハードウェアを拡張することが大いに貢献することにならない。
【００３５】
さらに、たとえば、現在の車セキュリティ、制御・監視システム（Ｓｅｃｕｒｉｔｙ、Ｃｏｎｔｒｏｌ  ＆  Ｍｏｎｉｔｏｒ  Ｓｙｓｔｅｍ、ＳＣＭＳ）は、車の所有者が（スマートホンを介して）車のドアを遠隔でロック／ロック解除する、車の点火／クラクション／ライトをオン／オフする、車のエンジンおよび電気／電子システム（たとえば、燃料、冷却用流体またはオイルのレベル、バッテリの読取値など）を調べるなどを行うことができるようにし、車両に特定のイベントが発生したときに（たとえば、破損、衝突など）所有者の端末機（スマートホン、スマートウォッチ、移動体機器、ウェアラブル機器など）を介し警報を受け、たとえば以下のような重大な欠点がいくつかある。
【００３６】
消費者の側では、ユーザ（システムの潜在的所有者）がほとんど選択することができず、システムの製造業者、またはシステムの製造業者と提携した会社である可能性が高い単一の排他的セキュリティ・サービス・プロバイダ（ＳＳＰ）、またはＳＳＰと提携する会社に主に依存する、換言すれば、単一のセキュリティ・サービス・プロバイダに縛られる。その結果、ユーザは、他のどの会社も製品を接続するサービスを提供することができないので（ユーザの車両の中に装置を追加するとき）製品を進んで受け入れる傾向がほとんどない。常識的に考えれば、排他的サービスプロバイダとして、ＳＳＰはサービスに対してより多く請求する傾向があり、ＳＳＰのサービス品質を提供し改善する動機をほとんど有しない。ユーザは、唯一のＳＳＰのサービスを受け入れる以外他を選択する余地が全くない、またはユーザが「すでに代金を支払った」装置が車の中で使用されず置かれている。さらに、任意の有用なまたは便利な（たとえば、車の（ＧＰＳ）位置を見つけ出す）コマンドが、余分な特徴と考えられる可能性が高いので、任意選択としてユーザが追加費用を支払う必要がある。
【００３７】
プロバイダの側では、上述のように、この技術により車の製造業者が別個の会社または部門を形成することが必要となるので、この技術を採用する車の製造業者がほとんどない。あるいは、車の製造業者が、システムにサービスを提供することができるように、第三者の会社と提携してもよい。この例が、Ｇｅｎｅｒａｌ  Ｍｏｒｔｏｒｓの子会社であるＯｎＳｔａｒ（登録商標）  Ｃｏｒｐｏｒａｔｉｏｎである。
【００３８】
その結果、自分の車のためにＳＣＭＳ装置を所有したい（車両にＳＣＭＳが装備されていない）所有者のための唯一の選択肢が、アフター・マーケット・プロバイダ（たとえば：ａｕｔｏａｌａｒｍｐｒｏ．ｃｏｍのＡｕｔｏＡｌａｒｍ  Ｐｒｏ、またはｖｉｐｅｒ．ｃｏｍのＶｉｐｅｒ  Ｓｔａｒｔ）により提供される製品に頼ることである。前記製品のためにかかる事前の費用は、設置に適応させるために車両内部に修正を加える、たとえば、構造的、機械的、および電気的な変更を行う際により多くの労力を必要とするので、通常、ビフォアマーケットの解決策より多くの費用がかかる。できあがった製品の設置は、すべての車両がアフターマーケットの設置を考慮して行われるわけではないので、以前ほど美的にならない場合がある。設置が製造業者の車両保証に影響を及ぼすことがある、または車両の計器盤エコシステムを不快な状態にすることがある。
【００３９】
こうしたことすべての原因が、現在のＳＣＭＳのアーキテクチャにある。セキュリティ・サービス・プロバイダ（ＳＳＰ）が携帯電話会社から回線をリースで借りるので、ＳＳＰの装置が、ＳＳＰのＳＣＭＳと、ＳＳＰのクライアントの登録済みスマートホン（用語：端末機またはスマートホンはまた、本文書の中で意図されるように、任意の移動体機器、携帯型機器、またはウェアラブル機器とすることができる）との間に双方向通信を提供することができる。まず、ユーザがユーザの税のＩＤ（すなわち、社会保障番号）、個人および金融の情報をＳＳＰに最初に提供することにより、好ましくはオンラインでＳＳＰに対してアカウントを申し込み、次いで、１つまたは複数の登録済みスマートホンのＩＤ（連絡電話番号、電子メールアドレス）と共にユーザのＳＣＭＳの固有のＩＤ（たとえば、Ｓ／Ｎ）を登録し、次いで、前記スマートホンの中にアプリケーションをダウンロードする。次いで、ＳＳＰがＳＣＭＳをユーザおよびユーザのアカウントに関連付けることができる。それによって、サービスを開始することができる。
【００４０】
さらに、発信機器で（スマートホンで、またはＳＣＭＳで）開始する、スマートホンとＳＣＭＳの間の通信が、最初に携帯電話ネットワークを通過しなければならず、次いで、ＳＳＰ装置にルーティングされ、ＳＳＰ装置が、ＳＳＰの登録済みアカウントに対して機器のＩＤを検証する。次いで、ＳＳＰ装置（すなわち、スイッチャ／ルータ）が、再び携帯電話ネットワークを介して宛先にデータを伝送する。この方法は、追加のＳＳＰ装置（他のレイヤ）の要件が、データ配送システムの中に故障した接続点を追加し、より大きくの時間遅延をもたらすので、通信システムに他の潜在的欠点を追加する。
【００４１】
それに対して、本発明は、第三者のスイッチング／ルーティング装置が関与することなくスマートホン（端末機）とＳＣＭＳ（Ｄｅｖ）の間の直接通信を可能にするので、よりよい代替手段を提供する。ユーザは、任意の利用可能な携帯電話サービスプロバイダを選択する、またはユーザが選択する任意の利用可能な携帯電話サービスプロバイダに切り替えることができる。さらに、車の製造業者はシステムを、作り付けのガレージ開閉機に類似する、対処すべきどんなＳＳＰも有しない選択肢として扱うことができる。ユーザは、費用を低減するためにユーザの移動体機器プランにサービスを常にバンドルすることができ、その上、保険に入っている車両が前記機器を装備しているとき、より多くのよりよいセキュリティを選択できるので、保険会社の保険料に関してよりよい条件を保険会社が運転者に提供する場合がある。さらに、典型的には、携帯電話チップセットの大部分が、１つのＩＣ（集積回路）コストで２つの特別の選択肢（ＧＰＳ能力およびＳＣＭＳ）を車の購入者に提供することができるようにする組込ＧＰＳをすでに有するので、ＳＣＭＳ製造コストがかなり低くなる可能性がある。
【００４２】
家の監視セキュリティシステムは据え置き型機器であり、かつ自宅セキュリティ会社が見て、監視するので、難題をそれほど引き起こさない。家の監視システムはまた電話回線を必要とし（費用がかかり、電話回線が切断される可能性があるので使用不可にされやすい）、毎月のサービス料金などのかなり高い値段を伴う。監視は、システム、および非常に多くの場所を監督する責任があるセキュリティ職員とほとんど同じでしかない可能性がある。システムは自宅セキュリティ会社により設置されなければならず、何かが起きた、または家に侵入されたときに、所有者を呼び出すことおよび／または所有者に警告を発すること以外多くを提供しない。所有者は何が起きたか全くわからず、警報会社も警官が到着するまで、または所有者が自宅もしくは事務所に到着するまで、何が起きたか全くわからない。しばしば、これが誤警報のため、たとえば、カーテンが落下し、動きセンサが作動したためである可能性がある。また、自宅に設置されたセキュリティカメラが製造業者のウェブサイトにオンラインで接続され、このウェブサイトで所有者が自分のアカウントを作成することができ、後でログインし、カメラに写るものを見て、何が起きているか観察する。これは受動的システムであり、換言すれば、ユーザは、特定の条件が発生したときにユーザが警告を受けるようにこのシステムをプログラムすることができない。
【００４３】
プロバイダの装置およびＳＣＭＳが携帯電話ネットワークに接続される、より高度なホームセキュリティ制御・監視システムはまた、類似の欠点を有するという点で車両セキュリティシステムに類似する。上述のように、ユーザの自宅／事業所／工場／現場／農場にシステムを設置されるユーザは、同じく装置の製造業者または製造業者の提携会社である可能性が高い１つの排他的ＳＳＰに頼ることしかできない。通信を処理する携帯電話ネットワークの間でこれらの会社のスイッチング・ルーティング装置を有する追加のレイヤが、データ配送システムにより多くの故障地点および余分な遅延を付加する。
【００４４】
それに対して、本発明は、スマートホン（端末機）とＳＣＭＳ（Ｄｅｖ）の間の直接通信を可能にするので、よりよい代替手段を提供する。ユーザは、任意の利用可能な携帯電話サービスプロバイダを選択する、またはユーザが選択する任意の利用可能な携帯電話サービスプロバイダに切り替えることができる。さらに、この携帯電話サービスプロバイダはまた、トラフィックコントローラ／ルータの役割を果たし、携帯電話ネットワークが許可する速さで、１つまたは複数の端末機とさまざまな家庭の（事業所／工場／農場に関連する）セキュリティ装置および電気器具との間でコマンド、状態、および／またはデータを伝達または送信する。これらの１つまたは複数の装置／電気器具は、ＩｏＴ（Ｉｎｔｅｒｎｅｔ  ｏｆ  Ｔｈｉｎｇｓ）と互換性がある（ＩＰｖ４バージョンを示す図５０および図５１に示すように、しかし、Ｄｅｖはまた、ＩＰｖ６もサポートする）、またはＷｉ−Ｆｉ以外のＳＲＣ（短距離通信）、またはＢｌｕｅｔｏｏｔｈ（登録商標）、無線ＲＦなどのような（図４８および図４９に示すような）ＮＷＳＲＣ（Ｗｉ−Ｆｉ以外のＳＲＣ）、またはＩｏＴ（Ｉｎｔｅｒｎｅｔ  ｏｆ  Ｔｈｉｎｇｓ）とＮＷＳＲＣネットワークの両方の混在とすることができる。したがって、Ｄｅｖは、単一アプリケーションで統一された単一の電気器具（Ｄｅｖ）からこれらの機器すべてをユーザに管理させ、一方では、現在の技術（たとえば、スマート電気器具、たとえば：スマートロック、スマートランプ、スマート冷蔵庫、スマート洗濯機、スマートセンサ、スマートオーブン、スマートサーモスタットなど）を使って、ユーザが、別個の機器（スマート電気器具）それぞれのためのアプリケーションを有しなければならず、また、通信のために、余分な遅延およびより多くの故障地点を追加する、製造業者の１つまたは複数の装置／サーバに依存しなければならない。さらに、端末機の画面上に追加される複数のアプリケーションが、これらのアプリケーションをより管理しにくくし、したがって、余分な遅延、および端末機のバッテリの消耗などが追加される。さらに、現存するシステムは、正しいユーザＩＤおよびパスワードを有するだれでもシステムの制御された環境にアクセスすることができ、したがって、潜在的ハッカーに対してループホールをさらす、もしくは作り出す、または所有者がそのような侵害を認識することなく所有者の個人的環境の中に侵入する／中をのぞき見することにより、所有者の車両を奪い取る、または前記所有者の住居に物理的および金銭上の損害を、もしくはさらに悪いことを引き起こすという点で、盗みを働く。本発明（Ｄｅｖ）は、ユーザの端末機を（端末機に対応するＭＳＫと共に）認識することができるので、上記のようなことが繰り返し発生するのを防ぎ、他の点では、認識されていない機器をユーザが使用するためにはユーザが登録する必要があり、同時に、Ｄｅｖの１つまたは複数の登録済み端末機に前記動作について警告を発し、したがって、１人または複数の所有者が適切な行動または予防行動を起こすことができるようにする。
【００４５】
車両所有者について前述したように、自宅所有者もまた、コストを低減するために所有者の移動体端末機プランにサービスを常にバンドルすることができるので利益を得て、保険に入っている自宅が前記機器を装備したとき、より多くの、よりよいセキュリティを選択できるので、保険会社が自宅所有者に保険料に関してよりよい条件を提供する場合がある。
【００４６】
本発明は、所有者の２４時間監視システムを可能にする。本発明は、第三者が複数の端末を監視する必要があるために、すべての活動を完全に監視する容量を有しない第三者の代わりに、ユーザ（およびユーザの家族の一員）の端末機に直接頼る。本発明は、何かが発生したときに警告を発し、１人または複数の所有者が自分の端末機で、何が発生しているかをリアルタイムに見ることができる（この場合、Ｄｅｖが関連情報をすでに送信した）。プログラミング、制御、および監視はすべて端末機を通して行われるが、一方では、現在の有料システムは、ユーザが至近距離にある家の近くにいるときにシステムをオン／オフするためだけに、家の中にあるキーパッドに加えて、遠隔にあるハンドヘルド機器を必要とする。本発明はまた、自宅警報システムのセキュリティの提供以外にも及ぶ。本発明により、１人または複数の所有者の手段が、他の家庭用電気器具／装置を、たとえば：暖房／空調、ケーブル／衛星テレビ、ガレージ開閉機、入り口のドアロック、ヘルプ−警告着用者、スプリンクラ制御システム、ドアベルおよびインターホン、ペットの日常の必需品、電気メータの検針結果、およびその情報を公益事業会社に送信することを制御および監視することができるようにする。本発明により、本発明の所有者が、所有者の端末機または任意の他の携帯型機器を介してノート、画像などを所有者のプライベート・ストレージ・クラウドおよび複数の他のものに記憶する、および／またはそこから取り出すことができるようになる。
【００４７】
Ｍｉｎによる「遠隔制御システムと調和する携帯電話」と題する米国特許出願公開第２０１１０２４４８４６（Ａ１）号明細書および米国特許出願公開第２００８００５７９２９（Ａ１）号明細書が、移動体通信ネットワーク、複数の遠隔システム、および１つのサーバの範囲内で、移動体電話機による遠隔の自動車および自宅制御システムについて言及している。Ｍｉｎは、ハードウェアに関して、Ｍｉｎの発明した複数のシステムの相互接続および統合について説明しているが、車両／自宅内の機器がネットワークに接続されることができるように、どのようにして登録され活動化されるか、所有者の電話番号および他の端末機すべての番号をどのようにして得るか、および予期せぬイベントに関して所有者および家族に警告を発することができるように、この機器の登録済み機器（携帯電話および／または他の有線／無線機器）の各々に対してランダムに生成されたＭＳＫをそれぞれどのようにして割り当てるかについて決して言及しなかった。
【先行技術文献】
【特許文献】
【００４８】
【特許文献１】米国特許出願公開第２０１１０２４４８４６号明細書
【特許文献２】米国特許出願公開第２００８００５７９２９号明細書
【発明の概要】
【発明が解決しようとする課題】
【００４９】
したがって、無線ネットワークをプログラムし、制御し、監視するための改善されたシステムおよび方法が緊急に必要であることが明らかである。
【課題を解決するための手段】
【００５０】
本発明は、車および自宅（または事業所）の電子制御および警報／セキュリティ監視システムの中で利用され、その中に統合されている無線機器（Ｄｅｖ）に関係する仕組みを提示する。本発明はまた、複数の携帯電話端末機、インターネット機器が、携帯電話、インターネットネットワーク、および他の有線／無線ネットワークを通して情報を共同制御し、監視し、共有し、交換することができる汎用入出力機能を制御する汎用制御（ロボット）機器を提示する。これらの３つの列挙した例は、本発明の出願により利益を得ることができる多くの応用がすでに存在する、またはいつかは発明されなければならないので、これらだけが応用であるとして制限されるべきではない。
【００５１】
Ｄｅｖを活動化する前に、所有者が、好ましくは、Ｄｅｖのための無線サービスプランを得るために、所有者が選択した携帯電話サービスプロバイダと連絡をとるべきであり、Ｄｅｖがサービスプロバイダのネットワークの中で活動化に成功するように、活動化パラメータ（活動化データ）、たとえば：活動化パスワードおよびユーザＩＤ、アカウント番号、および／または（サービスプロバイダが１つまたは複数のＤｅｖを加入者と関連付けることができるような）任意の必要な情報を受け取る。必要な情報を得るために、所有者がサービスプロバイダの営業所のうちの１つに行く、電話で連絡をとる、またはオンラインにすることができる。
【００５２】
携帯電話機器はより一般的な機器になっているので、活動化はより容易になっている。しかし、携帯電話ユーザにとってさえ、異なるサービスプロバイダを選択する、または異なるサービスプロバイダに切り替えるとき、ユーザが新しい端末機を選択しなければならず、一方では同時に、新しい端末機をサービスプロバイダの販売員により活動化してもらうので、登録中にサービスプロバイダの営業所の１つに本人が直接いる必要がある。時間、人的資源を削減し、効率を改善し、ユーザの待ち時間および苛立ちを最小にするために、サービスプロバイダが機器の自動活動化、たとえば：無線による（ＯＴＡ）活動化およびオンデマンド式の活動化（ＯＤＡ）を提供することにより、活動化処理を簡略化し、スピードアップする方法を見いだしている。ＯＴＡは、活動化中にＤｅｖがネットワークに一時的に接続することを意味し、活動化中に携帯電話サービスプロバイダがＤｅｖに任意の利用可能な電話番号を割り当てることができることを意味する（したがって、Ｄｅｖ、およびそのＳＩＭ、またはＵ／ＳＩＭ（Ｕｎｉｖｅｒｓａｌ  ＳＩＭ）、またはＭｏｄＳＩＭ（本発明者によりＭｏｄｉｆｉｅｄ  ＳＩＭと定義される）のような記憶領域が、任意の電話番号で事前にプログラムされる必要がない）。ユーザがユーザの端末機の１つとして同じサービスプロバイダを選択した場合、サービスプロバイダにより一般に実施されているように、同じアカウント番号がグループアカウントとして使用されることができる。ユーザ／所有者が最初に行う必要があることは、Ｄｅｖを活動化し、Ｄｅｖにユーザ／所有者の端末機の電話番号を（ユーザ／所有者のアカウント情報と共に）登録することであり、それにより、Ｄｅｖが活動化に成功した後に、端末機と通信することができる。
【００５３】
活動化前または活動化中、ユーザはまた（端末機を使用して）Ｄｅｖに特定の活動化データを渡さなければならず、端末機が、そうする（Ｄｅｖと端末機の間の通信）ための関連するソフトウェアを含まなければならない。通常の端末機は、Ｄｅｖを走らせるためのソフトウェアアプリケーションを含まないので、活動化処理を開始する間に（Ｄｅｖの活動化ボタンが押された、または声により活動化されたコマンドが呼び出された後）ＤｅｖがＳＲＣを介して端末機と通信しようとする。端末機から応答がない、または誤った応答が戻された場合、Ｄｅｖは端末機に１つまたは複数のメッセージを送信し、必要なソフトウェアをダウンロードすべきウェブサイトについてユーザに通知する。ソフトウェアが端末機にダウンロードされた後、Ｄｅｖおよび端末機がＳＲＣを介して適切に通信することができるので、情報を交換することができ、Ｄｅｖに必要な活動化データを端末機からＤｅｖに渡すことができる。この間、Ｄｅｖのソフトウェアはまた、ウェブサイトが端末機を通してユーザに選択を通知してもよいので、必要に応じて、ユーザの意のままに更新することができる。
【００５４】
Ｄｅｖ活動化リクエストは、当業者に公知のように、ＳＭＳ、ＵＳＳＤストリング、または任意の他の手段の形をとることができる。活動化中および活動化前に、Ｄｅｖおよび端末機が、当業者に公知のように、近距離通信を介して、たとえば：Ｂｌｕｅｔｏｏｔｈ（登録商標）、有線／無線ＵＳＢ、ＮＦＣ、Ｗｉ−Ｆｉ、無線周波数（ＲＦ）技術、または本発明によりＳＲＣ（短距離通信）として定義されるような任意のものを介して、互いに通信する。
【００５５】
筐体の側面にあるボタン（自宅制御監視システムの場合）、またはガレージ開閉機をプログラムするための押しボタンに類似する、内部のバックミラーのそばに位置する押しボタン（車の制御監視システムの場合）を押すことにより、声で活動化する入力を介してＤｅｖ活動化を開始することができる。大多数がこれを同期機器、機器同期などと呼ぶ。Ｄｅｖを携帯電話ネットワークの中で活動化することは、自宅制御監視システムの場合、より多くのステップをいくつか必要とすることを除き、ガレージ開閉機をプログラムするのとかなり類似する。図１８Ｃの１８０２Ｃ／１８３２Ｃに示す表示装置を備えるＤｅｖでは、活動化ボタンは、好ましくは図１８Ｃの１８１４Ｃ／１８４４Ｃに示すように配置される。
【００５６】
Ｄｅｖの活性化は、さまざまな名前により知られるサービスプロバイダの１つまたは複数の装置により、たとえば：サービスプロバイダのサーバ／コンピュータ、認証センタ、自宅位置レジストリ、活動化サーバ／コンピュータ、プロビジョンサーバ／コンピュータ、またはサービスプロバイダにより関連付けられるまたはサービスプロバイダにより提供される任意の他のシステムにより行われ、本発明では、プロビジョン・アプリケーション・ストレージ・コンピュータ／サーバ（ＰＡＳＣ）またはプロビジョンサーバ１１４と呼ばれる。プロビジョンサーバは、当業者に公知のように、サービスプロバイダの内部ネットワークシステムの一部とすることができる、またはインターネット／携帯電話ネットワーク上に別個に存在することができる。
【００５７】
上記で説明した本発明のさまざまな特徴が、単独で、または組み合わせて実施されてもよいことに留意されたい。本発明のこれらおよび他の特徴について、以下でより詳細に、本発明の詳細な説明で、以下の図面と併せて説明する。
【００５８】
本発明についてより明確に確認することができるように、次に、いくつかの実施形態について添付図面を参照して例によって説明する。
【図面の簡単な説明】
【００５９】
【図１】Ｄｅｖ１０６が動作している、本発明の好ましい代表的なネットワークを示す。
【図２】自動車への応用で、Ｄｅｖ１０６の本発明の１つのハードウェア機能構成図の好ましい一例を示す。
【図３】自宅への応用で、Ｄｅｖ１０６の本発明のハードウェア機能構成図の第２の変形形態の好ましい一例を示す。
【図４】ロボットへの応用で、Ｄｅｖ１０６の本発明のハードウェア機能構成図の第３の変形形態の好ましい一例を示す。
【図５】自動車への応用で、Ｄｅｖ１０６の本発明の１つのソフトウェア構成図の好ましい一例を示す。
【図６】自宅への応用で、Ｄｅｖ１０６の本発明のソフトウェア構成図の第２の変形形態の好ましい一例を示す。
【図７Ａ】自動車への応用で、本発明に関連して、Ｄｅｖ１０６と通信状態にある端末機１０２に関するソフトウェア構成図の好ましい一例を示す。
【図７Ｂ】自宅への応用で、本発明に関連して、Ｄｅｖ１０６と通信状態にある端末機１０２に関するソフトウェア構成図の好ましい一例を示す。
【図８】必要な活動化プログラムおよびアプリケーションプログラムを端末機１０２の中にダウンロードする際の、本発明の流れ図の好ましい一例を示す。
【図９】自動車への応用で、必要な活動化プログラムおよびアプリケーションプログラムを端末機１０２の中にダウンロードする際の、本発明の端末機の画面表示の好ましい一例を示す。
【図１０】自宅への応用で、必要な活動化プログラムおよびアプリケーションプログラムを端末機１０２の中にダウンロードする際の、本発明の端末機の画面表示の好ましい一例を示す。
【図１１】たった今ダウンロードされた自動車アプリケーションソフトウェアを走らせる／実行する際の、本発明の端末機の画面表示の好ましい一例を示す。
【図１２】自動車への応用で、ネットワークの中でＤｅｖ１０６を活動化させる際の、本発明の端末機の画面表示の好ましい一例を示す。
【図１３】たった今ダウンロードされた自宅アプリケーションソフトウェアを走らせる／実行する際の、本発明の端末機の画面表示の好ましい一例を示す。
【図１４】自宅への応用で、ネットワークの中でＤｅｖ１０６を活動化させる際の、本発明の端末機の画面表示の好ましい一例を示す。
【図１５Ａ】Ｄｅｖ１０６をネットワークの中で活動化させる際の、本発明の好ましい一例を示す。
【図１５Ｂ】Ｄｅｖ１０６をネットワークの中で活動化させる際の、本発明の好ましい一例を示す。
【図１６Ａ】Ｄｅｖ１０６をネットワークの中で活動化させる際の、本発明の好ましい一例を示す。
【図１６Ｂ】Ｄｅｖ１０６をネットワークの中で活動化させる際の、本発明の好ましい一例を示す。
【図１７】Ｄｅｖ１０６をネットワークの中で活動化させる際の、本発明の好ましい一例を示す。
【図１７Ａ】Ｄｅｖ１０６をネットワークの中で活動化させる際の、本発明の好ましい一例を示す。
【図１８Ａ】Ｄｅｖ１０６をネットワークの中で活動化させる際の、本発明の好ましい一例を示す。
【図１８Ｂ】Ｄｅｖ１０６をネットワークの中で活動化させる際の、本発明の好ましい一例を示す。
【図１８Ｃ】Ｄｅｖ１０６をネットワークの中で活動化させる際の、本発明の好ましい一例を示す。
【図１８Ｄ】Ｄｅｖ１０６をネットワークの中で活動化させる際の、本発明の好ましい一例を示す。
【図１９】自動車への応用で、本発明に関連して、ユーザ情報を伴うＤｅｖ１０６の初期ファイル、および端末機と前記Ｄｅｖの間の通信対話を提示する、前記端末機の画面表示および流れ図の好ましい一例を示す。
【図２０】自宅への応用で、本発明に関連して、ユーザ情報を伴うＤｅｖ１０６の初期ファイル、および端末機と前記Ｄｅｖの間の通信対話を提示する、前記端末機の画面表示および流れ図の好ましい一例を示す。
【図２１Ａ】Ｄｅｖ１０６の中に新しい端末機を追加する（たとえば、登録する）、登録済み端末機１０２の端末機画面表示の好ましい一例を示す。追加された後、本発明に関連して、新しい端末機１０２がサインインし、したがって、Ｄｅｖ１０６の中に登録され、登録済み端末機１０２と同程度にＤｅｖを制御することができる。
【図２１Ｂ】Ｄｅｖ１０６の中に２つの新しい端末機を次々に追加する、登録済み端末機１０２の端末機画面表示の好ましい一例を示す。追加された後、第１の新しい端末機１０２がサインインし、したがって、Ｄｅｖ１０６の中に登録され、Ｄｅｖ１０６の限定された機能を制御するように制限される。同様に、本発明に関連して、第２の端末機１０２もまた一時的にサインインし、第２の端末機１０２がＤｅｖ１０６を制御する能力が、特定のプログラム可能なデータで終端する。
【図２２】本発明に関連して、追加された端末機がサインインする間に、登録済み端末機１０２と、Ｄｅｖ１０６と、追加される端末機１０２と、Ａｐｐサーバ１０８との間の対話を提示する、端末機の画面表示および流れ図の好ましい一例を示す。
【図２３】本発明に関連する、Ｄｅｖ１０６から他の登録済み端末機を取り除く（たとえば、登録抹消する）際の、登録済み端末機１０２の端末機画面表示の好ましい一例を示す。
【図２４Ａ】本発明に関連して、Ｄｅｖ１０６のユーザパスワード回復アプリケーションを提示する、端末機の画面表示および流れ図の好ましい一例を示す。
【図２４Ｂ】自動車／自宅への応用で、本発明に関連して、Ｄｅｖ１０６の構成（コマンド）を示す、端末機の画面表示および流れ図の好ましい一例を示す。
【図２５】自動車／自宅への応用で、本発明に関連して、新しい端末機１０２のＤｅｖ１０６への端末機登録を示す、端末機の画面表示および流れ図の好ましい一例を示す。
【図２６】本発明に関連して、新しい端末機を端末機登録処理する間のＤｅｖ１０６の流れ図、および登録済み端末機１０２にＤｅｖの通知メッセージを表示する、通知を受けた端末機の画面の好ましい一例を示す。
【図２７】本発明に関連して、端末機１０２とＤｅｖ１０６の間のＡｐｐ更新を提示する、端末機の画面表示および流れ図の好ましい一例を示す。
【図２８Ａ】本発明に関連して、Ｄｅｖ１０６の自動車／自宅機器／Ｄｅｖ情報（コマンド）を提示する、端末機の画面表示の好ましい一例を示す。
【図２８Ｂ】本発明に関連して、Ｄｅｖ１０６の自動車／自宅機器／Ｄｅｖ  ＩＤ（コマンド）を示す、端末機の画面表示の好ましい一例を示す。
【図２９】自動車／自宅への応用で（ユーザが携帯電話サービスを選ぶ／携帯電話サービスを新しいプロバイダに切り替える場合）、他のネットワークの中でＤｅｖ１０６を活動化させる際の、本発明の端末機の画面表示の好ましい一例を示す。
【図３０】自動車への応用で、本発明に関連して、Ｄｅｖ１０６の制御および監視メニューを提示する、端末機の画面表示および流れ図の好ましい一例を示す。
【図３１】自動車への応用で、本発明に関連して、Ｄｅｖ１０６のＧＰＳ入力を提示する、端末機の画面表示および流れ図の好ましい一例を示す。
【図３２】自動車への応用で、本発明に関連して、Ｄｅｖ１０６のＧＰＳ入力を提示する、端末機の画面表示および流れ図の好ましい一例を示す。
【図３３】自動車への応用で、本発明に関連して、通行料金口座設定メニュー、およびＤｅｖ１０６の口座の動きリストを提示する、端末機の画面表示の好ましい一例を示す。
【図３４】自動車への応用で、本発明に関連して、Ｄｅｖ／電気器具１０６を含む車両を伴う通行料徴収ステーションの一例を示す。
【図３５】自動車への応用で、本発明に関連して、通行料徴収中のさまざまな機器の対話を提示する流れ図の好ましい一例を示す。
【図３６】自動車への応用で、本発明に関連して、通行料金徴収中のＤｅｖ１０６のプログラミングの流れを提示するフローチャートの好ましい一例を示す。
【図３７】自動車への応用で、本発明に関連して、通行料金徴収中の、他の通行料金口座設定、ならびにさまざまな機器間の対話、およびＤｅｖ１０６のプログラムの流れを提示する、端末機の画面表示および流れ図、ならびにフローチャートの好ましい一例を示す。
【図３８】自動車への応用で、本発明に関連して、Ｄｅｖ１０６の車両ロケータを提示する、端末機の画面表示およびフローチャートの好ましい一例を示す。
【図３９】本発明に関連して、紛失した端末機１０２の位置を特定する際の、問合せ端末機（１０２）のＤｅｖ１０６との画面対話を提示する、端末機の画面表示およびフローチャートの好ましい一例を示す。
【図４０】経路追跡および速度警告のプログラムおよび設定、さまざまな機器の対話を示す、端末機の画面表示および流れ図の好ましい一例を示す。表示装置はまた、自動車への応用で、本発明に関連して、Ｄｅｖ１０６の経路追跡および速度警告のリストを示す。
【図４１Ａ】自動車への応用で、本発明に関連して、許可されていないイベントが発生したときに、Ｄｅｖ１０６から端末機１０２に警告を提示する、端末機の画面表示の好ましい一例を示す。
【図４１Ｂ】自動車への応用で、本発明に関連して、異常なイベントが発生したときに、Ｄｅｖ１０６から端末機１０２に警告を提示する、端末機の画面表示の好ましい一例を示す。
【図４２Ａ】自動車への応用で、本発明に関連して、Ｄｅｖ１０６から端末機１０２にエンジン状態を提示する、端末機の画面表示の好ましい一例を示す。
【図４２Ｂ】自動車への応用で、本発明に関連して、Ｄｅｖ１０６を備えた、被害を受けた車両を、１人または複数の警察官が一時的に制御できるようにする、警察の端末機の画面および／または警察車両の計器盤コンソール表示装置上に出現する車両制御メニューの好ましい一例を示す。
【図４２Ｃ】自動車への応用で、本発明に関連して、車両監視活動を示す車両監視メニューおよび流れ図の好ましい例を示す。
【図４３】自宅への応用で、本発明に関連して、Ｄｅｖ１０６の自宅セキュリティ警報の構成を提示する、端末機の画面の好ましい一例を示す。
【図４４】自宅への応用で、本発明に関連してＤｅｖ１０６の自宅警報機能の状態および監視を提示する、端末機の画面表示の好ましい一例を示す。
【図４５】自宅への応用で、本発明に関連して、Ｄｅｖ１０６の自宅警報機能のプログラムおよび制御を提示する、端末機の画面表示の好ましい一例を示す。
【図４６】自宅への応用で、本発明に関連して、許可されていないイベントが発生したときに、Ｄｅｖ１０６から端末機１０２に警告を提示する、端末機の画面表示の好ましい一例を示す。
【図４７】自宅への応用で、本発明に関連して、カメライベントが発生したときに、Ｄｅｖ１０６から端末機１０２に警告を提示する、端末機の画面表示の好ましい一例を示す。
【図４８】自宅への応用で、本発明に関連して、Ｄｅｖ１０６による家庭用電気器具の追加を提示する、端末機の画面表示、フローチャート、および流れ図の好ましい一例を示す。
【図４９】自宅への応用で、本発明に関連して、Ｄｅｖ１０６による家庭用電気器具の追加を提示する、端末機の画面表示、フローチャート、および流れ図の好ましい一例を示す。
【図５０】自宅への応用で、本発明に関連して、Ｄｅｖ１０６による家庭用電気器具の追加を提示する、端末機の画面表示、フローチャート、および流れ図の好ましい一例を示す。
【図５１】自宅への応用で、本発明に関連して、Ｄｅｖ１０６による家庭用電気器具の追加を提示する、端末機の画面表示、フローチャート、および流れ図の好ましい一例を示す。
【図５２】自宅への応用で、本発明に関連して、Ｄｅｖ１０６による家庭用電気器具の除去を提示する、端末機の画面表示の好ましい例を示す。
【図５３】自宅への応用で、本発明に関連して、自宅または構内にいるときにＳＲＣ（短距離通信）を通してＤｅｖ１０６および他の電気器具と端末機１０２が通信するときの、さまざまな機器（Ｄｅｖ１０６、端末機１０２、および他の家庭用電気器具）の間の対話の好ましい例を示す。
【図５４】自宅への応用で、本発明に関連して、自宅または構内にいるときにＳＲＣ（短距離通信）を通してＤｅｖ１０６および他の電気器具と端末機１０２が通信するときの、さまざまな機器（Ｄｅｖ１０６、端末機１０２、および他の家庭用電気器具）の間の対話の好ましい例を示す。
【図５５Ａ】自宅への応用で、本発明に関連して、ユーザがユーザの端末機１０２を使用して娯楽システムを（Ｄｅｖ１０６を介して）制御およびプログラムするときの、端末機１０２とＤｅｖ１０６の間の通信を提示する、端末機の画面表示の好ましい実施形態を示す。
【図５５Ｂ】自宅への応用で、本発明に関連して、ユーザがユーザの端末機１０２を使用して１つまたは複数のガレージ開閉機を（Ｄｅｖ１０６を介して）開ける、または閉めるときの、端末機１０２とＤｅｖ１０６の間の通信を提示する、端末機の画面表示の好ましい例を示す。
【図５６Ａ】自宅への応用で、本発明に関連して、ユーザがユーザの端末機１０２を使用して暖房および空調システムを（Ｄｅｖ１０６を介して）制御およびプログラムするときの、端末機１０２とＤｅｖ１０６の間の通信を提示する、端末機の画面表示の好ましい例を示す。
【図５６Ｂ】自宅への応用で、本発明に関連して、ユーザがユーザの端末機１０２を使用して入り口のドアを（Ｄｅｖ１０６を介して）ロックまたはロック解除するときの、端末機１０２とＤｅｖ１０６の間の通信を提示する、端末機の画面表示の好ましい実施形態を示す。
【図５７】自宅への応用で、本発明に関連して、ユーザがユーザの端末機１０２を使用して造園スプリンクラシステムを（Ｄｅｖ１０６を介して）制御およびプログラムするときの、端末機１０２とＤｅｖ１０６の間の通信を提示する、端末機の画面表示の好ましい実施形態を示す。
【図５８】自宅への応用で、本発明に関連して、ユーザが明細記入請求書を毎月受け取り、公益事業会社５９８２に電気料金請求書の支払いをする、端末機１０２と、公益事業会社５９８２と、Ｄｅｖ１０６と、電気メータ４８８４との間の通信を提示する、端末機の画面表示および流れ図の好ましい実施形態を示す。
【図５９】自宅への応用で、本発明に関連して、ユーザが明細記入請求書を毎月受け取り、公益事業会社５９８２に電気料金請求書の支払いをする、端末機１０２と、公益事業会社５９８２と、Ｄｅｖ１０６と、電気メータ４８８４との間の通信を提示する、端末機の画面表示および流れ図の好ましい実施形態を示す。
【図６０Ａ】自宅への応用で、本発明に関連して、ヘルプ警告（Ｈｅｌｐ  Ａｌｅｒｔ）機器４８７４の着用者を監視し、着用者と通話する際の、端末機１０２およびＤｅｖ１０６の通信を提示する、端末機の画面表示および流れ図の好ましい一例を示す。
【図６０Ｂ】自宅への応用で、本発明に関連して、訪問者が鳴らすドアベルに応答する際に、ユーザが端末機１０２を使用してＤｅｖ１０６を介してインターホン４８８６に対して行う通信を提示する、端末機の画面および流れ図の好ましい一例を示す。
【図６１】自宅への応用で、本発明に関連して、ユーザがユーザの端末機１０２を使用して統合スマート・ペット・ドア制御システムを（Ｄｅｖ１０６を介して）プログラムし、設定し、制御するときの、端末機１０２およびＤｅｖ１０６の通信を提示する、端末機の画面表示および流れ図の好ましい一例を示す。
【図６２】ロボットへの応用で、本発明に関連して、さまざまな機器の対話の好ましい一例を示す。
【発明を実施するための形態】
【００６０】
ここで、添付図面に示すような本発明のいくつかの実施形態を参照して本発明について詳細に説明する。以下の説明では、本明細書の実施形態を完全に理解できるように、数多くの具体的な詳細を示す。しかしながら、これらの具体的な詳細の一部またはすべてがなくても実施形態を実施することができることが当業者には明らかであろう。他の場合では、周知の処理ステップおよび／または構造について、本発明を不必要に不明瞭にすることがないように詳細に説明しておらず、本発明の精神の範囲に入るすべての変更および修正が保護されることが望まれる。実施形態の特徴および利点は、図面および以下の説明を参照してよりよく理解することができる。さらに、「本発明」または「発明」は、「本発明の１つまたは複数の実施形態」を指すことが意図される。
【００６１】
本発明の代表的な実施形態の様態、特徴、および利点が、添付の１枚または複数の図面と併せて、以下の説明に関してよりよく理解されよう。本明細書で提供される本発明の説明される実施形態は単に例示するためのものであって、限定するものではなく、単なる例として提示されていることが当業者には明らかであろう。別途明記しない限り、同じまたは類似する目的にかなう代わりの特徴が、この説明で開示されるすべての特徴を置き換えてもよい。その結果、本明細書の修正形態の数多くの他の実施形態が、本明細書で規定される本発明の範囲に、およびその均等物の範囲に入ると考えられる。したがって、本明細書で開示される実施形態が単に例示にすぎないので、絶対名辞、たとえば：「ｗｉｌｌ」、「ｗｉｌｌ  ｎｏｔ」、「ｓｈａｌｌ」、「ｓｈａｌｌ  ｎｏｔ」、「ｍｕｓｔ」、および「ｍｕｓｔ  ｎｏｔ」など、ならびに他の用語、たとえば：「ｎｅｅｄ」、「ｎｅｅｄｓ」、「ｎｅｅｄｅｄ」、「ｒｅｑｕｉｒｅ」、「ｒｅｑｕｉｒｅｓ」、および「ｒｅｑｕｉｒｅｄ」を使用することは、本発明の範囲を限定することを意味しない。
【００６２】
また、用語、たとえば：端末機／Ｄｅｖが〜にする、呼び出す、通話する、応答する、警告を発する、させる、できるようにする、使用する、プログラムする、制御する、監視する、活動化する、ダウンロードする、検出する、得る、含む、仮定する、取り出す、転送する、更新する、構成する、追加する、登録する、取り除く、登録抹消する、比較する、操作する、送信する、選択する、開始する、ロックする、ロック解除する、記録する、オンにする、オフにする、再生する、伝送する、変換する、渡す、迂回する、受け取る、表示する、実行する、通信する、符号化する、カプセル化する、暗号化する、解読する、抽出する、復号する、処理する、検証する、ナビゲートする、交換する、走らせる、通知する、コピーするを使用するとき、マイクロコンピュータシステムのメモリ内に存在しＣＰＵをサポートする構成要素すなわち、携帯電話チップセット、メモリデバイス、周辺装置入出力、トランシーバ、増幅器、アナログ・フロント・エンド、ディスクリート／集積されたＩＣと共同してＣＰＵにより実行される端末機１０２またはＤｅｖ１０６内のアプリケーションプログラム（プログラムコード、ＯＳ、入出力ドライバなど、およびこれらのプロセス間通信）の動作および処理を指すことが理解される。
【００６３】
また、別途明示的に述べない限り（たとえば：「新しい端末機」、「未登録の端末機」、「通常の端末機」、「普通の端末機」）、本発明の主要な目的として両方が互いに通信するために端末機がＤｅｖの中に登録されなければならないので、「端末機」および「登録済み端末機」が本発明者による提示を容易にするために本明細書で交換可能に使用されることが理解される。
【００６４】
本発明は無線機器「Ｄｅｖまたは電気器具」に関する。具体的には、Ｄｅｖは、Ｄｅｖを取り囲む環境を制御および監視するモジュールに存在する、またはそのモジュールの一部である携帯電話機器である。以下の例では、３つ列挙され、そのことが、Ｄｅｖがこれらの応用だけに制限されることを意味しない。制御および監視は、Ｄｅｖが、そうするために命令される、またはプログラムされる必要があることを意味し、Ｄｅｖの通信は、選択された数の機器に制限される（これらの機器の電話番号および／またはこれらの機器に関連するモジュール・セキュリティ・キー（ＭＳＫ）がＤｅｖのメモリに記憶される）。Ｄｅｖがユーザの端末機（またはすでに列挙した類似の機器）と一緒にネットワークに対してどのように活動化されるべきであり、したがって、Ｄｅｖが（後で）ネットワークにより登録され、認識されることができるようになるかに関するシステムおよび方法；Ｄｅｖがユーザ／端末機により構成され、プログラムされ、制御される方法；追加の１つまたは複数の端末機がＤｅｖのメモリの中に追加され／登録され、したがって、追加されたユーザがＤｅｖをプログラムし、利用することができるようにする方法；もはや使用されない（陳腐化した）端末機がＤｅｖのメモリから取り除かれる（登録抹消される）方法；Ｄｅｖがその入出力から状態およびイベントを監視し、報告する方法；選択されたどの端末機／機器が、それらの対応する登録済み電話番号および／またはモバイル・セキュリティ・キー（ＭＳＫ）を関連付けることにより情報を交換すべきかをＤｅｖが知る方法；Ｄｅｖがどの電子メールアドレスに情報を送信するようにＡｐｐサーバに要求することができるかをＤｅｖが知る方法；ＤｅｖがＤｅｖの多くの機能について１つまたは複数の端末機（または無線／移動体機器）によりプログラムされる手法；予期せぬ、または潜在的に破局的なイベントが発生したとき、Ｄｅｖが１つまたは複数の端末機（または無線／移動体機器）に警告を発する方法；Ｄｅｖが、登録済み端末機と通信状態で、前記端末機がそのＳＲＣネットワークの範囲内にあるときに、ＳＲＣネットワークに切り替える方法；追加の家庭用電気器具／装置が発見され、接続され、それらのアプリケーションがコピーされる、または（ダウンロードリンクを介して）ダウンロードされ、走らされ、その結果、前記電気器具が携帯電話ネットワークを通してＤｅｖ自身を介してユーザの端末機によりプログラムされる、または端末機が前記媒体の範囲内にあるときにＳＲＣネットワークを介して前記電気器具により制御されることができる方法；家庭用電気器具／装置が、もはや使用されないときにＤｅｖから、および端末機から取り除かれる方法が必要である。
【００６５】
上記の要約が実現されるために、以下のステップが行われることが好ましい。
【００６６】
Ｄｅｖが動作するネットワーク：本発明は、無線通信の分野に関し、詳細には、携帯電話通信、または長距離有線／無線ネットワーク、またはＧＳＭ（登録商標）ネットワーク、ＣＤＭＡネットワーク、ＷＣＤＭＡ（登録商標）ネットワーク、ＴＤ−ＳＣＤＭＡネットワーク、ＮＡＭＰＳネットワーク、および／または任意の派生物に従って動作するネットワーク、すなわち、他の類似の、将来の媒体の中でもとりわけ、ＧＳＭ（登録商標）／ＥＤＧＥおよびＵＭＴＳ／ＨＡＳＰ、３ＧＰＰ、４Ｇ  ＬＴＥ、５Ｇに基づくＧＰＲＳ、ＥＤＧＥ、ＣＤＭＡ２０００、ＷｉＭＡＸ、ＬＴＥ、ＴＤ−ＬＴＥ、および将来の媒体、たとえば：衛星ネットワーク、または多くのタイプの媒体、すなわち当業者に公知の有線、無線、地上、衛星からなるハイブリッドネットワークに関する。本発明はまた、「短距離通信」ＳＲＣ（Ｓｈｏｒｔ  Ｒａｎｇｅ  Ｃｏｍｍｕｎｉｃａｔｉｏｎ）を、たとえば：Ｂｌｕｅｔｏｏｔｈ（登録商標）、無線ＵＳＢ、ＮＦＣ、ＷＩ＝Ｆｉ、無線ＬＡＮ、または当業者に公知のような任意の無線周波数（ＲＦ）技術を含む。
【００６７】
活動化処理中、Ｄｅｖへの携帯電話通信がまだ確立されていない、または中断されているので、ＤｅｖがＳＲＣ（Ｂｌｕｅｔｏｏｔｈ（登録商標）、無線ＵＳＢなど）を通して端末機と通信する。一方、端末機が、携帯電話およびインターネットの接続を両方有し、したがって、必要に応じてＡｐｐサーバから端末機のメモリに活動化ソフトウェアおよびアプリケーションソフトウェアをダウンロードすることができ、さらに、Ｄｅｖの活動化処理の前およびその間にＳＲＣを通してサーバからＤｅｖに、必要な活動化情報を渡すために使用されることができる。
【００６８】
Ｄｅｖが、（端末機へのダウンロード、またはＤｅｖへの更新に成功した後）Ｄｅｖのメモリに常駐する活動化ソフトウェアおよびアプリケーションソフトウェアを使って、無線による（ＯＴＡ）活動化処理を開始する。この処理中、Ｄｅｖが活動化されるために、サービスプロバイダに、またはプロビジョンサーバまたは活動化サーバ／コンピュータとして知られるサービスプロバイダの装置に、一時的に接続することができる。活動化処理は３つの段階に要約することができる：第１段階−サービスプロバイダからの活動化キーおよび事前の活動化データ、ならびに活動化される機器へのユーザアカウント情報（すなわち、車両の型式／自宅住所、アカウント名、アカウント番号）に加えて電話番号。第２段階−活動化リクエスト、活動化キー、１つまたは複数の機器識別子、および／または活動化される機器から携帯電話プロバイダへの活動化データ。最終段階−携帯電話プロバイダから、活動化される機器に送り返される活動化／登録データおよび肯定応答。
【００６９】
Ｄｅｖの活動化のためにプロビジョンサーバとメッセージを交換することが、直接通信であることを必ずしも意味しない。メッセージは多くのノードを通過することができ、ノードの１つがそれぞれこれらのメッセージを２者間または３者間で互いに伝送し、最終的にプロビジョンサーバに伝送する。たとえば、メッセージが最初に１つまたは一連のタワーまたは基地局（ＢＴＳ）に進み、１つまたは一連のタワーまたは基地局（ＢＴＳ）がサービスプロバイダまたはＭＳＣ／ＶＬＲ（Ｍｏｂｉｌｅ  Ｓｗｉｔｃｈｉｎｇ  Ｃｅｎｔｅｒ（移動交換局）／Ｖｉｓｉｔｏｒ  Ｌｏｃａｔｉｏｎ  Ｒｅｇｉｓｔｅｒ）にメッセージを伝送する。これらのメッセージは活動化メッセージであるので、次いで、ＭＳＣ／ＶＬＲがこれらのメッセージをＨＬＲ／ＡｕＣ（Ｈｏｍｅ  Ｌｏｃａｔｉｏｎ  Ｒｅｇｉｓｔｅｒ／Ａｕｔｈｅｎｔｉｃａｔｉｏｎ  Ｃｅｎｔｅｒ）およびＤＢＳ（処理され／確認され／承認されるための、データ検証用のデータベースサーバ、およびプロビジョンサーバまたはＯＴＡ（Ｏｖｅｒ  ｔｈｅ  Ａｉｒ）活動化プロセッサ（２０１３年１月１０日のＣｈａｔｔｅｒｊｅｅ  ｅｔ  ａｌ．の米国特許第２０１３／００１２２０７（Ａ１）号明細書による米国特許出願刊行物の図１、および２０１２年１２月１１日のＬａｒｓｓｏｎの米国特許第８，３３１，９９０（Ｂ２）号明細書による米国特許の図１））に伝送する。活動化メッセージが通過する送信の回数、方法、場所、および活動化メッセージが処理され、ルーティングされている１つまたは複数の装置については、サービスプロバイダの内部レイアウトおよび設計アーキテクチャ次第であり、本発明の範囲外である。Ｄｅｖの活動化中、本発明は、当業者に公知のように、プロビジョンサーバが送信し／受け取り、プロビジョンサーバが処理し、プロビジョンサーバが確認するデータについてだけ述べる。
【００７０】
本発明はまた、好ましくは、すでに活動化された図２の２７０のプラグインＳＩＭカードをサポートし、別の状況では、ユーザがプラグインＳＩＭカード２７０を活動化しなければならない場合、ＳＩＭ記憶モジュールがすでに利用可能である。また、ユーザにとってＳＩＭカードの利益は、ユーザが、新しい端末機を得るときに、ＳＩＭカードを再活動化する必要なく、かつＳＩＭカードがすべての個人情報を、たとえば：電話帳、パーソナルメッセージなどを保持することができるようにすることなく、使用を継続するという便利さであり、一方では、そのような情報がＤｅｖでは必要なく、Ｄｅｖの機能がスマート端末機と非常に異なる。Ｄｅｖは、登録済み電話機により指示されるような限られた数の端末機もしくは移動体機器、または登録済み電話機の１つとだけと通信し、端末機とは異なり、ユーザが端末機のＳＩＭカードにアクセスするのに好都合ではない。Ｄｅｖのタスクは、ユーザが、Ｄｅｖにしてほしいことをプログラムし、制御し、監視することができるようにすることである。Ｄｅｖはまた、Ｄｅｖの周囲で起きていることについて観察し、通知することができ、したがって、プログラムされた／指示されたときに、ユーザに警告を発する選択肢を提供する。
【００７１】
サービスプロバイダの選択−ユーザは、本発明の利用範囲を最大にするために、好ましくはスマートホンを所有すべきである。本発明のプロトコルは、Ｄｅｖがネットワークの中で活動化され、次いで、準備され（したがって、Ｄｅｖが登録され、ネットワークにより認識される／認証されることができる）；Ｄｅｖのセキュリティタスクをプログラムされ、制御され、監視され；使用料を支払うための口座を設定され；遠隔で制御し、使用するため、およびＤｅｖを有用で非常に強力な実際の機器にするさまざまな機能すべてのために家庭用機器を発見する際に仕組みを利用し；さらに、他の端末機をＤｅｖの中に登録する、またはもはや使用されない端末機をＤｅｖから取り除く（登録削除する）ので、これらの端末機が主端末機と全く同じようにＤｅｖを制御、プログラム、監視することができる／できない、およびＤｅｖにより警告を発せられることがない（もはやない）。
【００７２】
ユーザが、本人が直接サービスプロバイダで、通話を通して、またはオンラインでＤｅｖにネットワークサービスを適用し、そのサービスを得る。ユーザが情報または個人データを（承認のためサービスプロバイダに名前、住所、雇用者の名称および住所、クレジットカード［支払い担保のため］、端末機電話番号を）提供し、次に、サービスプロバイダがアカウント番号（サービスプラン、サービスレートなど）、ユーザＩＤ、活動化パスワード、および活動化電話番号または活動化インターネットリンク（アドレス）などの１組の情報をユーザに提供する。次いで、サービスプロバイダがユーザのアカウント情報および個人情報に基づき、ワンタイムかつ時間制限されたチケット（ワンタイム制限チケット）、トークン、または識別子ＵＴＡＩＤ（Ｕｎｉｑｕｅ  Ｔｅｍｐｏｒａｒｙ  Ａｃｔｉｖａｔｉｏｎ  Ｉｄｅｎｔｉｆｉｅｒ（固有の一時的活動化識別子）は、好ましくは：活動化タイプ／方法論、セキュリティ／暗号化キー、活動化キーからなる）を生成し、それをユーザの端末機に送信する。次に、端末機がＤｅｖにＵＴＡＩＤを渡し、Ｄｅｖが活動化キーを分離し、活動化中にサービスプロバイダにＤｅｖ自体の１つまたは複数の識別子、および他のパラメータと共に活動化キーを伝送する。この活動化キーにより、サービスプロバイダ／プロビジョンサーバがそのデータベースサーバに記憶したものに対して検証し、したがって、活動化中に加入者（加入者のアカウント）に活動化キーを関連付けることができる。ＵＴＡＩＤはまた、Ｄｅｖが受け取ったときに、Ｄｅｖが自身をサービスプロバイダのネットワークの中でそれにしたがって（ＮＡＭ、ＳＩＭ、ＵＳＩＭ、ＭｏｄＳＩＭ、または任意のカスタム化された活動化タイプ／方法論を使用して）活動化することができるようにする、ＮＡＭ、ＳＩＭ（またはＵＳＩＭもしくはＭｏｄＳＩＭ）の活動化方法論（活動化タイプ）、または任意のカスタム化された活動化タイプ／方法論を示すバイトを含むことが好ましい。ＵＴＡＩＤはまた、数学的アルゴリズムまたはセキュリティ／暗号化キーを含むことが好ましく、したがって、ＤｅｖがＵＴＡＩＤを受け取り、復号し、記憶し、実行するとき、前記Ｄｅｖの声およびデータ伝送を完全な秘密の形に暗号化する。ＵＴＡＩＤはまた、当業者に公知のように、ＤｅｖがＤｅｖのダミーＩＭＳＩを使用する代わりに、活動化中に伝送するために使用するＩＭＳＩを任意選択で含む。
【００７３】
Ｄｅｖが活動化中に提供することが好ましい他のパラメータ、たとえば：−ＮＡＭ活動化の場合のようにサービスプロバイダが機器に関連付けるＥＳＮ／ＭＥＩＤ／ＩＭＥＩ（Ｅｌｅｃｔｒｏｎｉｃ  Ｓｅｒｉａｌ  Ｎｕｍｂｅｒ／Ｍｏｂｉｌｅ  Ｅｑｕｉｐｍｅｎｔ  Ｉｄｅｎｔｉｆｉｅｒ／Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）がＤｅｖのＮＡＭの中に事前にプログラムされており、一方では、Ｄｅｖが活動化中に、Ｄｅｖに割り当てられた電話番号およびユーザのアカウント情報を記憶する。−ＳＩＭ活動化の場合のようにサービスプロバイダが機器（機器識別子）に関連付ける加入者（加入者識別子）およびＩＭＥＩ（Ｉｎｔｅｒｎａｔｉｏｎａｌ  Ｍｏｂｉｌｅ  Ｓｔａｔｉｏｎ  Ｅｑｕｉｐｍｅｎｔ  Ｉｄｅｎｔｉｔｙ）に関連付けるダミーＩＭＳＩまたはＩＭＳＩ（提供された場合には、ＵＴＡＩＤから復号されるＩｎｔｅｒｎａｔｉｏｎａｌ  Ｍｏｂｉｌｅ  Ｓｕｂｓｃｒｉｂｅｒ  Ｉｄｅｎｔｉｔｙ）がユーザのアカウント情報と共に、活動化中にＤｅｖのＳＩＭメモリ記憶モジュール領域の中に記憶されることができる。
【００７４】
好ましくは、サービスプロバイダはまた、Ｄｅｖ  ＩＤパラメータ（図５／図６の５４２／６４２）、たとえば：Ｄｅｖのメモリにすでに常駐するＤｅｖのＳＮ（シリアル番号）、型番、機器の製造業者名を機器に関連付けることができ、一方では、ユーザのアカウント情報、Ｄｅｖの割り当てられた電話番号、およびＴＭＳＩが、ＭｏｄＳＩＭ活動化の場合のように、活動化中にＤｅｖのメモリ記憶モジュールの中に記憶されることができる。
【００７５】
事前の活動化−未登録の端末機：普通の端末機は通常、活動化ソフトウェアおよびアプリケーションソフトウェアを含まない。活動化ボタン（好ましくは、車両に応用する場合、内蔵型ガレージドア開閉機が存在する車両内のバックミラー近くに類似する場所に配置される、または自宅システムに応用する場合、もしくはＤｅｖが図１８Ｃの画面１８０２Ｃ／１８３２Ｃの１８１４Ｃ／１８４４Ｃに示すような表示装置を備えるとき、筐体の側面のそばに配置される）が押されたとき、ＤｅｖがＳＲＣ媒体を介して端末機（Ｄｅｖに未登録）に活動化問合せを送信し、適切な応答を待つ。端末機から応答がない、または正しくない応答が返信されたとき、Ｄｅｖは、端末機が適切なアプリケーションソフトウェアを含んではいないと仮定し、端末機にサーバの位置へのリンクを提供するテキストメッセージを送信し、ユーザが、Ｄｅｖを活動化し、アプリケーションソフトウェアを走らせてＤｅｖと通信するために、アプリケーションサーバ（Ａｐｐ  Ｓｅｒｖｅｒ）から端末機の中に活動化ソフトウェアおよびアプリケーションソフトウェアをダウンロードする必要があることをユーザに通知する。次いで、ユーザが活動化ソフトウェアおよびアプリケーションソフトウェアをダウンロードするために次に進む。ダウンロード前、またはダウンロード中、Ａｐｐサーバは、好ましくは、要求されたダウンロードバージョンが最新かどうか調べて、必要がある場合（端末機にソフトウェアの最新バージョンをダウンロードすることに加えて）、Ｄｅｖもまた最新バージョンで更新される（ダウンロードされる）必要がある。これが該当する場合、端末機が端末機自身の活動化ソフトウェアおよびアプリケーションソフトウェアだけでなく、最新バージョンのＤｅｖのアプリケーションもＡｐｐサーバからＤｅｖのメモリ記憶装置にダウンロードし、次いで、それをＤｅｖに伝送する、または端末機がＤｅｖにダウンロード・ウェブ・リンクと共にＡｐｐ更新コマンドを伝送し、前記Ｄｅｖに前記アプリケーション更新をダウンロードさせる。各携帯電話サービスプロバイダは、Ｄｅｖの製造業者と協力して、端末機およびＤｅｖ自身の活動化ソフトウェアおよびアプリケーションソフトウェアを供給し、好ましくは、サービスプロバイダはまた、ＯＴＡ（Ｏｖｅｒ  Ｔｈｅ  Ａｉｒ）活動化およびＯＤＡ（Ｏｎ  Ｄｅｍａｎｄ  Ａｃｔｉｖａｔｉｏｎ）活動化をサポートする。
【００７６】
Ｄｅｖ活動化：ユーザがＤｅｖを使用する前に、Ｄｅｖが（ネットワークの中に登録するとき）認識され、したがって、サービスプロバイダのネットワークの中で許可されることができるように活動化される必要があり、その結果、呼び出す／メッセージを送信する、または他の機器から呼出し／メッセージを受け取ることができる。ユーザは、Ｄｅｖを活動化する際にユーザの端末機を利用する、すなわち、サービスプロバイダからＵＴＡＩＤを得るための事前の活動化データ（活動化ユーザＩＤ１２２６／１４２６、活動化パスワード１２２８／１４２８）を端末機のタッチ画面およびキーボード１２３５／１４３５から入力することができる。Ｄｅｖがサービスプロバイダのネットワークの中で認識され、接続された後にメッセージを送信するまさに最初の機器が端末機の電話機であるので、ユーザはまた、図１２／図１４に示すように、Ｄｅｖに別個の情報を、たとえば：端末機の電話番号１２２９／１４２９を（アカウント情報と共に）提供する。活動化後、Ｄｅｖがパワー・オン・リセット２４９（図２／図３／図４）を行い、次いで、当業者に公知のように、（図１５Ａ／図１５Ｂ、図１６Ａ／図１６Ｂ、図１７／図１７Ａの１５１９Ａ／１５１９Ｂ、１６１９Ａ／１６１９Ｂ、および１７１９／１７１９Ａで）ネットワークにより登録され、認識される。好ましくは、ユーザがＯＫメッセージで確認を戻さなければならないので、Ｄｅｖは、Ｄｅｖの通信リンクが端末機まで確立されたことがわかり、ユーザが直後にＤｅｖの初期化／構成処理を開始することができる。
【００７７】
端末機がＤｅｖと通信している間、端末機のＩＤ（すなわち、図１２／図１４の１２２９／１４２９の端末機の電話番号）および／またはＭＳＫが、好ましくはカプセル化され、そのデータが端末機の１つまたは複数のコマンドパケットで（すでに述べたようにＵＴＡＩＤで提供される同じセキュリティ／暗号化キーを使って）暗号化され、その結果、Ｄｅｖが、前記１つまたは複数のパケットを受け取ったとき、好ましくはデータを解読し、カプセル化解除（カプセル化の逆）する、または１つまたは複数のコマンドパケットから端末機の電話番号および／または関連するＭＳＫを分離する。次に、Ｄｅｖが、Ｄｅｖが記憶した端末機番号で端末機の電話番号を参照する、および／または端末機の電話番号に関連するＭＳＫを検証し、一致する場合だけ応答する。それ以降、Ｄｅｖが携帯電話ネットワーク１１８、または携帯電話およびインターネットネットワークを介して端末機と通信する（当業者に公知のように、Ｄｅｖは、端末機がＤｅｖの近傍の範囲内、またはＳＲＣネットワーク１０４の範囲内にあるとき、ＳＲＣネットワーク１０４を介して好ましくは自動的に端末機と通信するように切り替えることができる）。次いで、Ｄｅｖが、情報、たとえば：パスワード（セキュリティ追加のため）、ユーザの電子メールアドレス（パスワード回復のため）を使って、端末機を介してユーザにより初期化される、または構成されることができ、これらの情報をＤｅｖのメモリの中に記憶する。次いで、ユーザが、それ以降、ユーザが意図するタスクのためにＤｅｖをプログラムし、制御し、監視することができる。一方、Ｄｅｖが通信中（発呼ＩＤなし）にＤｅｖのＩＤ（すなわち、電話番号）を送信しないことが好ましく、換言すれば、サービスプロバイダが、サービスプロバイダのサービスを受けているすべてのＤｅｖが、発呼ＩＤなしの呼出し／テキストを拒絶するようにプログラムされている端末機とさえ通信することができるように、サービスプロバイダのサービスを受けているすべてのＤｅｖに１つの同じダミー番号を割り当てる。この仕組みにより、ＤｅｖがＤｅｖの呼出し番号ＩＤをさらさないように隠し、したがって、前記ＤｅｖがＤｅｖの閉ループ円内にある他の機器とだけ通信するので、Ｄｅｖがサービス妨害（ＤｏＳ）攻撃を受けるのを最小にする。
【００７８】
ユーザはまた、好ましくはアカウント・セキュリティ・パスワード（保護を加えるため）と共にユーザの端末機を使用して、追加の端末機を加えるように命令することができ、Ｄｅｖが追加の端末機と通信することができるようになり、前記１つまたは複数の端末機のサービスでこれらの端末機によりＤｅｖのタスクを行うように指示される。
【００７９】
Ｄｅｖの活動化は以下のいずれかとすることができる。
【００８０】
・ＮＡＭ（Ｎｕｍｂｅｒ  Ａｓｓｉｇｎｍｅｎｔ  Ｍｏｄｕｌｅ）の使用
【００８１】
ＮＡＭの主要なパラメータが、割り当てられた電話番号、ＭＩＮ／ＩＭＳＩ、システムＩＤ（ＥＳＮ／ＭＥＩＤ／ＩＭＥＩ）、アクセス・オーバーロード・クラス、グループＩＤマーク、初期ページングチャネル、ロックコード、ローカル・ユース・フラグ、Ａ／Ｂシステム選択、およびＭＩＮマークフラグである。
【００８２】
・ＳＩＭ（Ｓｕｂｓｃｒｉｂｅｒ  Ｉｄｅｎｔｉｆｉｃａｔｉｏｎ  Ｍｏｄｕｌｅ）の使用
【００８３】
ＳＩＭの主要なパラメータが、ＩＭＳＩ、ＴＭＳＩ（一時的ＩＭＳＩ）、ＭＳＩＳＤＮ、および認証キー（Ｋｉ）、ならびに場合によってはＩＣＣＩＤおよびＩＭＥＩである。
【００８４】
・ＭｏｄＳＩＭ（Ｍｏｄｉｆｉｅｄ  ＳＩＭ）の使用
【００８５】
ＭｏｄＳＩＭの主要なパラメータが、割り当てられた電話番号、ＴＭＳＩ、Ｄｅｖ  ＩＤパラメータ、および認証キー（Ｋｉ）である。
【００８６】
方法およびシステムについて以下の図面で、後で詳細に説明する。これは、この方法およびシステムが、当業者に公知のように、Ｄｅｖが活動化されるただ３つだけの方法であることを意味するわけでは決してない。新しい、よりよい活動化の方法が必要であるとき、Ｄｅｖは、技術が変化し、改善されたときに、本発明で説明するように、ダウンロードされることができる適切なソフトウェアを使って要件に適合することができる。
【００８７】
活動化ソフトウェアおよびアプリケーションソフトウェアは、端末機とＤｅｖの両方に存在する。
【００８８】
・活動化ソフトウェアは、Ｄｅｖ活動化中にＤｅｖおよび端末機の両方により、ならびにＤｅｖおよび端末機のそれぞれの間で、またはＤｅｖおよび端末機の両方のそれぞれの間で、プロビジョンサーバと共に使用され、実行される。
【００８９】
アプリケーションソフトウェアが、端末機およびＤｅｖが互いに通信するときに使用され、実行される。ソフトウェアが無線ネットワーク（携帯電話、インターネット）上でダウンロードされる、または更新されたソフトウェアが、同じくより新しい、改善されたバージョンを走らせるためにダウンロードされる（これらのソフトウェアプログラムは、本発明が機器アプリケーション記憶サーバ、すなわちＡｐｐサーバ１０８と呼ぶサーバに記憶される）。
【００９０】
活動化期間中、端末機とＤｅｖの間の通信は、Ｂｌｕｅｔｏｏｔｈ（登録商標）、無線ＵＳＢ、ＮＦＣ、Ｗｉ−Ｆｉ、無線ＬＡＮ、または当業者に公知の任意の無線周波数（ＲＦ）技術であるＳＲＣ（短距離通信）を介す。
【００９１】
Ｄｅｖがうまく活動化に成功した後、次いで、初期化リセット（または自己電源リサイクル）を走らせ、次いで、ネットワークの中に登録する（したがって、サービスプロバイダのネットワークにより認識される）。それ以降、ＤｅｖがＤｅｖのアプリケーションソフトウェアを走らせ、実行して、ユーザの端末機と通信する（すでに述べたように、端末機はまた、スマートホン、タブレット、タブレットＰＣ、ラップトップＰＣ、ｉＰａｄ（登録商標）のような機器、ＰＤＡ（携帯情報端末）、任意の携帯可能な電子機器、または移動体機器とすることができる）。それに対応して、ユーザがユーザの端末機（端末機のアプリケーションソフトウェアをダウンロード済み）を利用して、端末機の立派な画面および関連するアイコンを注意深く調べ、スクロールすることによりＤｅｖと通信して、Ｄｅｖ１０６をプログラムし、それによって、Ｄｅｖのプログラムされたタスクを制御し、命令し、監視し、見る。ユーザはまた、特定の許可されていないイベントが発生したとき、Ｄｅｖによりユーザの端末機を通して通知を受ける（警告を受ける）。
【００９２】
Ｄｅｖをプログラムし、制御し、監視するための方法およびシステムについて以下で説明する。
【００９３】
本発明の一様態によれば（図８〜図１０）、Ｄｅｖが（Ｄｅｖの活動化ボタンが押された後）Ｄｅｖを活動化するために、ＡｐｐサーバのＵＲＬを使って、必要な活動化ソフトウェアおよびアプリケーションソフトウェアを前記サイトから端末機の中にダウンロードするようにユーザに指令するテキストメッセージをユーザの端末機に伝送することにより動き出し、次いで、端末機がＤｅｖと通信するために、ダウンロードされたアプリケーションを走らせ、実行する。
【００９４】
本発明の一様態によれば（図１１／図１３）、ユーザが自動車／自宅Ａｐｐ（アプリケーション）アイコン１１０４／１３０４をダウンロードした後、端末機を自動車／自宅Ａｐｐメニュー１１２２／１３２２にナビゲートする前記アイコンを実行する。自動車／自宅Ａｐｐメニューは、ユーザに多くの選択を可能にし、選択の１つが、以下のコマンドアイコン（ユーザが実行することができ、適用可能な場合、説明するように、図面内の以下のコマンドにつながる）、すなわち：Ｄｅｖ活動化１１５４／１３５４（図１２、図１４、図１５Ａ〜図１７Ａ）、Ｄｅｖ非活動化１１６２／１３６２，Ｄｅｖ構成１１５６／１３５６（図２４Ｂ）、端末機・Ｄｅｖ  Ａｐｐ更新１１６４／１３６４（図２７）、端末機登録１１５８／１３５８（図２５）、Ｄｅｖ情報１１６６／１３６６（図２８Ａ）、他の端末機追加１１７２／１３７２（図２１Ａ／図２１Ｂ）、紛失した端末機のロケータ１１７０／１３７０（図３９）、紛失した（または使用されない）端末機除去１１７６／１３７６（図２３）、新しく登録された端末機のサインイン１１７４／１３７４（図２２）、Ｄｅｖ初期化１１７８／１３７８（図１９／図２０）、マルチアカウントの有効化１１７９／１３７９、およびＡｐｐサーバ登録抹消１１７７／１３７７を提示する自動車／自宅設備メニュー１１５２／１３５２に端末機をナビゲートする自動車／自宅Ｄｅｖ設備アイコン１１２４／１３２４を実行することである。Ｄｅｖ  Ａｐｐサーバ登録１１７５／１３７５は、ユーザにＤｅｖをオンラインで登録させ、所有者のユーザＩＤ、パスワード、電子メールアドレス、端末機電話番号、およびＤｅｖのＳ／Ｎなどを提供することにより、Ａｐｐサーバでアカウントを作成する。アカウントにより、端末機を有するユーザがＤｅｖを制御および監視することができるようになり、次に、特定のイベントが発生した場合、Ｄｅｖが電子メールおよび／またはＳＭＳメッセージへのメールを介して通信し、ユーザの端末機に警報を発する。
【００９５】
自動車Ａｐｐメニュー１１２２の他のコマンドの実行、たとえば：自動車制御・監視アイコン１１３２が図３０に示され、エンジン状態アイコン１１２６が図４２Ａに示され、通行料金支払口座アイコン１１３４が図３３および図３７に示され、第三者制御・監視アイコン１１３０が図４２Ｂに示され、運転挙動１１４２および重量制限１１４４アイコンが図４２Ｃに示され、自動車／自宅Ｄｅｖアイコン１１４６／１３４６が図２８Ｂに示されている。パニックアイコン１１２８により、ユーザが潜在的住居侵入者／泥棒を思いとどまらせるように車の警報をオンにすることができるようになる。ロック／ロック解除アイコン１１３６がユーザに車を遠隔でロック／ロック解除させ、セルフパーキング１１３８およびセルフピックアップ１１４０により、そうするように命令されたとき、Ｄｅｖがユーザの車両をセルフパークし、セルフドライブして運転者をピックアップするようにユーザが命令する。
【００９６】
自宅Ａｐｐメニュー１３２２での他のコマンドの実行、たとえば：自宅制御・監視アイコン１３２６が図４３に示され、自宅ドアロック１３３２、ロック解除１３３４アイコンが図５６Ｂに示され、自宅警報オン１３３６、オフ１３３８アイコンが図４５に示され、ガレージ開閉機アイコン１３４０が図５５Ｂに示され、家庭用電気器具アイコン１３４４が図４８〜図５４に示されている。
【００９７】
本発明の一様態によれば（図１２、図１４、図１５Ａ〜図１７Ａ）、この場合、ユーザが、Ｄｅｖ設備メニュー（図１１／図１３）の活動化アイコンを実行することにより、Ｄｅｖのためのサービスアカウントを申し込み、ユーザの携帯電話プロバイダからＤｅｖのためのサービスアカウントを得た後に、Ｄｅｖ活動化処理を開始する。ＮＡＭ（図１５Ａ／図１５Ｂ）、ＳＩＭ（図１６Ａ／図１６Ｂ）、ＭｏｄＳＩＭ（図１７／図１７Ａ）、または任意の新しい、もしくは改善された活動化方法論とすることができる活動化処理の間、またはその前に、端末機がサービスプロバイダまたはプロビジョンサーバからＵＴＡＩＤ（活動化キーおよび他のパラメータを含むＵｎｉｑｕｅ  Ｔｅｍｐｏｒａｒｙ  Ａｃｔｉｖａｔｉｏｎ  Ｉｄｅｎｔｉｆｉｅｒ）を受け取り、次いで、ＵＴＡＩＤを（ＳＲＣ媒体を介して）Ｄｅｖに渡す。ＤｅｖがＵＴＡＩＤから活動化キーを取得し、活動化処理を完了するために、プロビジョンサーバにＤｅｖの１つまたは複数の識別子および他の活動化パラメータと共に活動化キーを伝送する（図１２、図１４、図１５Ａ〜図１７Ａ）。次いで、Ｄｅｖが登録し、したがって、ネットワークにより認識され、それ以降、端末機および他の登録済み移動体機器と通信することができる。活動化処理中、端末機はまた、Ｄｅｖに（自動的に、またはユーザにより入力された）端末機の電話番号を伝送し、ＤｅｖからＭＳＫを受け取り、Ｄｅｖはまた、ネットワークに接続されることができた後に、前記端末機に（携帯電話を介して）確認メッセージを送り返す。Ｄｅｖが端末機から確認肯定応答を受け取るとすぐに、初期化アイコン（図１２／図１４の画面１２８０／１４８０の１２９０／１４９０または１２９４／１４９４、Ｄｅｖに割り当てられた電話番号を含む）を送り返し、ユーザが初期化アイコンを実行して、ユーザの端末機およびＤｅｖの初期化処理を開始し（図１９／図２０）、前記端末機が前記Ｄｅｖとの通信でＤｅｖの電話番号を使用することができるようになる。端末機（または有線／無線機器）の携帯電話（または他の無線長距離ネットワーク）がＤｅｖと日常的に通信する間、１つまたは複数のパケットを伝送するので、暗号化されたＭＳＫが符号化されることが好ましく、前記ＭＳＫがＤｅｖのメモリに記憶されたものと一致する場合だけ、Ｄｅｖが応答を戻す。
【００９８】
本発明の一様態によれば（図１８Ａ）、ユーザが、好ましくは、アイコン１４１９（図１４）を実行することにより端末機模倣活動化（Ｈａｎｄｓｅｔ  Ｉｍｉｔａｔｉｏｎ  Ａｃｔｉｖａｔｉｏｎ、ＨＩＡ）を開始することができる。ＨＩＡでは、ＤｅｖがＳＲＣを介して端末機から活動化コマンド、プロビジョンサーバのウェブアドレス、ユーザＩＤ、パスワード、および端末機の電話番号を受け取ることにより活動化を開始し、次に、端末機にＭＳＫを送り返す。次いで、Ｄｅｖが端末機のサービスパラメータを受け取り、それによって、（端末機の）携帯電話ネットワークに接続し、次いで、プロビジョンサーバに活動化リクエストおよび活動化パラメータを伝送し、前記プロビジョンサーバからサービスパラメータおよび肯定応答を受け取り、ネットワーク（携帯電話のネットワーク）に接続することができる。
【００９９】
本発明の一様態によれば（図１８Ｂ）、ユーザが、好ましくは、アイコン１４１３（図１４）を実行することにより手作業での活動化を開始することができる。手作業での活動化では、ユーザがユーザの端末機を使用してサービスプロバイダのプロビジョンウェブサイト１８４４Ｂに移動し、Ｄｅｖの情報、ならびに口座請求および活動化コードを記入し、活動化を実行し、それによって、Ｄｅｖがネットワークに接続することができるようになる。
【０１００】
本発明の一様態によれば（図１８Ｃ）、Ｄｅｖが、任意選択で、ユーザが直接対話することができるビデオ表示装置を備えることができる（図２／図３／図４のビデオコネクタ２７２）。自動車への応用では、表示装置が車両の多くで、計器盤コンソール上ですでに利用可能であり、車両内では、Ｄｅｖが前記表示装置１８０２Ｃを他の機能と共用することができる。自宅への応用では、分離された別個のビデオ表示装置１８３２Ｃが、推定上Ｄｅｖのフロントパネルのそばに装着されているとして示されている（自宅制御および監視システム）。
【０１０１】
本発明の一様態によれば（図１８Ｄ）、ユーザが、好ましくは、ＳＩＭ／ＵＳＩＭカードを介して、前記カードをＤｅｖのＳＩＭコネクタ１８２１Ｄの中に挿入することにより、Ｄｅｖ登録／活動化処理を開始する選択肢を有する。図１８Ｃに示すように、この選択肢は以下のいずれかである：１．この選択肢は、Ｄｅｖから、ハードキーパッド１８０６Ｃおよびソフトキーボード１８２２Ｃを有する計器盤コンソール表示装置１８０２Ｃ（自動車への応用）、またはソフトキーボード１８５２Ｃを有するフロントパネル表示装置１８３２Ｃ（自宅への応用）への有線／無線コネクタ（図示せず）を必要とする。この選択肢はまた、キーパッド−キーボードおよび表示装置のファームウェア・ドライバ・モジュール（図５／図６のブロック５６８／６６８）を必要とする。計器盤コンソールのハードキーパッドは、好ましくは、情報表示用のいくつかのボタン、たとえば：業界により一般に実施されるような、ＧＰＳ情報用のＧＰＳ（図１８Ｃの１８０８Ｃ）、ラジオ用のＡＭ／ＦＭ（図１８Ｃの１８１０Ｃ）、Ｄｅｖ監視および制御用のＭ／Ｃ（図１８Ｃの１８１２Ｃ）からなる。２．図１２および図１４ですでに説明したような画面に類似して、Ｄｅｖの画面１８１６Ｄ、１８３０Ｄ、１８４６Ｄ、および１８６６Ｄはまた、ＳＲＣを介して前記Ｄｅｖにより伝送される端末機画面１０６上に出現するので、分離した表示装置をＤｅｖが有する必要がない。
【０１０２】
本発明の一様態によれば（図１９／図２０）、ユーザが、ユーザの端末機の受信箱（図１２／図１４の画面１２８０／１４８０）にたった今受け取った初期化アイコン（１２９０／１４９０または１２９４／１４９４）を、Ｄｅｖ１０６から（１８７８Ａ／１８７６Ｂ／１８８８Ｄ）、またはユーザから（図１８Ａ／図１８Ｂ／図１８Ｄの、または１８８０Ａ／１８７８Ｂ／１８９０Ｄ）実行する。次いで、必要な情報をユーザが入力することができる画面１９０２／２００２に端末機１０２がナビゲートする。次いで、ユーザが、必要なパラメータ、たとえば：ユーザの選択したアカウント・セキュリティ・パスワード１９１４／２０１４および１９１６／２０１６（セキュリティ追加のため）、ユーザの端末機自身の選択されたパスワード１９１８／２０１８、電子メールアドレス（パスワード回復のため）、車両識別子、自宅住所、および緊急通報専用電話番号（たとえば、北米では９１１、または地理的位置および国の位置に応じた他の番号）を入力し、これらのパラメータはすべて、処理および記憶するために、端末機によりＤｅｖに伝送される。初期化中、端末機はまた、当業者に公知のように、Ｄｅｖとの通信で端末機のアプリケーションにより使用されるＤｅｖの電話番号（１２２６）を得て、記憶する。
【０１０３】
本発明の一様態によれば（図２１Ａ）、新しい端末機１０２が、登録済み端末機１０２によりＤｅｖ１０６の中に追加される（登録される）ことができ、何の制限もなく前記登録済み端末機と同じように前記Ｄｅｖ１０６を制御することができる。
【０１０４】
本発明の一様態によれば（図２１Ｂ）、新しい端末機１０２が、登録済み端末機１０２によりＤｅｖ１０６の中に追加される（登録される）ことができ、前記Ｄｅｖ１０６を制御する際、限定された機能を有する。
【０１０５】
本発明の一様態によれば（図２２）、たった今、新しく追加された端末機１０２が、前記端末機がＤｅｖを操作し、Ｄｅｖと通信するためにＤｅｖの命令に従うよう前記端末機の所有者に指令するアプリケーション・ダウンロード・リンクおよびメッセージをＤｅｖから受け取り、Ｄｅｖはまた、前記新しい端末機がそのタスクを完了したとき、登録中の端末機１０２について所有者に通知する。
【０１０６】
本発明の一様態によれば（図２３）、登録済み端末機が他の登録済み端末機によりＤｅｖから取り除かれる（登録抹消される）ことができる。
【０１０７】
本発明の一様態によれば（図２４Ａ）、ユーザが３回試みた後に一致するパスワードを入力できなかった後、Ｄｅｖがパスワード回復処理を実行する。Ｄｅｖが電子メールサーバにパスワード回復コマンドを伝送し、電子メールサーバが、回復されたパスワードを電子メールで前記ユーザに送る。
【０１０８】
本発明の一様態によれば（図２４Ｂ）、ユーザが、特定の情報、たとえば：１つまたは複数の車両ナンバープレート、家の住所、パスワード、１つまたは複数のアカウント番号、電子メールアドレス、および救命救急センタの電話番号などを変更する、取り除く、および／または更新するために、端末機を利用してＤｅｖを構成する。
【０１０９】
本発明の一様態によれば（図２４Ｃ）、ユーザが端末機を利用して、Ｄｅｖから機器情報を取り出す。
【０１１０】
本発明の一様態によれば（図２５）、ユーザが新しい端末機を利用して、Ｄｅｖの中に前記端末機を登録する。登録コマンドがユーザに情報を、たとえば：正しいアカウント・セキュリティ・パスワード、新しい端末機の電話番号（２回）、端末機のパスワード（２回）、およびＤｅｖの電話番号（新しい端末機がコマンドを伝送するために使用し、前記Ｄｅｖから新しい端末機の登録に対する確認応答を受け取ったとき、Ｄｅｖの電話番号を新しい端末機のメモリの中に保存する）を入力するように要求する。Ｄｅｖがアカウント・セキュリティ・パスワードを検証し、次いで、それぞれ２回入力された端末機の電話番号入力、および端末機が選択したパスワード入力の両方が一致することを確かめる。すべての情報が正しい場合、Ｄｅｖが端末機に確認応答およびＤｅｖの機器情報を送信し、それ以降、Ｄｅｖと端末機の両方が互いに通信することができる。登録処理中、Ｄｅｖはまた、Ｄｅｖのメモリの中にそのような登録について１人または複数のユーザに通知すべき何かがある場合、１つまたは複数の他の登録済み端末機に警告メッセージを伝送する。
【０１１１】
本発明の一様態によれば（図２６）、ユーザが、活動化ボタン２０２（図２／図３／図４）を使用して、新しい端末機をＤｅｖの中に活動化または登録しようとする。Ｄｅｖがその時点にどんな携帯電話サービスも有しない場合、すでに説明したように、活動化処理を開始する。そうでなければ、処理を走らせるために、正しいアプリケーションが必要であることを登録中の端末機ユーザに通知する。次いで、ユーザが、そのアプリケーションをオンラインでダウンロードする（端末機がそのアプリケーションを含まない場合）、またはそのアプリケーションを走らせる（端末機が前記ソフトウェアを含む場合）（Ｄｅｖはまた、登録済み端末機の電話番号をいくつか自身のメモリに有するかどうかを確かめる。Ｄｅｖが何も含まない場合［Ｄｅｖが端末機を用いて活動化されなかったことを意味する］、ＳＩＭカードをＤｅｖのスロット［図２／図３／図４の２７０］の中に差し込まなければならず、Ｄｅｖは、ユーザにアカウントに対するセキュリティパスワード、ユーザが登録中の端末機の電話番号、および前記端末機のために選択したパスワードを入力させることにより、ユーザが初期化することができるようにする）。Ｄｅｖが、すでに示したように（図２５の画面２５０２）、端末機から登録コマンドおよびそのデータを受け取ったとき、コマンドおよびデータを検証し、処理し、さらに（もし何かあれば）試みた動作について１つまたは複数の他の端末機に警告を発する。登録処理中、警告を発せられた端末機のどれかが「Ｎｏｔ  ＯＫ」メッセージ２６６２を送り返す場合、登録は直ちに中断される；またはＤｅｖがＯＫ２６５８を受け取った場合、登録はアカウント・セキュリティ・パスワードの入力および検証なしに直ちに開始することができる。保護を追加するために、警報を発せられた端末機のユーザに対してアカウント・セキュリティ・パスワードが必要であり、その後、ユーザがそのような処理が行われることができるようにする、またはそのような処理ができないようにすることが可能である。
【０１１２】
本発明の一様態によれば（図２７）、ユーザが端末機を利用して、端末機１０２およびＤｅｖ１０６の最新バージョンのアプリケーションに更新することができる。端末機が、前記ＤｅｖからＤｅｖの現行バージョンのアプリケーション情報を、Ａｐｐサーバ１０８から端末機の最新バージョンおよびＤｅｖの最新バージョンを得る。ユーザが最新バージョンに更新すると決めたとき、端末機がＡｐｐサーバから最新バージョンのアプリケーションのコピーを受け取ることができるようにする更新アイコンを実行するだけである。次いで、端末機がＤｅｖにＤｅｖのアプリケーション更新ＵＲＬ（またはＤｅｖの最新バージョンのアプリケーション）を更新コマンドと共に送信し、次いで、端末機およびＤｅｖが、Ｄｅｖ自身の最新バージョンのアプリケーションをそれぞれ更新する（または、代わりに、端末機１０２が、Ａｐｐサーバ１０８からＤｅｖの更新アプリケーションを受け取り、次いで、それをＤｅｖ１０６に伝送する）。
【０１１３】
本発明の一様態によれば（図２８Ａ）、ユーザが端末機を利用して、Ｄｅｖ１０６から機器情報を取り出す。
【０１１４】
本発明の一様態によれば（図２８Ｂ）、ユーザが端末機を利用して、Ｄｅｖ１０６から機器ＩＤパラメータを取り出す。
【０１１５】
本発明の一様態によれば（図２９）、ユーザが他のサービスプロバイダに切り替えるべきときに、Ｄｅｖ１０６が新しいサービスプロバイダのネットワークに接続することができるように、類似の活動化処理を経る。ユーザが契約を結び、新しいサービスプロバイダから新しいＵＴＡＩＤを得て、好ましくは、現在のサービスプロバイダのネットワークに依然として接続している間に、（ユーザの端末機を介して）Ｄｅｖ１０６を活動化すべきである。その結果、端末機が携帯電話ネットワークを介してＤｅｖ１０６と依然として通信することができるので、ユーザが（図１１／図１３ならびに図１２および図１４で前述した活動化処理の場合のように、ＳＲＣ媒体を使用してＤｅｖ１０６と通信するために、Ｄｅｖ１０６の近傍にいなければならないのではなく）どこでも活動化を行うことができる。Ｄｅｖ１０６が活動化され、登録することができ、次いで、新しいネットワークに接続されるとすぐに、これまでのネットワークに対するＤｅｖ１０６のサービスを切断することができ、それ以降、Ｄｅｖ１０６が新しいネットワークで他の端末機（移動体機器）と通信する。Ｄｅｖの機器情報ファイルは、同じプログラムされたデータを含む、換言すれば、ユーザがＤｅｖを再初期化する、または再構成する必要がない。好ましくは、唯一の違いが新しいアカウント番号であり、場合によっては異なる番号がＤｅｖ１０６に割り当てられる。端末機１０２がＤｅｖの電話番号を（Ｄｅｖの電話番号が異なる番号であるか、またはそうではないかに関わらず）更新し、それ以降、更新された電話番号をＤｅｖ１０６との通信で使用する。Ｄｅｖ１０６はまた、好ましくは、１つまたは複数の他の端末機に１つまたは複数のコマンドを送信するので、前記１つまたは複数の端末機の１人または複数のユーザもまたＤｅｖの電話番号を更新することができる。
【０１１６】
本発明の一様態によれば（図３０）、車両の電気−機械構成要素を制御するために、たとえば：車両の点火を開始する、車両のドアをロック／ロック解除する、警報をオン／オフするなどのために、または車両のアクセサリの状態を調べるために、ユーザが端末機の自動車制御および監視メニューを利用して、Ｄｅｖ１０６と通信する。
【０１１７】
本発明の一様態によれば（図３１および図３２）、位置住所入力を車両のＧＰＳ機器の中に入力する、または記憶された入力をＧＰＳメモリから取り出すために、ユーザが端末機の制御監視メニューのＧＰＳアイコンを利用してＤｅｖ１０６と通信する。
【０１１８】
本発明の一様態によれば（図３３〜図３７）、要求されたときに必要な料金を処理し、支払い、Ｄｅｖのメモリに取引を記録する通行料金支払口座を前記Ｄｅｖ上で設定すために、ユーザが端末機の通行料金支払口座メニューを利用して、Ｄｅｖ１０６と通信する。Ｄｅｖ１０６はまた、対応するアイコンが前記端末機１０２上で実行されたとき、取引の動きを端末機に伝送する。
【０１１９】
本発明の一様態によれば（図３８）、車両の現在位置を特定するために、ユーザが端末機の制御および監視メニューの車両ロケータアイコンを利用して、Ｄｅｖ１０６と通信する。次いで、Ｄｅｖ１０６が現在位置コマンドを変換してＧＰＳに伝送し、現在のＧＰＳ位置情報を端末機１０２に戻す。
【０１２０】
本発明の一様態によれば（図３９）、紛失した登録済み端末機の位置を特定する際に、ユーザが端末機の制御および監視メニューの端末機ロケータアイコンを利用してＤｅｖ１０６と通信する。Ｄｅｖ１０６は、前記端末機１０２の位置を特定するために、ユーザが選択することができる、Ｄｅｖ１０６のリストに記載され登録済み端末機１０２を伝送して戻す。
【０１２１】
本発明の一様態によれば（図４０）、警告の選択肢付きの特定の速度制限記録履歴、および／または車両の経路追跡履歴を設定するために、ユーザが端末機の自動車制御および監視メニューの経路追跡および速度警告プログラム／状態アイコンを利用して、Ｄｅｖ１０６と通信する。次いで、Ｄｅｖ１０６が速度計およびＧＰＳと対話して、ユーザが前記端末機を使って後で検討することができる、いつどこで速度制限が発生したかの履歴、または単純な経路追跡の履歴（経路追跡の追跡サンプリング時間は最小時間の単位でプログラム可能である）を構築する。ユーザはまた、必要に応じて、Ｄｅｖから離れた位置にある記憶装置に関するネットワークサーバの宛先を書き入れる。
【０１２２】
本発明の一様態によれば（図４１Ａ）、ユーザの車両に特定のイベントが、たとえば：不法侵入が発生したことをユーザに通知する、好ましくはビデオ（またはストリーミングビデオ）データ付きのメッセージをＤｅｖ１０６がユーザの端末機に伝送する。ユーザは、イベントの性質、イベントが発生した日時および位置、ならびに警告を受けた登録済み端末機の電話番号を知ることができる。
【０１２３】
本発明の一様態によれば（図４１Ｂ）、ユーザの車両に特定のイベントが発生したことを、たとえば：子供またはペットが、前記駐車した車両の内部に残されている可能性があることをユーザに通知する、好ましくはビデオ（またはストリーミングビデオ）データ付きのメッセージをＤｅｖ１０６がユーザの端末機に伝送する。ユーザが、添付されたビデオを見ることができ、次いで、端末機を使って適切な動作をとり、たとえば：誤警報なので無視する、または：車のドアをロック解除する、車の窓を下げる、クラクションを鳴らす、車の警報をオンにする、熱源または空気をオンにする、ライトを点滅させる、救命救急センタを呼び出す、もしくは運転者が車に向かうという即座にとる一時的手段の組合せのうちの１つの手段をとることによりメッセージを確認し、端末機が適切な動作をＤｅｖに伝送する。
【０１２４】
本発明の一様態によれば（図４２Ａ）、車両エンジンの状態を遠隔で見るために、ユーザが端末機の自動車Ａｐｐメニューのエンジン状態アイコンを利用して、Ｄｅｖ１０６と通信する。
【０１２５】
本発明の一様態によれば（図４２Ｂ）、ユーザ（すなわち、警察官）が（たとえば、Ｄｅｖの強奪された運転者に由来する）Ｄｅｖにより、または（車両が見つからないことを報告した）登録済み端末機の所有者により伝送されたコマンドメニュー（アイコン）を警察の救急センタから受け取り、第三者の運転者が運転する、被害を受けた車両を警察官が一時的に制御することができるようにする。
【０１２６】
本発明の一様態によれば（図４２Ｃ）、ユーザが、ユーザの車の運転者の運転挙動に関するデータをユーザの安全なプライベート・クラウド・ストレージの中に記憶するために、車両が過積載のときに通知を受けるために、および混雑時間中に交通監視プログラムに関与するために、Ｄｅｖをプログラムする。
【０１２７】
本発明の一様態によれば（図４３）、警報入出力、たとえば：ドアおよび窓の入り口、動き検出、警報スピーカおよびクラクション、ならびにカメラを（簡単な数値ではなく）より記述的な用語で、たとえば：ユーザが自宅にいる、自宅から離れている、または自宅から遠く離れているときに、ＢＲ２（寝室＃２の窓）の中のドア／窓の入り口＃１、玄関の中への動き入力＃１（動き検出器）、裏庭の中のカメラ＃５（カメラ）を構成するために、ユーザが端末機の自宅制御および監視メニューの警報構成アイコンを利用して、Ｄｅｖ１０６と通信する。
【０１２８】
本発明の一様態によれば（図４４）、ユーザが自宅にいる、自宅から離れている、または自宅から遠く離れているときに、家の中のさまざまな窓、動き検出器、およびカメラを監視し、見るために、ユーザが端末機の自宅制御および監視メニューの状態／監視アイコンを利用して、Ｄｅｖ１０６と通信する。
【０１２９】
本発明の一様態によれば（図４５）、ユーザが自宅にいる、自宅から離れている、または自宅から遠く離れているときに、家の警報システムをプログラムし、作動状態にするために、ユーザが端末機の自宅セキュリティメニューのプログラム／制御アイコンを利用して、Ｄｅｖ１０６と通信する。
【０１３０】
本発明の一様態によれば（図４６）、ユーザの家に特定のイベント、たとえば：不法侵入が発生したことをユーザに通知する、好ましくはビデオ（またはストリーミングビデオ）データ付きのメッセージをＤｅｖ１０６がユーザの端末機に伝送する。次いで、ユーザが、自宅から離れている、または自宅から遠く離れているときに、いつどこで（どの入り口および時刻に）イベントが発生したかを、端末機を通して見て、見つけ出すことができる。
【０１３１】
本発明の一様態によれば（図４７）、カメラ監視機器で特定のイベントが発生したことを、たとえば：所有者が自宅にいる、自宅から離れている、または自宅から遠く離れているときに、ユーザの家の外側で動く物体を検出したことをユーザに通知する、好ましくはビデオ（またはストリーミングビデオ）データ付きのメッセージをＤｅｖ１０６がユーザの端末機に伝送する。
【０１３２】
本発明の一様態によれば（図４８〜図５１）、家庭用機器の存在を発見する、または見つけ出すために、ユーザが端末機の自宅電気器具メニューの電気器具追加アイコンを利用して、Ｄｅｖ１０６と通信する。次いで、端末機が家庭用機器を接続させ、それらのソフトウェアアプリケーションをＤｅｖ１０６に、次いで、端末機に転送させる；またはユーザがソフトウェアアプリケーションをユーザの端末機にダウンロードし、次いで、ユーザの端末機がソフトウェアアプリケーションをＤｅｖに伝送することができるようにするＵＲＬ（ウェブリンク）を家庭用機器に提供させる、またはＤｅｖが前記ＵＲＬからアプリケーションを自動的にダウンロードすることができる。次いで、ユーザが自宅にいる、自宅から離れている、または自宅から遠く離れているときに、これらのアプリケーションを走らせて、これらの前記機器を遠隔で制御することができる。
【０１３３】
本発明の一様態によれば（図５２）、ユーザが自宅にいる、自宅から離れている、または自宅から遠く離れているときに、もはや使用されていない１つまたは複数の特定の家庭用機器を取り除くために、端末機の自宅電気器具メニューの電気器具削除アイコンを利用して、Ｄｅｖ１０６と通信する。
【０１３４】
本発明の一様態によれば（図５３）、ユーザの端末機１０２およびＤｅｖ１０６の両方が、ユーザが自宅にいる間、ＳＲＣネットワークを介して家庭用機器と通信する。
【０１３５】
本発明の一様態によれば（図５４）、ユーザが自宅にいる間、ユーザの端末機１０２がＳＲＣネットワークを介してＤｅｖ１０６および家庭用機器の両方と通信する（Ｄｅｖ１０６と家庭用電気器具の間の通信は維持されるが、端末機が存在するため、動作状態になく、Ｄｅｖが前記家庭用電気器具に端末機のコマンドを渡さないことを意味する）。
【０１３６】
本発明の一様態によれば（図５５Ａ）、ユーザが自宅にいる、自宅から離れている、または自宅から遠く離れているときに、ケーブルおよびテレビの番組をプログラムし、録画し、見るために、端末機の自宅電気器具メニューのケーブルボックス／テレビアイコンを利用して、Ｄｅｖ１０６と通信する。
【０１３７】
本発明の一様態によれば（図５５Ｂ）、１つまたは複数のガレージのドアを開ける、または閉めるために、ユーザが端末機の自宅電気器具メニューまたは自宅Ａｐｐメニューのガレージ開閉機アイコンを利用して、Ｄｅｖ１０６と通信する。Ｄｅｖはまた、ユーザが自宅にいる、自宅から離れている、または自宅から遠く離れているときに、ガレージが閉まっているか開いているかをユーザに知らせる。
【０１３８】
本発明の一様態によれば（図５６Ａ）、ユーザが、自宅にいる、自宅から離れている、または自宅から遠く離れているときに、たとえば：中央空調装置をいつ何°でオンにするか、何°でオフにするかについて、中央空調装置をプログラムして、いつでも中央空調装置の状態をリアルタイムで制御し、見るために、ユーザが端末機の自宅電気器具メニューの熱源／空調アイコンを利用して、Ｄｅｖ１０６と通信する。
【０１３９】
本発明の一様態によれば（図５６Ｂ）、ユーザが自宅にいる、自宅から離れている、または自宅から遠く離れているときに、主要なドアの入り口をロックまたはロック解除するために、端末機の自宅電気器具メニューまたは自宅Ａｐｐメニューのドア・ロック・アイコンを利用して、Ｄｅｖ１０６と通信する。
【０１４０】
本発明の一様態によれば（図５７）、ユーザが、造園スプリンクラをプログラムするために、たとえば：週のどの１日または複数日に、何時に、およびどれくらいの時間、ならびにどの１つまたは複数の場所でスプリンクラシステムをオンにして、景観（庭、および家の植物など）に水をまくかをプログラムするために、端末機の自宅電気器具メニューのスプリンクラアイコンを利用して、Ｄｅｖ１０６と通信する。スプリンクラはまた、自宅で、自宅から離れて、または自宅から遠く離れて、端末機を介してユーザによりいつでもオンまたはオフにすることができる。
【０１４１】
本発明の一様態によれば（図５８および図５９）、ユーザが、毎月の電気支払口座を設定するために、端末機の自宅電気器具メニューの電気メータアイコンを利用してＤｅｖ１０６と通信するので、ユーザが自宅にいる、自宅から離れている、または自宅から遠く離れているときに、Ｄｅｖ１０６が電力量計指針結果を毎月取得し、次いで、指針結果を公益事業会社に伝送し、公益事業会社が自動的に支払いを受け取る、またはユーザに請求し、次いで、ユーザがユーザの端末機を介して請求の支払いをする。
【０１４２】
本発明の一様態によれば（図６０Ａ）、ユーザが、敷地から遠く離れているときに、ユーザの端末機を介してヘルプ警告機器の着用者を監視し、着用者と通信するために、端末機の自宅電気器具メニューのヘルプ警告アイコンを利用して、Ｄｅｖ１０６と通信する。
【０１４３】
本発明の一様態によれば（図６０Ｂ）、ユーザが端末機の自宅電気器具メニューのドアベル・インターホンアイコンを利用して、Ｄｅｖ１０６と通信し、だれかがドアベルを鳴らしたときに、Ｄｅｖ１０６がインターホンに接続し（端末機を介して）ユーザに応答させる。この特徴により、自宅から離れている所有者が、まさに自宅にいるようにドアに応答することができるようになる。
【０１４４】
本発明の一様態によれば（図６１）、ユーザが、自宅にいる、自宅から離れている、または自宅から遠く離れているときに、ペットの日常の必需品用にスマート・ペット・ドア・システムをプログラムし、設定し、その構成要素をリアルタイムで制御するために、端末機の自宅電気器具メニューのスマート・ペット・ドア・アイコンを利用して、Ｄｅｖ１０６と通信する。
【０１４５】
本発明の一様態によれば（図６２）、ロボットへの応用で統合するＤｅｖ１０６により、複数のユーザが、Ｄｅｖを取り巻く環境でＤｅｖの機能をプログラムし、制御し、指令し、命令し、監視することができるようになり、一方では同時に、ロボットへの応用に関連する任意の予期したイベントおよび予期しないイベントについて通知されることができるようになる。
【０１４６】
図１は、本発明の実施形態１００の好ましい一例を示す。図１は、すべての機器が互いにアクセスすることができ、互いに通信するために使用する無線ネットワーク１１８を提示する。ネットワーク１１８は、普通は、１つまたは複数のサービスプロバイダより提供される携帯電話ネットワークまたは一種の無線ネットワーク（たとえば広域携帯電話ネットワーク、すなわち、類似の媒体および将来の媒体、たとえば：衛星ネットワーク、または多くのタイプの媒体、すなわち有線、無線、地上、衛星からなるハイブリッドネットワークの中でも、ＧＳＭ（登録商標）／ＥＤＧＥおよびＵＭＴＳ／ＨＳＰＡ、３ＧＰＰ、４Ｇ  ＬＴＥ、５Ｇに基づく、ＧＳＭ（登録商標）ネットワーク、ＣＤＭＡネットワーク、ＷＣＤＭＡ（登録商標）ネットワーク、ＴＤ−ＳＣＤＭＡネットワーク、ＮＡＭＰＳネットワーク、および／または任意の派生物すなわち、ＧＰＲＳ、ＥＤＧＥ、ＣＤＭＡ２０００、ＷｉＭＡＸ、ＬＴＥ、ＴＤ−ＬＴＥに従って動作するネットワーク）として知られている。発明された機器／電気器具または（略して）Ｄｅｖ１０６は、ＳＲＣ媒体１０４（短距離通信）を通して、同じくスマートホン、タブレットＰＣ、ラップトップＰＣＭＤ、ｉＰａｄ（登録商標）のような機器、ＰＤＡ（情報携帯端末）、または任意の携帯型の移動体電子機器とすることができる端末機１０２と通信する本発明であり、活動化処理中、または端末機が１０２が前記ＳＲＣネットワークの範囲内にあるときにＤｅｖ１０６が端末機１０２を使用する。Ｄｅｖ１０６は、自動車１２０、住宅（または事業所構内）１２２，または一般的なロボット機器（装置）１２４に存在するように示されている。携帯電話サービスプロバイダまたはサービスプロバイダ１１２は、Ｄｅｖ１０６への携帯電話通信サービスのプロバイダであり、したがって、Ｄｅｖを認識し、Ｄｅｖが無線ネットワーク１１８を通して他の携帯電話機器と通信することができるようにする。サービスプロバイダ１１２がＤｅｖ１０６を認識することができる前に、Ｄｅｖ１０６が活動化されなければならない。活動化処理は、Ｄｅｖ１０６と、サービスプロバイダ１１２自身、または事実上サービスプロバイダの所有物であるが、本発明では簡単にプロビジョンサーバ１１４として知られる、サービスプロバイダのネットワークコンピュータ／サーバ［たとえば、ＭＳＣ（Ｍｅｓｓａｇｅ  Ｓｗｉｔｃｈｉｎｇ  Ｃｅｎｔｅｒ、メッセージ・スイッチング・センタ）、ＶＬＲ（Ｖｉｓｉｔｏｒ  Ｌｏｃａｔｉｏｎ  Ｒｅｇｉｓｔｅｒ、訪問者位置レジスタ）、ＨＬＲ（Ｈｏｍｅ  Ｌｏｃａｔｉｏｎ  Ｒｅｇｉｓｔｅｒ、自宅位置レジスタ）、ＡｕＣ（Ａｕｔｈｅｎｔｉｃｉｔｙ  Ｃｅｎｔｅｒ、真正性センタ）、活動化サーバ、および当業者に公知の他のバックエンドシステム］の組合せとの間の、事前の使用量／事前にプログラムされた、および／または詳細な固有の発行された情報の交換を含む。Ｄｅｖ１０６はその内部メモリ記憶装置に活動化のためのパラメータの一部を含む。パラメータの一部をＤｅｖ１０６は、端末機１０２を介してサービスプロバイダ１１２および／またはプロビジョンサーバ１１４からダウンロードすることにより得た。Ａｐｐサーバ１０８は、��ｅｖ１０６の製造業者（図１に図示せず）により、および／またはサービスプロバイダ１１２の運用者（Ｄｅｖ１０６の製造業者と協力する、同じく図１に図示せず）により提供されることができる。Ａｐｐサーバ１０８は、サービスプロバイダ１１２の運用者により提供される場合、ちょうどプロビジョンサーバ１１４とサービスプロバイダ１１２の間のバックエンド接続１２０に示されるように、サービスプロバイダ１１２のイントラネットネットワークの一部とすることができる。
【０１４７】
図１はまた、ＢＴＳ（Ｂａｓｅ  Ｔｒａｎｓｃｅｉｖｅｒ  Ｓｔａｔｉｏｎｓ）またはタワー１１０を示す（本明細書で例示するように、さまざまな機器間の通信がサービスプロバイダ１１２に向かうが、実際には最初に１つまたは複数のタワー１１０を通過する）。１つの機器からの情報が１つまたは複数のタワー１１０を通過し、次いで、地域のサービスプロバイダ１１２の１つに伝送される。次いで、サービスプロバイダ１１２が前記情報を１つまたは複数のタワー１１０に再び渡し、そこで前記情報が宛先サーバ／コンピュータに最終的に到達する。
【０１４８】
以下の構成要素、たとえば：タワー１１０、サービスプロバイダ１１２，およびプロビジョンサーバ１１４などすべてはまた、地上波公共移動通信ネットワーク（ＰＬＭＮ、Ｐｕｂｌｉｃ  Ｌａｎｄ  Ｍｏｂｉｌｅ  Ｎｅｔｗｏｒｋ）と呼ぶことができる。本明細書の例でプロビジョンサーバ１１４またはサービスプロバイダ１１２がそう呼ばれるとき、ＰＬＭＮ全体の機能もまた含み、主要なタスクが、言及された前記構成要素（プロビジョンサーバまたはサービスプロバイダ）の範囲に入る。ユーザが、必要とされるパスワードを入力するのに問題がある場合、Ｄｅｖ１０６により要求されたとき、電子メールサーバ１１６がユーザの電子メールアドレスにパスワード回復を電子メールで送るための電子メールサーバの役割を果たす。電子メールサーバ１１６はまた、Ａｐｐサーバ１０８の一部とする（中に組み込まれる）ことができる。
【０１４９】
図２〜図４は、当業者に公知のように、ハードウェア構成図で表した、本発明の実施形態２００、３００、および４００の好ましい例を示す。図２〜図４は、図２の例示２００で表される車制御および監視システム、図３の家制御および監視システム３００、ならびに図４の一般的なロボット制御および監視システムの中に統合され、これらとインタフェースをとるＤｅｖ１０６を提示する。Ｄｅｖ１０６の主要な構成要素が、ＣＰＵ２４８、ＣＰＵ２４８に関連する携帯電話機回路２４６、および携帯電話機回路２４６のＲＦインタフェース回路（ＲＦトランシーバ２４４、ＲＦ増幅器２３４、およびアンテナ２３２）である。ＣＰＵおよびその関連する回路またはチップセットの一例が、当業者に公知のように、Ｉｎｔｅｌ  Ｃｏｒｐ．によるＸ−ＧＯＬＤ１０１シングルチップ、ＡＲＭおよび他社、たとえば：Ｑｕａｌｃｏｍｍなどの多くによりライセンス供与されたＮＥＯＮ  Ｃｏｒｔｅｘ−Ａ９である。
【０１５０】
構成図２００、３００、および４００はまた、無線ＬＡＮコントローラ（１つまたは複数の無線ローカル・エリア・ネットワークＷＬＡＮの１つを介したＷｉ−ＦｉまたはＷＩＦＩ通信とも呼ばれることがある）およびそれに関連する回路２５６、２５４、２５２、および２４３、揮発性および不揮発性のメモリ記憶装置２６４（フラッシュ、ＳＤＲＡＭ、ＲＡＭ、ＥＥＰＲＯＭなど）、クロックシステム２３６、入出力インタフェース２３８／３３８／４３８、リアル・タイム・クロック２４０、ならびに電源およびバッテリバックアップ２５０を含む。構成図２００、３００、および４００はまた、ＳＲＣ（短距離通信）機器、たとえば：ＮＦＣ２５８、Ｂｌｕｅｔｏｏｔｈ（登録商標）２６０、無線／有線ＵＳＢ２６２、および他の無線周波数（ＲＦ）技術（図示せず）のうち１つまたは複数を含む。構成図２００、３００、および４００はまた、ＮＡＭ２６８、ＳＩＭ２６６、ＭｏｄＳＩＭ２６６Ａのパラメータ記憶装置のための不揮発性メモリ記憶領域、およびＳＩＭカード用のスロット２７０を含む。ＮＡＭ２６８、ＳＩＭ２６６、およびＭｏｄＳＩＭのパラメータ記憶装置は、好ましくは、メモリ記憶装置２６４の中に組み入れられることができ、メモリ記憶装置２６４はまた、当業者に公知のように、プログラムコード、アプリケーションソフトウェア、データ、およびＯＳファームウェア用の記憶装置でもある。実施形態２００は、ハンズ・フリー・スピーカ、マイクロホン、および声による活動化回路２３０を含み、これらはまた、実施形態３００および４００にも存在することができる。ハンズ・フリー・スピーカ、マイクロホン、および声による活動化回路のアプリケーション５３２はまた、実施形態６００の中にも存在することができ、一方では、実施形態４００は、複数の携帯電話端末機インタフェース回路４３９、４３６、４３４、および４３２を提供する。
【０１５１】
図２はまた、運転者が事故にあったとき、運転者が状況に対処するために迅速な行動をとる精神的または物理的能力がないことがある場合など、非常に有用で、人命を救助するいくつかの入出力（Ｉ／Ｏ）を含む。入力ダイヤル・通話２０４が、運転者がたまたま端末機を所有していないとき、必要があれば、家族の一員（登録済み端末機１０２）と連絡をとるための便利な方法を提供する。
【０１５２】
−エアバッグ（２２６）：車に大きな影響を及ぼす、および／または車のエアバッグ（図２の２２６）を膨張させる事故があったときの場合、Ｄｅｖ１０６が、緊急センタ（図示せず）および登録済み端末機に少なくとも１回（すなわち、本文ですでに述べたように、米国およびカナダでは９１１、中国では１１０、または同様に、国および地理的位置に依存する）車両の位置付きの警告緊急メッセージを伝送する。Ｄｅｖ１０６はまた、緊急センタにダイヤルし、ハンズ・フリー・マイクロホンおよびスピーカ（図２の２３０）をオンにするので、運転者が緊急センタのオペレータと通信することができる。短時間のうちに（すなわち、１分または２分、換言すれば、事故があった位置ではおそらくは携帯電話サービスが全く利用できない）緊急センタから応答が全くない場合、Ｄｅｖ１０６が、そうするようにプログラムされている場合、衛星ネットワークを介して（図示せず）、または多くのタイプの媒体からなる、すなわち、当業者に公知のような有線、無線、地上、および衛星からなるハイブリッドネットワークを介して、緊急センタ（図示せず）に車両の位置付きの緊急メッセージを伝送する。Ｄｅｖ１０６がメッセージを伝送した後、緊急センタから依然として一切何も応答がない場合、ＧＰＳ（図３１の３１８２）に衛星緊急コマンドを伝送し、次に、ＧＰＳが、好ましくは、衛星を介してそのコマンドをＧＰＳ位置（図示せず）と共に緊急センタに伝送する。
【０１５３】
−緊急ボタン（２２９ａ）：好ましくは、車両内部に位置し、（続けて複数回）押されたとき、Ｄｅｖ１０６に電気信号を伝送し、Ｄｅｖ１０６が他の登録済み端末機１０２および緊急センタ（図示せず）に現在のＧＰＳ位置付きの緊急メッセージを伝送する。Ｄｅｖ１０６はまた、緊急センタにダイヤルし、ハンズ・フリー・マイクロホンおよびスピーカ（２３０）をオンにして、車両の運転者が緊急センタの職員と通信することができるようにする。Ｄｅｖ１０６はまた、登録済み端末機にダイヤルし、（登録済み端末機が応答した場合）ハンズ・フリー・マイクロホンおよびスピーカ（２３０）に接続して、車両の運転者が前記端末機のユーザ（すなわち、家族の一員）と通信することができるようにする。
【０１５４】
−ダイヤル・通話ボタン（２０４）：同じく、車両の運転者が、端末機を所有していない、または前記端末機がその時点で適切に機能しない場合、登録済み端末機１０２のユーザと通信することができるようにする。
【０１５５】
図２および図３はまた、たとえば：活動化処理中に（図８、図９、図１１／図１３、図１２、および図１４）ＳＲＣネットワーク１０４を介した、または端末機１０２ＡおよびＤｅｖ１０６が短距離通信（ＳＲＣ）媒体の範囲内にあるときに、かつ通常動作中に携帯電話（または他の無線）ネットワーク１１８を介した、端末機１０２ＡとＤｅｖ１０６の間の通信を示す。
【０１５６】
図５および図６は、当業者に公知のように、ソフトウェア構成図で表した、本発明の実施形態５００および６００の好ましい例を示す。例示５０２は自動車アプリケーションを表し、例示６０２は自宅アプリケーションを表す。これら２つの各々が、好ましくは、２つの主要なソフトウェアブロックを含む：
【０１５７】
−Ｄｅｖ基本部５５２／６５２がコアＯＳ５４０（たとえば、ｉＯＳ、ＧｏｏｇｌｅのＡｎｄｒｏｉｄ移動体ＯＳ）と共に基本カーネルを形成する。Ｄｅｖ基本部５５２／６５２は、好ましくは、Ｄｅｖ  ＩＤパラメータ５４２／６４２（製造業者名および製造日、シリアル番号、型番、工場の位置）、ダウンロードレイヤ／モジュール５４４（更新されたバージョンのＯｐ（操作）  Ａｐｐモジュール５０６／６０６を、現在のバージョンのそのソフトウェアアプリケーションを更新する必要があるときにダウンロードするために使用される）、携帯電話および無線ＬＡＮレイヤ／モジュール５４６（携帯電話および無線ＬＡＮ機器ドライバ、ならびに管理モジュール）、ＮＡＭ（Ｎａｍｅ  Ａｓｓｉｇｎｍｅｎｔ  Ｍｏｄｕｌｅ、名前割当モジュール）５４８／６４８、およびすべてのＮＡＭおよびＳＩＭに関連する情報パラメータ、たとえば：ＥＳＮ、ＩＭＳＩなどを含むＳＩＭ（Ｓｕｂｓｃｒｉｂｅｒ  Ｉｄｅｎｔｉｔｙ  Ｍｏｄｕｌｅ）５５０／６５０からなる。
【０１５８】
−Ｄｅｖ  Ａｐｐ５０４／６０４が、Ｄｅｖ１０６が他の無線機器と通信することができるようにする、すなわち、端末機１０２から受け取ったプログラム／制御コマンド、および状態／監視コマンドを復号し、実行することができるようにするアプリケーションソフトウェアを走らせる。Ｄｅｖ  Ａｐｐ５０４／６０４は、好ましくは、２つのモジュールからなる：
【０１５９】
−端末機情報モジュール５６０（自動車アプリケーションと自宅アプリケーションの両方に共通であり、端末機１０２情報、たとえば：ユーザの端末機の電話番号、アカウント番号、パスワード、他の端末機の電話番号、電子メールアドレスなどからなる）。
【０１６０】
−Ｏｐ  Ａｐｐモジュール５０６／６０６は、好ましくは、端末機１０２からコマンドを受け取り、端末機１０２に状態を伝送するコマンド通信レイヤ／モジュール５０８／６０８、端末機１０２からの状態および監視コマンドを復号し、実行する状態および監視レイヤ／モジュール５１０／６１０、Ｄｅｖの入出力の変化およびイベントを検出するイベントレイヤ／モジュール５１２／６１２、端末機１０２からのプログラムおよび制御コマンドを復号し、実行するプログラムおよび制御レイヤ／モジュール５１８／６１８、端末機１０２からの活動化−非活動化コマンドを復号し、実行するＤｅｖ活動化／非活動化レイヤ／モジュール５１４／６１４、端末機１０２からの端末機情報更新コマンドを復号し、実行する端末機Ａｐｐ更新レイヤ／モジュール５１６／６１６、端末機１０２からの端末機登録コマンドを復号し、実行する端末機登録レイヤ／モジュール５２２／６２２、端末機１０２からのＤｅｖ構成コマンドを復号し、実行するＤｅｖ構成レイヤ／モジュール５２４／６２４、端末機１０２からの端末機およびパラメータ追加および削除コマンドを復号し、実行する追加および削除レイヤ／モジュール５２６／６２６、端末機１０２にＤｅｖ情報を持ってくる車／自宅（事業所）Ｄｅｖ情報５２０／６２０、警報アプリケーションを実行し、走らせる自動車／自宅警報アプリケーションモジュール５６２／６６２、端末機１０２からのアプリケーションダウンロードを復号し、実行する自動車／自宅Ａｐｐダウンロード５６４／６６４、紛失した登録済み端末機を探索する端末機位置特定レイヤ／モジュール５３４／６３４、Ｄｅｖ１０６が入出力周辺装置２０１／３０１／４０１と通信することができようにする入出力管理レイヤ／モジュール５２８／６２８からなる。
【０１６１】
車Ｏｐ  Ａｐｐモジュール５０６および自宅Ｏｐ  Ａｐｐモジュール６０６は、好ましくは、それ自身の機能それぞれにだけ適用可能な他のモジュールをいくつか含む。車に応用する場合、Ｏｐ  Ａｐｐモジュール５０６は、好ましくは、口座支払設定レイヤ／モジュール５３０、Ｄｅｖ１０６が通行料金徴収機の料金取引中にハンズ・フリー・モードで運転者と通信できるようにする、またはＤｅｖ１０６に緊急センタにダイヤルし、接続するように命令し、したがって、運転者がハンズフリーで緊急職員と通話することができるようにするハンズフリー音声入出力レイヤ５３２（声でトリガされるＤｅｖ活動化のために使用される）を含む。自宅への応用の場合、モジュール６０６は、好ましくは、家庭用電気器具／装置を発見し、端末機１０２に家庭用電気器具／装置のオンラインアプリケーションをダウンロードする、または家庭用電気器具／装置のダウンロードリンクを提供し；次いで、記憶し、複数の家庭用電気器具／装置と通信状態にある端末機１０２（図１３の家庭用電気器具アイコン１３４４）により命令されるようにＨＨ  Ａｐｐ６３２を実行する自宅電気器具レイヤ／モジュール６３０を含む。
【０１６２】
事前にプログラムされたバージョンのＯｐ  Ａｐｐ５０６／６０６が、Ｄｅｖのメモリにすでに存在し、更新されたバージョンのＯｐ  Ａｐｐ５０６／６０６が、必要な場合、またはユーザが端末機およびＤｅｖ  Ａｐｐ更新アイコン１１６４／１３６４（図１１／図１３）を実行することにより、活動化９５０／１０５０（図９／図１０）中にダウンロードされることができる。
【０１６３】
Ｄｅｖ  Ａｐｐ５０４／６０４は、好ましくは、常駐（または機器上の）機能、およびＣＰＵおよびその環境に均一なインタフェースを提供するＯＳカーネルと対話する通信およびアプリケーション機能を含む。カーネルは、各機能のためのタスク（ＲＴＯＳ）を、たとえば：コマンド通信レイヤ／モジュール、ＩＰＣ（複数のタスク間のプロセス通信、またはプロセス協力）、メモリ管理、ファイルシステム（ＦＳ）、入出力機器管理、ネットワーク管理（携帯電話、ＬＡＮ、および他の無線ネットワーク）、および関連するドライバ（すべて図示せず）を割り当てることにより、ＣＰＵ資源を管理する。
【０１６４】
図７Ａおよび図７Ｂは、１つまたは複数の登録済み端末機１０２上に存在するソフトウェア構成図で表した、本発明の実施形態７００Ａおよび７００Ｂの好ましい例を示す。当業者に公知のように、例示７０２Ａは図５の５０２の対応物であり、例示７０２Ｂは図６の６０２の対応物である。
【０１６５】
図７Ａの端末機１０２の端末機アプリケーション７０４Ａ、および図５のＤｅｖ１０６のＤｅｖ  Ａｐｐ５０４の両方が、互いに通信するために使用される。図７Ａの操作レイヤ７０６Ａ内の各モジュールに対して、図５のＯｐ  Ａｐｐ５０６内に均等な対応物モジュールが存在する。一例が、ユーザが車の機器情報を見たいときである。ユーザが、端末機１０２を通して実行されたときに端末機１０２に自動車機器情報画面２８１０Ａ（図２８Ａ）にナビゲートさせるＤｅｖ情報アイコン１１６６を好ましくは含む自動車Ｄｅｖ設備メニュー１１５０にブラウズする。動作／機能はすべて、好ましくは、コマンド通信レイヤ／モジュール７０８Ａおよび車Ｄｅｖ情報モジュール７１４Ａにより復号され、実行され、これらのモジュールはまた、当業者に公知のように、「画面表示モジュール」（図示せず）により画面を表示するステップ、およびＤｅｖ１０６にメッセージ／コマンドを送信するステップ、および「トランシーバモジュール」（図示せず）を通してＤｅｖ１０６からメッセージ／応答を受け取るステップを含む、端末機１０２上に存在する他の常駐（機器上の）モジュールと通信する。
【０１６６】
端末機１０２が、Ｄｅｖ１０６に「車Ｄｅｖ情報」メッセージ／コマンドを伝送する。次いで、コマンド／メッセージが、コマンド通信レイヤ／モジュール５０８により受け取られ、復号され、図５のＤｅｖ１０６の車Ｄｅｖ情報モジュール５２０により実行される。次いで、Ｄｅｖ１０６が、要求されたデータを端末機１０２に伝送して戻し、端末機１０２が、自動車機器情報画面２８１０Ａ（図２８Ａ）上に示されるような情報を受け取り、表示する。
【０１６７】
同様に、図７Ｂの端末機１０２の端末機アプリケーション７０４Ｂと、図６のＤｅｖ１０６のＤｅｖアプリケーション６０４の両方を使用して、互いに通信する。図７Ｂの操作レイヤ７０６Ｂ内の各モジュールに対して、図６のＯｐ  Ａｐｐ６０６に均等な対応するモジュールが存在する。
【０１６８】
一例が、図４６の寝室２（ＢＲ２  ４６３８）を通して例示４６３２で示すように家への許可されていない家宅侵入／不法侵入（図３の家宅侵入検出３０８の入力の１つ）が警報を生み出すときであり、警報がＤｅｖ１０６に信号を送信し、図６のイベントレイヤ／モジュール６１２により処理される。イベントレイヤ／モジュール６１２が、ＢＲ２（寝室２）の窓の中への図３の家宅侵入検出３０８の入力の１つである不法侵入を復号し、情報を図６のコマンド通信レイヤ／モジュール６０８に渡し、コマンド通信レイヤ／モジュール６０８が端末機１０２に情報を、家宅侵入イベントについて端末機１０２のユーザに警告を発する１つまたは複数のメッセージと共に伝送する。端末機１０２で、コマンド通信レイヤ／モジュール（図７Ｂの７０８）がメッセージを受け取り、復号し、そのメッセージおよびそのデータをイベントレイヤ／モジュール７１６Ｂに渡し、イベントレイヤ／モジュール７１６Ｂがデータを実行し、（図４６の例示４６３２、４６５２、および４６６０で示すように）表示される準備ができている端末機のメモリにデータを保持し、そのとき、ユーザが、当業者に公知のように（図４６の例示４６０２、４６０６、４６１２、および４６２２で示すような）いくつかの表示画面を通ってナビゲートした後に、表示された１つまたは複数のメッセージを見る。
【０１６９】
図８、図９、および図９は、端末機１０２がＡｐｐサーバ１０８から端末機１０２のメモリ記憶装置の中に活動化ソフトウェアおよびアプリケーションソフトウェアをダウンロードする際の、本発明の実施形態８００、９００、および１０００の好ましい例を示す。
【０１７０】
Ｄｅｖ１０６と通信することが可能になる前に、端末機１０２がそのメモリ／記憶領域（図２／図３／図４の２６４）に互換性のあるソフトエアアプリケーションを有しなければならない。ユーザが活動化ボタンを押すことにより（自動車への応用の場合、内部のバックミラーの下側にあるガレージボタン近くのどこかに位置する；または車の中にいる間、声による活動化回路（図２の２３０）を使用して；または自宅への応用の場合、筐体内部の活動化ボタン；表示装置を備えるＤｅｖの場合、図１８Ｃの１８１４Ｃ／１８４４Ｃに示すように）Ｄｅｖ１０６を活動化させようとし、一方では、新しいＤｅｖ１０６（活動化されていない、または登録されていない）がＳＲＣ（短距離通信）１０４を介して端末機１０２に活動化ソフトウェア・リクエスト・メッセージ・コマンド（ステップ８０２）を送信する。端末機１０２から応答が全く戻ってこない、または認識されない応答が戻ってきたとき、Ｄｅｖ１０６が他のメッセージを端末機１０２の受信箱に送信し（ステップ８０４）、端末機１０２内に関連するソフトウェアが全く存在しないことを示す（図８のステップ８２０、これは、図９／図１０の端末機表示画面９０２／１００２のように、より詳細に示される）。次いで、ユーザがウェブ・アドレス・リンク（ＵＲＬ）９０６／１００６（図９／図１０）を画面でタッチし、それにより、端末機１０２がＡｐｐサーバ１０８（図８）にアプリケーション・メニュー・ダウンロード・リクエストを送信する（ステップ８０６）。次いで、Ａｐｐサーバ１０８が、画面９２０／１０２０（図８／図９）でより詳細に提示される端末機表示装置８２２で示すように、要求された情報を端末機１０２に伝送して戻す（ステップ８０８）。
【０１７１】
画面９２０／１０２０は、最も人気のあるＯＳ（Ｏｐｅｒａｔｉｎｇ  Ｓｙｓｔｅｍ）、たとえば：Ａｎｄｒｏｉｄ（９２６／１０２６）、ｉＯＳ（９２８／１０２８）、Ｗｉｎｄｏｗｓ（９３０／１０３０）、および他のもの（９３２／１０３２）に基づく端末機１０２のいくつかをサポートする車両／自宅制御・警報アプリケーションシステム９２４／１０２４を提示する。これらのＯＳは、米国および世界の大部分で周知の一部であるが、本発明のＤｅｖ１０６およびそのアプリケーションソフトウェアはまた、世界のどこでも今もなお開発されている、およびまだ発明されていないＯＳもサポートする。アプリケーション・ダウンロード・メニュー９２２／１０２２で走っているソフトウェアは、好ましくは、この代表的な実施形態では、端末機１０２がＡｎｄｒｏｉｄに基づくことを自動検出し、自動ダウンロードリンク（ＵＲＬ）９３４／１０３４を提示するので、正しいＯＳに基づくＡｐｐダウンロードリクエスト（図８のステップ８１０）が端末機１０２によりＡｐｐサーバ１０８に自動的に伝送される（タイマ、すなわち、１０秒が満了したとき）。次いで、Ａｐｐサーバ１０８が、要求されたアプリケーションを端末機１０２に伝送し（図８のステップ８１２）、端末機１０２がそのアプリケーションを、いくつかの画面９４０／１０４０、９６０／１０６０、および９８０／１０８０（図９／図１０）のようにより詳細に示される画面８２４上に表示する。
【０１７２】
画面９４０／１０４０は、ダウンロードされているアプリケーション９４４／１０４４、そのモデルまたはシリアル番号９４２／１０４２、およびソフトウェアが存在するか探してツールボックス９４８／１０４８を調べるための、ユーザへのメッセージを示す。次いで、ユーザが画面９６０／１０６０までめくり、たった今ダウンロードされたソフトウェアを表すアイコン９８２／１０８２を示す画面９８０／１０８０に進む自走車／自宅アプリケーション９６２／１０６４を選択する（たとえば、実行する）。端末機１０２のアプリケーションのダウンロード中、端末機１０２はまた、好ましくは、Ａｐｐサーバ１０８からＤｅｖ１０６に何か更新要求がある場合、Ｄｅｖアプリケーションソフトウェア９５０／１０５０を更新している状態を表示する。端末機自身のアプリケーションをダウンロードする間（ステップ８１４）、Ｄｅｖのアプリケーションが、アプリケーションサーバからＤｅｖに更新される必要がある場合がある（ステップ８１６）。
【０１７３】
ユーザはまた、好ましくは、この端末機の受信箱９０２／１００２にＤｅｖ１０６からメッセージを受け取ることなくオンラインになり、ユーザの端末機１０２の中に活動化およびアプリケーションをダウンロードするための正しいアドレス９０６／１００６を打ち込む。
【０１７４】
図１１／図１３は、自動車／自宅に応用するための、本発明の実施形態１１００／１３００の好ましい一例を示す。図１１／図１３は、活動化およびアプリケーション１１０４／１３０４が端末機１０２の中にダウンロードされた後、どれを最初に行う必要があるかを示すことが好ましい。ユーザが画面９０２／１００２、９２０／１０２０、９４０／１０４０、９６０／１０６０、および９８０／１０８０を通ってめくり、次いで、自動車／自宅アプリケーションダウンロードに関連する適切なリンクおよびアイコンを実行した後、自動車／自宅Ａｐｐ１１０４／１３０４が端末機１０２の中に完全にダウンロードされたことを示す画面１１０２／１３０２から端末機１０２が開始する。画面９８０／１０８０が、自動車／自宅Ａｐｐアイコン１１０４／１３０４を含む画面１１０２／１３０２として繰り返される。前記アイコン１１０４／１３０４がユーザにより実行されたとき、端末機１０２を自動車／自宅Ａｐｐメニュー１１２２／１３２２を示す画面１１２０／１３２０にナビゲートする。
【０１７５】
ユーザは、ユーザの端末機１０２にＤｅｖアプリケーションソフトウェアを有するので、ユーザの端末機１０２がＤｅｖ１０６と通信することができるように前記Ｄｅｖ１０６を活動化しなければならず（活動化１１５４／１３５４）、ユーザ（および後で追加されるユーザ）が端末機１０２を使用してＤｅｖ１０６をプログラムし、制御し、監視し、前記Ｄｅｖ１０６により何が起きたかについて警告を受けることができる。サービスが切断された、またはユーザが他のサービスプロバイダに切り替え（このとき、図２９に説明するように、活動化が再び必要である）ない限り、Ｄｅｖ１０６の活動化は、好ましくは、第１の端末機１０２を使ってユーザにより（ユーザが初めてＤｅｖ１０６を使用する最初に）一度だけ行う必要がある。
【０１７６】
Ｄｅｖ１０６が端末機１０２の電話番号を含んでいるので、活動化を終了するとすぐに、前記端末機１０２（ネットワークの中で活動化されるようにＤｅｖ１０６を手助けする端末機−端末機＃１）と通信することができる。
【０１７７】
ユーザが自動車／自宅Ｄｅｖ設備アイコン１１２４／１３２４を選択したとき、それにより、端末機が自動車／自宅設備メニュー１１５２／１３５２にナビゲートし、次いで、ユーザが、Ｄｅｖ１０６をサービスプロバイダのネットワークの中に活動化させる処理を開始する活動化アイコン１１５４／１３５４を選択する。
【０１７８】
あるいは、ユーザは、Ａｐｐサーバのウェブサイトにオンラインになることにより、または前記端末機にＳＲＣを介してＤｅｖにコマンドを伝送させる端末機（インターネット）Ａｐｐサーバ登録アイコン１１７５／１３７５を実行することにより、Ａｐｐサーバ（図１のブロック１０８）を使って（Ｄｅｖのセキュリティ制御、監視、およびプログラムサービスのために）Ｄｅｖを登録する選択肢を有する。次に、ＤｅｖがＳＲＣを介してユーザの端末機に前記Ａｐｐサーバのウェブ・アドレス・リンク（ＵＲＬ）を伝送する（この場合、端末機もＤｅｖも、ＳＲＣの距離の範囲内にいなければならない）。次いで、ユーザが前記Ａｐｐサーバウェブサイト１０８（図示せず）にユーザの端末機の（機器の）画面をナビゲートする。次いで、ユーザが、ユーザのアカウント、固有のアクセスＩＤ、たとえば：ユーザＩＤおよびパスワードを作成することによりユーザのＤｅｖをアプリケーション・サーバ・ウェブサイトに登録し、現在利用可能な１つまたは複数のシステムに同様に必要なように、および同じく当業者に公知のように、ＤｅｖのＩＤパラメータ、たとえば：Ｓ／Ｎ（シリアル番号）などと共に、必要な情報を、たとえば：ユーザ名、連絡先電話番号、電子メールアドレスを入力する。既存の現在のシステムでは、Ａｐｐサーバが単に端末機とＤｅｖの間で通信データを伝送する／ルーティングするルータのように動作することが欠点である。だれでも、正しいユーザＩＤおよびパスワードを入力する限り、実際の所有者／ユーザがユーザのセキュリティが損なわれており、ユーザのプライバシが侵害されていることに気づくことなく、Ｄｅｖにアクセスすることができる。
【０１７９】
一方、Ｄｅｖは強化された（２次的）セキュリティ保護をＤｅｖのユーザ／所有者に提供する。ユーザの端末機と通信するためにＤｅｖのユーザがＡｐｐサーバを使ってＤｅｖを登録するのに成功した後、前記Ｄｅｖが、テキストメッセージを介して（すなわち、ＳＭＳゲートへのメールを介して）前記端末機に暗号化されたＭＳＫを伝送する。次いで、前記ＭＳＫを前記端末機に関連付ける、端末機からＤｅｖへの次の伝送コマンド／制御パケットでＭＳＫが符号化される。Ｄｅｖは、一致しないＭＳＫではどんな端末機／移動体機器、または有線／無線機器にも応答せず、さらに、そのような不一致が発生したとき、登録済み端末機の／機器のＩＤ（ＳＭＳゲートウェイなどへのメールを介した電子メール、テキストメッセージ）を通して１人または複数のユーザに警告を発する。一致しないＭＳＫで他の端末機／機器から次の登録を行う間、Ｄｅｖがその登録された１つまたは複数の端末機に警告を発し、許容／非許容コマンドを伝送し、Ｄｅｖの登録済みユーザ、またはＤｅｖの登録済みユーザのうちの１人から肯定的応答を受け取ったときだけ、前記登録が成功の結論に至るようにし、したがって、新しく登録された端末機にＭＳＫを伝送する。Ｄｅｖの登録済み端末機から応答が全くない場合、Ｄｅｖは、正しいユーザＩＤおよびパスワードを提供した後でさえ、別のセキュリティ質問に、たとえば：ユーザが生まれた場所、母の旧姓、好きな色などに正しい答えを提供するようにユーザに要求する。以下の表は、いくつかのキャリアのＳＭＳゲートウェイに宛てたメールの非常に短い部分的リストを例示としてだけ表す。
【０１８０】
（情報源−https://bithub.com/mfitzp/List_of_SMS_gateways/）
【０１８１】
【表１】
2018528495.tif 000002
【０１８２】
例示１１８０／１３８０は、米国で最も人気のある携帯電話サービスのうちの一部を、たとえば、ＡＴ＆Ｔ  Ｗｉｒｅｌｅｓｓ、Ｖｅｒｉｚｏｎ  Ｗｉｒｅｌｅｓｓ、Ｓｐｒｉｎｔ、Ｔ−Ｍｏｂｉｌｅ、ＵＳ  Ｃｅｌｌｕｌａｒ、Ｍｅｔｒｏ  ＰＣＳ、Ｖｉｒｇｉｎ  Ｍｏｂｉｌｅ、およびＢｏｏｓｔを示す。
【０１８３】
ユーザが中国本土にいる場合、携帯電話サービスプロバイダは、Ｃｈｉｎａ  Ｍｏｂｉｌｅ、Ｃｈｉｎａ  Ｕｎｉｃｏｍ、Ｃｈｉｎａ  Ｔｅｌｅｃｏｍ、Ｃｈｉｎａ  Ｔｉｅｔｏｎｇになる（＊）。
【０１８４】
（＊）台湾では、携帯電話サービスプロバイダは、Ｆａｒ  ＥａｓＴｏｎ  Ｔｅｌｅｃｏｍｍｕｎｉｃａｔｉｏｎｓ  Ｃｏ  Ｌｔｄ、Ａｓｉａ  Ｐａｃｉｆｉｃ  Ｔｅｌｅｃｏｍ、ＬＤＴＡ／Ｃｈｕｎｇｈｗａ  Ｔｅｌｅｃｏｍ、ＶＩＢＯ  Ｔｅｌｅｃｏｍ、Ｔａｉｗａｎ  Ｍｏｂｉｌｅ  Ｃｏ．  Ｌｔｄになる。
【０１８５】
香港では、携帯電話サービスプロバイダは、ＣＳＬ  Ｌｉｍｉｔｅｄ、ＣＩＴＩＣ  Ｔｅｌｅｃｏｍ  １６１６、Ｔｒｕｐｈｏｎｅ  Ｌｉｍｉｔｅｄ、Ｃｈｉｎａ  Ｍｏｔｉｏｎ  Ｔｅｌｅｃｏｍ、およびＣｈｉｎａーＨｏｎｇ Ｋｏｎｇ  Ｔｅｌｅｃｏｍになる。
【０１８６】
日本では、携帯電話サービスプロバイダは、ＮＴＴ  ＤｏＣｏＭｏ、ａｕ、ＳｏｆｔＢａｎｋ  Ｍｏｂｉｌｅ、Ｗｉｌｌｃｏｍ、ＥＭＯＢＩＬＥ、ＫＤＤＩ  Ｃｏｒｐｏｒａｔｉｏｎになる。韓国では、携帯電話サービスプロバイダは、ＫＴ、ＳＫ  Ｔｅｌｅｃｏｍ、ＬＧ  Ｔｅｌｅｃｏｍ、およびＫｏｒｅａ  Ｃａｂｌｅ  Ｔｅｌｅｃｏｍ（ｔ−ｐｌｕｓ）、Ｅｃｏ−ｍｏｂｉｌｅになる。
【０１８７】
インドでは、携帯電話サービスプロバイダは、Ａｎｄｈｒａ  Ｐｒａｄｅｓｈ、Ａｓｓａｍ、Ｂｉｈａｒ、Ｃｈｅｎｎａｉ、Ｄｅｌｈｉ  ＆  ＮＣＲ、Ｇｕｊａｒａｔ、Ｈａｒｙａｎａ、Ｈｉｍａｃｈａｌ、Ｈｉｍａｃｈａｌ  Ｐｒａｄｅｓｈ、Ｊａｍｍｕ  ＆  Ｋａｓｈｍｉｒ、Ｋｅｒａｌａ、Ｍａｈａｒａｓｈｔｒａ  ＆  Ｇｏａ、Ｍｕｍｂａｉ、Ｎｏｒｔｈ  Ｅａｓｔ、Ｏｒｉｓｓａ、Ｐｕｎｊａｂ、Ｔａｍｉｌ  Ｎａｄｕ、Ｕｔｔａｒ  Ｐｒａｄｅｓｈ、Ｗｅｓｔ  Ｂｅｎｇａｌになる。
【０１８８】
カナダでは、携帯電話サービスプロバイダは、Ｔｅｌｕｓ  Ｍｏｂｉｌｉｔｙ、Ａｉｒｔｅｌ  Ｗｉｒｅｌｅｓｓ、ＥａｓｔＬｉｎｋ、Ｂｅｌｌ  Ｍｏｂｉｌｉｔｙ、ＩＣＥ  Ｗｉｒｅｌｅｓｓ、Ｒｏｇｅｒｓ  Ｃｏｍｍｕｎｉｃａｔｉｏｎｓ、ＳａｓｋＴｅｌ  Ｍｏｂｉｌｉｔｙ、およびＶｉｒｇｉｎ  Ｍｏｂｉｌｅ  Ｃａｎａｄａになる。
【０１８９】
メキシコでは、携帯電話サービスプロバイダは、Ｎｅｘｔｅｌ  Ｍｅｘｉｃｏ、Ａｍｅｒｉｃａ  Ｍｏｖｉｌ／Ｍｅｘｔｅｌ、Ｍｏｖｉｓｔａｒ−Ｔｅｌｅｆｏｎｉｃａ  Ｍｏｖｉｌｅｓ、Ｉｕｓａｃｅｌｌになる。ブラジルでは、携帯電話サービスプロバイダは、ＮＩＩ  Ｈｏｌｄｉｎｇｓ、Ｉｎｃ．、Ｔｅｌｅｃｏｍ  Ｉｔａｌｉａ  Ｍｏｂｉｌｅ、Ｃｌａｒｏ、Ｖｉｖｏ  Ｓ．Ａ．、Ｓｅｒｃｏｍｔｅｌ  Ｃｅｌｌｕｌａｒ、Ｂｒａｓｉｌ  Ｔｅｌｅｃｏｍ  ＧＳＭ（登録商標）、およびＣＴＢＣ  Ｃｅｌｕｌａｒ  Ｓ．Ａ．になる。
【０１９０】
ＥＵでは、携帯電話サービスプロバイダは、Ｆｒａｎｃｅ  Ｔｅｌｅｃｏｍ、Ｇｌｏｂａｌｓｔａｒ  Ｅｕｒｏｐｔ、Ｖｉｖｅｎｄｉ、ＲＦＦ、Ｉｌｉａｄ、Ｂｏｕｙｇｕｅｓ  Ｔｅｌｅｃｏｍ、Ｔｒａｓａｔｅｌ、Ｏｍｅａ  Ｔｅｌｅｃｏｍ、Ｅｌ  Ｔｅｌｅｃｏｍ（フランス）、Ｔ−Ｍｏｂｉｌｅ  Ｄｅｕｔｃｈｌａｎｄ  ＧｍｂＨ、Ｖｏｄａｆｏｎｅ  Ｄ２  ＧｍｂＨ、Ｅ−Ｐｌｕｓ  Ｍｏｂｉｌｆｕｎｋ、Ｏ２  ＧｍｂＨ  ＆  Ｃｏ．ＯＨＧ，Ａｒｃｏｒ  ＡＧ  ＆  Ｃｏ、ｓｉｐｇａｔｅ  Ｗｉｒｅｌｅｓｓ、Ｍｏｂｉｌｅｃｏｍ  Ｍｕｌｔｉｍｅｄｉａ、Ｇｒｏｕｐ  ３Ｇ  ＵＭＴＳ、Ｓｉｅｍｅｎｓ  ＡＧなど（ドイツ）、Ｔｅｌｅｃｏｍ  Ｉｔａｌｉａ  ＳｐＡ、Ｖｏｄａｆｏｎｅ  Ｏｍｎｉｔｅｌ  Ｎ．Ｖ．、Ｒｅｔｅ  Ｆｅｒｒｏｖｉａｒｉａ  Ｉｔａｌｉａｎａ、Ｗｉｎｄ  Ｔｅｌｅｃｏｍｕｎｉｃａｚｉｏｎｉ  ＳｐＡ、Ｈｕｔｃｈｉｓｏｎ  ３Ｇ（イタリア）、Ｖｏｄａｆｏｎｅ  Ｓｐａｉｎ、Ｆｒａｎｃｅ  Ｔｅｌｅｃｏｍ  Ｅｓｐａｎａ  ＳＡ、Ｘｆｅｒａ  Ｍｏｖｉｌｅｓ  ＳＡ、Ｔｅｌｅｆｏｎｉｃａ  Ｍｏｖｉｌｅｓ  Ｅｓｐａｎａ、ＢＴ  Ｇｒｏｕｐなど（スペイン）、ＢＴ  Ｇｒｏｕｐ、Ｍｕｎｄｉｏ  Ｍｏｂｉｌｅ  Ｌｉｍｉｔｅｄ、Ｔｅｌｅｆｏｎｉｃａ  Ｅｕｒｏｐｅ、Ｊｅｒｓｅｙ  Ａｉｒｔｅｌ  Ｌｉｍｉｔｅｄ、Ｃａｂｌｅ  ＆  Ｗｉｒｅｌｅｓｓ  Ｗｏｒｌｄｗｉｄｅ、Ｎｅｔｗｏｒｋ  Ｒａｉｌ  Ｉｎｆｒａｓｔｒｕｃｔｕｒｅ  Ｌｔｄ、Ｖｏｄａｆｏｎｅなど（英国）になる。
【０１９１】
ロシアでは、携帯電話サービスプロバイダは、Ｍｏｂｉｌｅ  ＴｅｌｅＳｙｓｔｅｍｓ、ＭｅｇａＦｏｎ  ＯＪＳＣ、Ｎｅｗ  Ｔｅｌｅｐｈｏｎｅ  Ｃｏｍｐａｎｙ、ＯＪＳＣ  Ｕｒａｌｓｖｙａｚｉｎｆｏｒｍ、Ｔｅｌｅ２、Ｃｅｎｔｒａｌ  Ｔｅｌｅｃｏｍｍｕｎｉｃａｔｉｏｎ  Ｃｏｍｐａｎｙ、ＳｋｙＬｉｎｋ／ＭＴＳ／ｔｈｅ  Ｍｏｓｃｏｗ  Ｃｅｌｌｕｌａｒ  ｃｏｍｍｕｎｉｃａｔｉｏｎになる。
【０１９２】
（情報源はＷｉｋｉｐｅｄｉａである）
【０１９３】
図１２は、自動車／自宅に応用するための、本発明の実施形態１２００の好ましい活動化の一例を示す。図１２は、活動化アイコン１１５４／１３５４（図１１／図１３）が実行された後、端末機１０２がナビゲートするＤｅｖ車両／自宅活動化画面１２０２を提示する。この画面は、Ｄｅｖ１０６がサービスプロバイダのネットワークの中で活動化されるように、必要な情報をユーザに入力させることにより活動化処理を開始する。Ｄｅｖ１０６がネットワークに接続することができ、したがって、他の携帯電話および／または無線機器を呼び出し、データを伝達することができる前に、Ｄｅｖ１０６のユーザ／所有者が加入し、したがって、活動化が必要とされるサービスプロバイダにより認識される必要がある。
【０１９４】
本発明は、サービスプロバイダにより成し遂げられた進歩および向上を利用し、「まだ登録されていない移動体機器（Ｄｅｖ１０６）」が、接続され／ログインされ、活動化／準備および登録情報パラメータを移動体機器（すなわち、Ｄｅｖ１０６）とサービスプロバイダの装置／サーバとの間で交換するために、サービスプロバイダのネットワークに１回接続することができるＯＴＡ（Ｏｖｅｒ  Ｔｈｅ  Ａｉｒ、無線による）活動化手順を提供する。サービスプロバイダが、活動化処理に成功した後、Ｄｅｖ１０６を認識し、それ以降、Ｄｅｖ１０６が他の無線機器と声、メッセージ、ビデオなどを伝達することができるサービスプロバイダのネットワークに接続される。
【０１９５】
本発明は、Ｄｅｖ１０６活動化のための好ましい代表的なステップを以下に示す。
【０１９６】
ユーザが、サービスプロバイダに対してサービスランプを適用し、契約し、選択する。ユーザが、承認された後、好ましくは、サービスプロバイダからＩＰアドレス、ユーザＩＤ、活動化パスワードを受け取り、ユーザの端末機１０２を通して、すでに言及したように、好ましくはさらに活動化タイプ／方法論（ＮＡＭ、ＳＩＭ、ＭｏｄＳＩＭなど）および活動化キーを含む暗号化されたＵＴＡＩＤ（Ｕｎｉｑｕｅ  Ｔｅｍｐｏｒａｒｙ  Ａｃｔｉｖａｔｉｏｎ  Ｉｄｅｎｔｉｆｉｅｒ）を得る。端末機１０２がＵＴＡＩＤおよびユーザアカウント情報をＤｅｖ１０６に伝送することにより、活動化処理を開始する。次いで、Ｄｅｖ１０６がデータを処理し、ＵＴＡＩＤから活動化タイプを分離し、活動化タイプを復号し、それにしたがって（ＮＡＭ、ＳＩＭ、ＭｏｄＳＩＭ、または任意の他の活動化方法論）活動化を開始する。次いで、Ｄｅｖ１０６が一時的にサービスプロバイダのネットワークの中に許可されるとき、付随する活動化データと共に活動化キー、Ｄｅｖ  ＩＤパラメータをサービスプロバイダ１１２またはプロビジョンサーバ１１４に伝送する。次いで、活動化キーおよびデータが、活動化処理のために活動化キーおよびデータを認証し、ネットワークの中にＤｅｖ１０６を最終的に登録するサービスプロバイダ／プロビジョンサーバ／コンピュータによりＯＴＡ活動化プロセッサ（または責任を負うサーバ）にルーティングされる。Ｄｅｖ１０６はまた、Ｄｅｖ１０６が他の機器に伝達するデータを暗号化するために、ＵＴＡＩＤからＤｅｖ１０６のセキュリティ／暗号化キーを取得する。
【０１９７】
上記のステップを図１２および図１４に示す。
【０１９８】
ユーザが、画面のキーボード１２３５を使用して、（１２２４に示すような）サービスプロバイダのＩＰアドレス１２０８、（１２２６に示すような）活動化ユーザＩＤ１２１０、（１２２８に示すような）活動化パスワード１２１２、（１２２９に示すような）ユーザの端末機の電話番号１２１４を入力し、次いで、ＯＫアイコン１２３０を実行する。
【０１９９】
端末機１０２が、画面１２３８上に示すように、画面１２２０上でユーザが入力した情報をサービスプロバイダ／プロビジョンサーバ１１４に渡し、サービスプロバイダ１２４１のサーバ１２３９に活動化を要求する。パスワードが検証された後（１２４０）、次に、端末機がサーバからＵＴＡＩＤ１２４６と共に加入者のアカウント情報１２４２（またはＤｅｖ／アカウントの電話番号）、名前１２４４を受け取る。
【０２００】
次いで、端末機１０２がＤｅｖ１０６に接続し、ＳＲＣ１０４を介してＤｅｖ１０６と通信し（Ｄｅｖ１０６はまだネットワーク１１８に接続することができなかったので）（１２５３）、端末機１０２の電話番号１２５４、ユーザアカウント情報１２５６、ＵＴＡＩＤ１２５８を伝送し、Ｄｅｖから移動体セキュリティキー（ＭＳＫ）を受け取る（１２５９）。次いで、端末機がＤｅｖ１０６に活動化コマンドを伝送し（１２６０）、次いで、前記Ｄｅｖ１０６がその活動化を完了するのを待つ（１２６２）。Ｄｅｖ１０６がその活動化を完了したとき、Ｄｅｖ１０６の電源をリサイクルし（または図２／図３／図４のパワー・オン・リセット２４９を行い）、次いで、ネットワークの中に登録する。Ｄｅｖ１０６が所定のタイムアウト期間内にサービスプロバイダから確認メッセージを受け取るとすぐに（１２６８）、活動化を成功して完了する。ユーザが、受信箱でＤｅｖ１０６から活動化完了メッセージについて通知を受け（１２７４）、成功アイコン１２７６を実行して、活動化処理を完了する。Ｄｅｖ１０６が、上述のようにネットワークの中で活動化に成功した後、ユーザが応答するために、端末機１０２に確認メッセージ１２７４、１２９２／１２９６、および初期化アイコン１２９０／１２９４を送信することが好ましい。次いで、ユーザが、図１９／図２０で説明するように、Ｄｅｖのメモリの中にすべてのユーザの情報および端末機のパラメータを設定する際に、初期化アイコン１２９０／１２９４を実行する。任意選択で、ネットワークが１２６６に示すような仕組みをサポートしていないとき、ユーザが前記Ｄｅｖと通信するために、端末機の画面表示入力（図示せず）を介してユーザの端末機の中にＤｅｖの電話番号を手作業で入力することができる。
【０２０１】
図１４は、自動車／自宅に応用するための、本発明の実施形態１４００の好ましい活動化の一例を示す。ユーザは、好ましくは、（図１２、図１５Ａ〜図１７Ａで詳細に説明するような）ＯＴＡ（Ｏｖｅｒ  Ｔｈｅ  Ａｉｒ、無線の）活動化選択１４１６、手作業（手作業での活動化）選択１４１３、ＨＩＡ（Ｈａｎｄｓｅｔ  Ｉｍｉｔａｔｉｏｎ  Ａｃｔｉｖａｔｉｏｎ、端末機模倣活動化）選択１４１９、またはＨＡＡ（Ｈａｎｄｓｅｔ  Ａｓｓｉｓｔ  Ａｃｔｉｖａｔｉｏｎ、端末機支援活動化）選択１４１８を介して、端末機の画面１４０２に示すようにＤｅｖ活動化を開始する選択肢を有する。端末機支援活動化（ＨＡＡ）により、ユーザが（ＨＡＡアイコン１４１８がチェックマークをつけられ、次いで、ＯＫアイコン１４１５がユーザにより実行されたとき）ユーザの端末機を使用してＤｅｖを活動化し、Ｄｅｖが（図１２のＯＴＡ活動化の場合のように）プロバイダ／プロビジョンサーバと対話することなく、前記端末機を介して携帯電話プロバイダ／プロビジョンサーバと直接通信することができるようになる。
【０２０２】
ユーザが、端末機の電話番号１４２９と共に、プロバイダ／プロビジョンサーバの活動化ウェブアドレス１４２４、活動化ユーザＩＤ１４２６、および活動化パスワード１４２８を記入することによりＨＡＡを始める。次いで、ユーザがＯＫアイコン１４３０を実行し、携帯電話プロバイダ／プロビジョンサーバ１４３９への活動化リクエストおよびプロバイダ名１４４１を端末機が伝送していることを示す画面１４３６に、端末機をナビゲートする。画面はまた、端末機が正しい活動化パスワード１４４０を送信し、サービスプロバイダ／プロビジョンサーバ１１２からＵＴＡＩＤ１４４６と共にユーザアカウント情報１４４２（またはＤｅｖ／アカウント電話番号）および１４４４を受け取ることを示す（図１５Ａ／図１５Ｂのブロック１５０６Ａ／１５０６Ｂ、図１６Ａ／図１６Ｂのブロック１５０６Ａ／１６０６Ｂ、図１７／図１７Ａの１５０６Ａ／１７０６Ａでも同様）。次いで、端末機が、端末機の電話番号（１４５４）、アカウント情報１４５６、ＵＴＡＩＤ１４５８、および活動化するコマンド１４６０をＤｅｖに伝達する（伝送する）ことを表示する画面１４５０にナビゲートする（図１５Ａ／図１５Ｂのブロック１５０８Ａ／１５０８Ｂ、図１６Ａ／図１６Ｂのブロック１５０８Ａ／１６０８Ｂ、図１７／図１７Ａのブロック１５０８Ａ／１７０８Ａでも同様）。端末機はまた、肯定応答し、ＤｅｖからＭＳＫを受け取り、保存する（１４５９）（図１５Ａ／図１５Ｂのブロック１５０９Ａ／１５０９Ｂ、図１６Ａ／図１６Ｂのブロック１５０９Ａ／１６０９Ｂ、図１７図／１７Ａのブロック１５０９Ａ／１７０９Ａでも同様）。次に、端末機がＤｅｖの活動化キーおよびＩＤパラメータを受け取り（１４６１）（図１５Ａのブロック１５１０Ａ２、図１６Ａのブロック１６１０Ａ２、図１７のブロック１７１０ａでも同様）、活動化キー１４６２および前記パラメータ１４６３をプロバイダ／プロビジョンサーバに渡す（図１５Ａのステップ１５１０Ａ４、図１６Ａのステップ１６１０Ａ４、図１７のステップ１７１０ｃでも同様）。次いで、端末機がプロバイダ／プロビジョンサーバから活動化確認を（Ｄｅｖに割り当てられた電話番号１４６６およびＤｅｖの活動化／登録済みサービスＩＤパラメータ１４６５と共に）受け取り（図１５Ａのブロック１５１４Ａ２、図１６Ａのブロック１６１４Ａ２、図１７のブロック１７１４ａでも同様）、Ｄｅｖにそれら（確認およびＤｅｖの電話番号、サービスＩＤパラメータ）を渡す（１４６７）（図１５Ａのステップ１５１４Ａ４、図１６Ａのステップ１６１４Ａ４、図１７のステップ１７１４ｃでも同様）。Ｄｅｖ１０６が端末機から確認およびパラメータを受け取るとすぐに、これらすべてのパラメータをＤｅｖ１０６のメモリに保存し（図１５Ａ／図１５Ｂのブロック１５１６Ａ／１５１６Ｂ、図１６Ａ／図１６Ｂのブロック１６１６Ａ／１６１６Ｂ、図１７／図１７Ａの１７１６／１７１６Ａでも同様）、Ｄｅｖ１０６の電源をリサイクルし（図１５Ａ／図１５Ｂのブロック１５１９Ａ／１５１９Ｂ、図１６Ａ／図１６Ｂのブロック１６１９Ａ／１６１９Ｂ、図１７／図１７Ａの１７１９／１７１９Ａでも同様、または図２／図３／図４のパワー・オン・リセット２４９を行う）、次いで、ネットワークの中に登録する。次いで、Ｄｅｖが登録済み端末機にメッセージ１４９２／１４９６および初期化アイコン１２９０／１２９４を伝送し、端末機では、端末機のユーザが、図１９／図２０で説明するように、ユーザの情報すべておよび端末機のパラメータをＤｅｖのメモリの中に設定する際、初期化アイコン１４９０／１４９４を確認し（１４７６）、実行する。
【０２０３】
Ｄｅｖは、好ましくは、いくつかのメッセージを１回に１つ、相互の１時間以内に端末機のユーザから肯定応答を受け取るまで端末機に伝送する。そうでなければ、Ｄｅｖが２４時間以内に何も受け取らなかった場合、Ｄｅｖのメモリから端末機の電話番号を削除し、ユーザが活動化を再び開始しなければならない。
【０２０４】
図１５Ａ〜図１７Ａは、端末機１０２と、Ｄｅｖ１０６と、プロビジョンサーバ／プロバイダ１１４との間の対話を、端末機画面１２２０／１４２０、１２３６／１４３６、１２５０／１４５０、および１２７０／１４７０についてより詳細に示す。
【０２０５】
本発明は、活動化の３つの方法、たとえば：ＮＡＭ（Ｎａｍｅ  Ａｓｓｉｇｎｍｅｎｔ  Ｍｏｄｕｌｅ）、ＳＩＭ（Ｓｕｂｓｃｒｉｂｅｒ  Ｉｄｅｎｔｉｔｙ  Ｍｏｄｕｌｅ）、およびＭｏｄＳＩＭ（Ｍｏｄｉｆｉｅｄ  ＳＩＭ）を提示する。本発明はまた、本発明者にまだ知られていない、今もなお開発中である、および／または技術が進歩し、改善され続けるのでまだ開発されていない活動化のシステムおよび方法をサポートし、Ｄｅｖ１０６を、具体的には、任意の携帯電話サービスプロバイダの仕様および要件を満たす任意のサービスプロバイダで作動するように設計することができる。
【０２０６】
図１５Ａおよび図１５Ｂは、ＥＳＮ／ＭＥＩＤ／ＩＭＥＩ値ですでに事前にプログラム済みの名前割当モジュール（ＮＡＭ）記憶メモリ領域でＤｅｖ１０６を活動化する際の、本発明の実施形態５００Ａおよび１５００Ｂの好ましい活動化例を示す。
【０２０７】
図１５Ａおよび図１５Ｂは、ユーザが端末機の電話番号、サービスプロバイダ／プロビジョンサーバのＩＰアドレス、ユーザの活動化ＩＤ、活動化パスワードを入力し、コマンドＯＫアイコン１２３０／１４３０を実行するステップ１５０２Ａ／１５０２Ｂ（図１２／図１４の画面１２２０／１４２０に相当する）から始まる。次いで、端末機１０２が活動化リクエストおよび活動化パスワードを伝送し（１２４０／１４４０（図１２／図１４）および１５０４Ａ／１５０４Ｂ）、サービスプロバイダ／プロビジョンサーバからＵＴＡＩＤを受け取る（１２４６／１４４６および１５０６Ａ／１５０６Ｂ）。端末機１０２がステップ１２５４／１４５４、１２５６／１４５６、および１５０８Ａ／１５０８ＢでＤｅｖ１０６に端末機１０２の電話番号、ユーザのアカウント情報、およびＵＴＡＩＤを伝送する。
【０２０８】
Ｄｅｖ１０６が、好ましくは、活動化キーおよびＥＳＮ／ＭＥＩＤ／ＥＭＥＩ（Ｅｌｅｃｔｒｏｎｉｃ  Ｓｅｒｉａｌ  Ｎｕｍｂｅｒ／Ｍｏｂｉｌｅ  Ｅｑｕｉｐｍｅｎｔ  Ｉｄｅｎｔｉｆｉｅｒ／Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）を伝送することによりＯＴＡ活動化を開始する（１５１０Ａ／１５１０Ｂ）。ステップ１５１０Ａは、ＤｅｖがＯＴＡ（図１２）中にサービスプロバイダ／プロビジョンサーバにＤｅｖを活動化するパラメータを伝送することを示し、一方では、ＨＡＡ（図１４）中に端末機がＤｅｖから前記活動化するパラメータを受け取り（ステップ１５１０Ａ２）、次いで、これらのパラメータをサービスプロバイダ／プロビジョンサーバに伝送する（ステップ１５１０Ａ４）。サービスプロバイダ／プロビジョンサーバ１１２／１１４が活動化キーを受け取り、処理し、活動化キーが正しく、活動化キーをサービスプロバイダ／プロビジョンサーバ１１２／１１４のサーバデータベース内にあるユーザのアカウント情報に関連付けることができることを検証する（１５１２Ａ／１５１２Ｂ）。次いで、プロビジョンサーバ１１４が、好ましくは、割り当てられた電話番号、すべての他のパラメータ＊＊、および活動化肯定応答をＤｅｖ１０６に伝送する（１５１４Ａ／１５１４Ｂ）。ステップ１５１４Ａは、Ｄｅｖが、割り当てられた電話番号、すべての他のパラメータ＊＊、および活動化肯定応答をＯＴＡ（図１２）中にサービスプロバイダ／プロビジョンサーバに伝送することを示し、一方では、ＨＡＡ（図１４）中に端末機が前記活動化するパラメータおよび活動化肯定応答をサービスプロバイダ／プロビジョンサーバから受け取り（ステップ１５１４Ａ２）、次いで、それらをＤｅｖに伝送する（ステップ１５１４Ａ４）。
【０２０９】
（＊＊残りのＮＡＭパラメータは、システムＩＤ、アクセス・オーバーロード・クラス、グループＩＤマーク、初期ページングチャネル、ロックコード、ローカル・ユース・フラグ、Ａ／Ｂシステム選択、ＭＩＮマークフラグなどである）。
【０２１０】
次いで、Ｄｅｖ１０６がＮＡＭパラメータをＤｅｖ１０６のＮＡＭ記憶メモリ領域の中に（１５１６Ａ／１５１６Ｂ）、ならびに端末機１０２の電話番号およびユーザのアカウント情報をＤｅｖ１０６の端末機情報メモリ領域の中に記憶する（１５１８Ａ／１５１８Ｂ）。次いで、Ｄｅｖ１０６がその電源をリサイクルし（または図２／図３／図４のパワー・オン・リセット２４９し）、次いで、当業者に公知のように、ネットワークの中に登録する（１５１９Ａ／１５１９Ｂ）。Ｄｅｖ１０６がサービスプロバイダ１１２から確認肯定応答を受け取ったとき（１５２０Ａ／１５２０Ｂ）、活動化が成功し、換言すれば、Ｄｅｖがネットワークに接続することができる。
【０２１１】
活動化処理中、画面１２５０／１４５０ですでに示したように、好ましくは、Ｄｅｖ１０６が端末機１０２との間で（ＳＲＣ１０４を介して）活動化処理の進行状態を伝達し（ステップ１５１１Ａ）、同じく画面１２９２／１４９２に示すように、最終的に、携帯電話ネットワーク１１８を介してＤｅｖ初期化アイコン１２９０／１４９０または１２９４／１４９４と共に確認テキストメッセージを伝達する（１５２２Ａ／１５２２Ｂ）。次いで、ユーザが、好ましくは、前記端末機１０２がＤｅｖの機能および能力をすべて伝達し、利用するために、前記アイコンを実行して、（図１９および図２０に示すように）ユーザの端末機１０２上でＤｅｖ初期化処理を開始する。ユーザが初期化をすぐに行うことができない場合、好ましくは、Ｄｅｖ１０６が前記ユーザから確認応答を受け取るまで同じ初期化メッセージおよびアイコンをユーザの端末機に周期的に送信する。
【０２１２】
図１６Ａおよび図１６Ｂは、Ｄｅｖ１０６を加入者識別モジュール（ＳＩＭ）記憶メモリ領域で活動化する際の、本発明の実施形態１６００Ａおよび１６００Ｂの好ましい活動化例を示す。
【０２１３】
Ｄｅｖ１０６は、携帯電話サービスプロバイダまたはその提携する第三者により典型的な移動体端末機のＳＩＭと共に発行または製造された典型的な移動体端末機とは似ていない。これらの移動体端末機は、シリアル番号およびＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）が端末機のメモリの中に、またはバッテリにより端末機の内部に印刷されてすでに記録され、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）がＳＩＭモジュール、Ｋｉ（認証キー）、暗号化キー、場合によってはＩＣＣＩＤの中にプログラムされ、したがって、前記携帯電話サービスプロバイダに関連付けられ、その結果、最初の電源投入でサービスプロバイダのネットワークの中で容易に活動化されることができる。ＳＩＭモジュールはまた、記憶装置の役割を果たし、したがって、個人情報、たとえば：ユーザの電話帳、テキストメッセージ、画像などを含む。
【０２１４】
一方、Ｄｅｖ１０６は、どんな携帯電話サービスプロバイダにも結びつけられておらず、したがって、任意の携帯電話サービスプロバイダで作動するために、好ましくはソフトウェアのダウンロードおよび／または更新によってサポートするように設計される。
【０２１５】
Ｄｅｖ１０６はそれぞれ、Ｄｅｖ１０６自身の固有のＩＭＥＩ、および最小量のプログラムされたパラメータ、たとえばダミーＩＭＳＩ（または任意選択で、事前の活動化中にサービスプロバイダにより発行されるＵＴＡＩＤで得られるＩＭＳＩ）を含むＳＩＭ記憶メモリ領域を使って設計される。これにより、任意のサービスプロバイダが、活動化処理中にＤｅｖ１０６のＳＩＭメモリの中に記憶すべき残りのパラメータを供給することができるようになる。その結果、ユーザはいつなんどきでもサービスプロバイダを選択し、入念に選び、変更することができる。したがって、ＤｅｖのＳＩＭは、この代表的実施形態のような最小量の事前活動化パラメータを、すなわち、ＩＭＥＩまたはＳＮ（Ｄｅｖ１０６に関連付けることができるようにするためのシリアル番号）、活動化中に識別のためにＤｅｖが使用するＩＭＳＩ値を含む。そして、当然のことながら、サービスプロバイダがＤｅｖをユーザ／加入者に関連付けることができるように、すでに言及した活動化キーを含む。または、Ｄｅｖは、好ましくは、ＳＩＭパラメータ、たとえば：ＩＭＥＩ（Ｉｎｔｅｒｎａｔｉｏｎａｌ  Ｍｏｂｉｌｅ  Ｓｔａｔｉｏｎ  Ｅｑｕｉｐｍｅｎｔ  Ｉｄｅｎｔｉｔｙ）、ＥＳＮ／ＭＥＩＤ（Ｅｌｅｃｔｒｏｎｉｃ  Ｓｅｒｉａｌ  Ｎｕｍｂｅｒ／Ｍｏｂｉｌｅ  Ｅｑｕｉｐｍｅｎｔ  Ｉｄｅｎｔｉｆｉｅｒ）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＴＭＳＩ（Ｔｅｍｐｏｒａｒｙ  Ｍｏｂｉｌｅ  Ｅｑｕｉｐｍｅｎｔ  Ｉｄｅｎｔｉｔｙ）、ＭＳＩＳＤＮ（Ｍｏｂｉｌｅ  Ｓｕｂｓｃｒｉｂｅｒ  ＩＳＤＮ  Ｎｕｍｂｅｒ）などを使って、ＤｅｖのＮＶＲＡＭ（不揮発性ランダウ・アクセス・メモリ）またはＥＥＰＲＯＭ（図２／図３のブロック２６６）の中に工場でプログラムされる（図２／図３のブロック２６６）。これらのパラメータはＤｅｖにより、ＯＴＡ（図１２）またはＨＩＡ（図１８Ａ）活動化中にサービスプロバイダ／プロビジョンサーバに、またはＨＡＡ（図１４）活動化中にサービスプロバイダ／プロビジョンサーバにこれらのパラメータを伝送する端末機に伝送される。これらのパラメータは、図１８Ｂの画面１８４２Ｂの手作業での活動化コマンド１８５２Ｂ中にサービスプロバイダ／プロビジョンサーバに提供するために、Ｄｅｖ  ＩＤコマンド（図１１／図１３の１１４６／１３４６）を介してユーザにより取り出すことができる。
【０２１６】
この例は、図１５Ａ／図１５Ｂのステップ１５０２Ａ／１５０２Ｂ、１５０４Ａ／１５０４Ｂ、１５０６Ａ／１５０６Ｂ、および１５０８Ａ／１５０８Ｂで説明するのと同様に始まる。
【０２１７】
次いで、Ｄｅｖ１０６が活動化キー、ＩＭＥＩ、およびダミーＩＭＳＩを伝送することによりＯＴＡ活動化を続ける（１６１０Ａ／１６１０Ｂ）。ステップ１６１０Ａは、ＤｅｖがＯＴＡ（図１２）中にサービスプロバイダ／プロビジョンサーバにＤｅｖを活動化するパラメータを伝送することを示し、一方では、ＨＡＡ（図１４）中に、端末機がＤｅｖから前記活動化するパラメータを受け取り（ステップ１６１０Ａ２）、次いで、これらのパラメータをサービスプロバイダ／プロビジョンサーバに伝送する（ステップ１６１０Ａ４）。サービスプロバイダ／プロビジョンサーバ１１２／１１４が活動化キーを受け取り、処理し、活動化キーが有効であり、サービスプロバイダ／プロビジョンサーバ１１２／１１４のサーバデータベース内にあるユーザのアカウント情報に活動化キーを関連付けることができることを検証する（１６１２Ａ／１６１２Ｂ）。次いで、サーバがＳＩＭパラメータを、好ましくは、たとえば：割り当てられた電話番号（またはＭＳＩＳＤＮ（Ｍｏｂｉｌｅ  Ｓｕｂｓｃｒｉｂｅｒ  ＩＳＤＮ  ｎｕｍｂｅｒ））、ＩＭＳＩ、ＴＭＳＩ（Ｔｅｍｐｏｒａｒｙ  ＩＭＳＩ）、Ｋｉ（認証キー）、および活動化肯定応答をＤｅｖ１０６に伝送する（１６１４Ａ／１６１３４Ｂ）。ステップ１６１４Ａは、ＤｅｖがＯＴＡ（図１２）中にＳＩＭパラメータ＊＊、および活動化肯定応答をサービスプロバイダ／プロビジョンサーバに伝送することを示し、一方では、ＨＡＡ（図１４）中に端末機が前記ＳＩＭパラメータおよび活動化肯定応答をサービスプロバイダ／プロビジョンサーバから受け取り（ステップ１６１４Ａ２）、次いで、それらをＤｅｖに伝送する（ステップ１６１４Ａ４）。
【０２１８】
次いで、Ｄｅｖ１０６が、ＳＩＭパラメータをＤｅｖ１０６のＳＩＭ記憶メモリ領域の中に（１６１６Ａ／１６１６Ｂ）、ならびに端末機１０２の電話番号およびユーザのアカウント情報をＤｅｖ１０６の端末情報メモリ領域の中に記憶する（１６１８Ａ／１６１８Ｂ）。次いで、Ｄｅｖ１０６がその電源をリサイクルし（または図２／図３／図４のパワー・オン・リセットをし）、次いで、当業者に公知のように、ネットワークの中に登録する（１６１９Ａ／１６１９Ｂ）。Ｄｅｖ１０６がサービスプロバイダ１１２から確認肯定応答を受け取ったとき（１６２０Ａ／１６２０Ｂ）活動化が成功し、換言すれば、Ｄｅｖがネットワークに接続することができる。
【０２１９】
活動化処理中、Ｄｅｖ１０６が、好ましくは、画面１２５０／１４５０およびステップ１６１１Ａですでに示したように、ＳＲＣ１０４を介して端末機１０２との間で活動化処理の進行状態を伝達し、最終的に（受信箱画面１２８０／１４８０に示す１２９２／１４９２も同様）、携帯電話ネットワーク１１８を介してＤｅｖ初期化アイコン１２９０／１４９０と共に確認テキストメッセージを伝達する（１６２２Ａ／１６２２Ｂ）。次いで、好ましくは、前記端末機１０２がＤｅｖの機能および能力をすべて伝達し、利用するために、ユーザが前記アイコン１２９０／１４９０を実行して、（図１９および図２０に示すように）ユーザの端末１０２機上でＤｅｖ初期化処理を開始する。ユーザが初期化をすぐに行うことができない場合、好ましくは、Ｄｅｖ１０６が前記ユーザから確認応答を受け取るまで、同じ初期化メッセージおよびアイコンをユーザの端末機に周期的に送信する。
【０２２０】
図１７および図１７Ａは、Ｄｅｖ１０６を修正加入者識別モジュール（ＭｏｄＳＩＭ）記憶メモリ領域で活動化する際の、本発明の実施形態１７００および１７００Ａの好ましい活動化例を示す。
【０２２１】
ＭｏｄＳＩＭ活動化はＳＩＭの活動化に類似するが、より簡単である。Ｄｅｖ１０６がＤｅｖ１０６のＩＤパラメータおよび活動化キー（ＵＴＡＩＤから取得）だけをプロビジョンサーバに伝送し、プロビジョンサーバが前記ＩＤパラメータを受け取り、処理し、加入者と一緒に前記Ｄｅｖおよび前記活動化キーに関連付ける。次いで、プロビジョンサーバが登録肯定応答を生成し、Ｄｅｖの（ＯＤＡ）割り当てられた電話番号、ＴＭＳＩ、およびＫｉをＤｅｖに送り返す。
【０２２２】
Ｄｅｖ１０６が、図１５Ａ／図１５Ｂのステップ１５０２Ａ／１５０２Ｂ、１５０４Ａ／１５０４Ｂ、１５０６Ａ／１５０６Ｂ、および１５０８Ａ／１５０８Ｂで説明するのと同様に動き出す。
【０２２３】
次いで、Ｄｅｖ１０６が活動化キー、Ｄｅｖ１０６のＩＤパラメータ（ＤｅｖのＳ／Ｎ、部品番号、正業者名）を伝送することによりＯＴＡを続ける（１７１０／１７１０Ａ）。サービスプロバイダ／プロビジョンサーバ１１２／１１４が活動化キーを受け取り、処理し、活動化キーが有効であり、活動化キーをサービスプロバイダ／プロビジョンサーバ１１２／１１４のサーバデータベース内にあるユーザのアカウント情報に関連付けることができることを検証する（１７１２／１７１２Ａ）。次いで、サーバがＤｅｖ１０６にＭｏｄＳＩＭパラメータを、好ましくは、たとえば：割り当てられた電話番号、ＴＭＳＩ（Ｔｅｍｐｏｒａｒｙ  ＩＭＳＩ）、Ｋｉ（認証キー）、および活動化肯定応答を伝送する（１７１４／１７１４Ａ）。
【０２２４】
次いで、ＤｅｖがＭｏｄＳＩＭパラメータをＤｅｖのＭｏｄＳＩＭ記憶メモリ領域の中に（１７１６／１７１６Ａ）、端末機１０２の電話番号およびユーザのアカウント情報をＤｅｖの端末機情報メモリ領域の中に記憶する（１７１８／１７１８Ａ）。次いで、Ｄｅｖ１０６がその電源をリサイクルし（または図２／図３／図４のパワー・オン・リセットをし）、次いで、当業者に公知のように、ネットワークの中に登録する（１７１９／１７１９Ａ）。Ｄｅｖ１０６がサービスプロバイダ１１２から確認肯定応答を受け取ったとき（１７２０／１７２０Ａ）活動化が成功し、換言すれば、Ｄｅｖがネットワークに接続することができる。
【０２２５】
活動化処理中、Ｄｅｖ１０６が、好ましくは、画面１２５０／１４５０およびステップ１７１１ですでに示したように、（ＳＲＣ１０４を介して）端末機１０２との間で活動化処理の進行状態を伝達し、最終的に（受信箱画面１２８０／１４８０に示す１２９２／１４９２も同様）、Ｄｅｖ初期化アイコン１２９０／１４９０または１２９４／１４９４と共に携帯電話ネットワーク１１８を介して確認テキストメッセージを伝達する（１７２２／１７２２Ａ）。次いで、好ましくは、前記端末機１０２がＤｅｖの機能および能力をすべて伝達し、利用するために、ユーザが前記アイコン１２９０／１４９０または１２９４／１４９４を実行して、（図１９および図２０に示すように）ユーザの端末機１０２上でＤｅｖ初期化処理を開始する。ユーザが初期化をすぐに行うことができない場合、好ましくは、Ｄｅｖ１０６が前記ユーザから確認応答を受け取るまで、同じ初期化メッセージおよびアイコンをユーザの端末機に周期的に送信する。
【０２２６】
（図３および図６のハードウェアおよびソフトウェアの構成図に表すような）自宅への応用では、Ｄｅｖ１０６は固定された機器である。換言すれば、Ｄｅｖ１０６は通常、ローミングする必要がない。加入者アカウントのビット／フラグのような仕組みおよび方法が存在することが好ましいので、サービスプロバイダがＤｅｖ１０６を実際にローミングする典型的な移動体機器と区別することができ、その結果、サービスプロバイダの資源がＤｅｖ１０６をサポートするために割り当てられることがほとんどなく、そのためさらに、自宅への応用でユーザ／顧客に対するサービスコストを低減することができる。Ｄｅｖ１０６は（車両およびロボットへの応用とは異なり自宅への応用では）さらに、Ｄｅｖ１０６の登録（識別データ）がサービスプロバイダのネットワークで同じＭＳＣ／ＶＬＲでとどまる（存在する）ので、この方法のように、Ｄｅｖ１０６の存在を周期的にブロードキャストする必要がない。
【０２２７】
図１８Ａは、ユーザが、好ましくは、端末機模倣活動化選択を開始する選択肢を有し（図１４でＨＩＡアイコン１４１９にチェックマークがつけられ、次いで、ＯＫアイコン１４１５がユーザにより実行されたとき）、Ｄｅｖが、Ｄｅｖの活動化を開始するために前記端末機のサービスプロバイダのネットワークに接続することができるように、端末機の機能を一時的に引き継ぐことができるようにする、本発明の実施形態１８００Ａの好ましい活動化の一例を示す。ユーザが、（ＳＲＣを介して）次にＤｅｖに伝送される活動化情報を端末機の画面上で入力し、必要な活動化情報、たとえば：サービスプロバイダ／プロビジョンサーバの活動化ウェブサイトアドレス１８０６Ａ、活動化ユーザＩＤ１８０８Ａ、および活動化パラメータ１８１０Ａが、ユーザの端末機の電話番号１８１４Ａ（画面１８０２Ａ）と共にキーボード１８２０Ａを介して端末機上で入力される。ＯＫアイコン１８１２Ａが実行されたとき、それにより、端末機がＳＲＣを介してＤｅｖに前記データを渡す（ステップ１８２４Ａ、１８２６Ａ、および１８２８Ａ）。次いで、Ｄｅｖが端末機ＭＳＫ１８３０Ａを送り返し、ＩＭＳＩまたはＴＭＳＩを得て（ステップ１８３２Ａ）、ＩＭＳＩまたはＴＭＳＩを携帯電話サービスプロバイダに伝送し（１８３４Ａ）、次に、プロバイダが認証キーを要求する（１８３６Ａ）。Ｄｅｖが端末機から認証キーを要求し（１８３８Ａ）、受け取り（１８４０Ａ）、それをサーバに伝送し（１８４２Ａ）、（したがって、前記端末機のサービスアカウントおよび前記端末機の機器サービスＩＤを使用して）ネットワークに接続することができる。この時点で、端末機が端末機の携帯電話活動を一時的に中止する（ＩＭＳＩ、ＴＭＳＩを伝送しない、またはブロードキャストしないことにより、ＤｅｖによりＤｅｖ活動化完了について通知された後（１８６８Ａ／１８７０Ａ）、または特定の期間、たとえば５分未満の後だけ、前記活動化を再開する）。Ｄｅｖがネットワークに接続し（１８４４Ａ）、サービスプロバイダ／プロビジョンサーバのウェブサイトにオンラインになり（１８４６Ａ）、サービスプロバイダ／プロビジョンサーバに活動化リクエスト、ユーザＩＤ、およびパスワードを伝送する（１８４８Ａ）。サービスプロバイダ／プロビジョンサーバによりユーザＩＤおよびパスワードが検証され、渡された後（１８５０Ａ）、次いで、Ｄｅｖがサービスプロバイダ／プロビジョンサーバからユーザの個人的情報（すなわち、加入者名、住所など）およびアカウント情報（アカウント番号、サービスプラン、レートなど）１８５２Ａ、Ｄｅｖが活動化キーおよび他のパラメータを取得するＵＴＡＩＤを受け取る（１８５４Ａ）。次いで、Ｄｅｖがサービスプロバイダ／プロビジョンサーバに前記活動化キー、機器情報を伝送し（１８５６Ａ（ＮＡＭ）または１８５８Ａ（ＳＩＭ））、サービスプロバイダ／プロビジョンサーバが活動化肯定応答、電話番号、およびＮＡＭパラメータ（１８６０Ａ）またはＳＩＭパラメータ（１８６２Ａ）を伝送して戻す。次いで、ＤｅｖがすべてのＮＡＭ（１８６４Ａ）またはＳＩＭ（１８６６Ａ）をＤｅｖのメモリに記憶する。次いで、Ｄｅｖが電源をリサイクルし（パワー・オン・リセットし）、前記ネットワークに接続する。ＤｅｖがＤｅｖの活動化完了を端末機に通知し（１８６８Ａ）（したがって、端末機が端末機の携帯電話ネットワーク活動を再開することができる）、初期化アイコン１８８６Ａ／１８８８Ａおよびテキストメッセージ１８８２Ａ／１８８４Ａを端末機の受信箱に伝送する（１８７０Ａ）。Ｄｅｖが、好ましくは、Ｄｅｖのユーザから初期化アイコン肯定応答（１８８８Ａ）を受け取るまで、端末機にいくつかのメッセージを一度に１つ互いの１時間以内に伝送し、そうでなければ、２４時間以内に何も受け取らなかった場合、Ｄｅｖのメモリから端末機の電話番号を削除し、ユーザが活動化を再び開始しなければならない。次いで、ユーザがアイコン１８８６Ａ／１８８８Ａを実行して、図１９／図２０で説明するように、初期化処理を開始する。初期化が完了した後、ユーザがユーザの端末機を介してＤｅｖと完全に通信することができる。
【０２２８】
Ｗｉｋｉｐｅｄｉａ．ｃｏｍによれば、ＩＭＳＩ（１５桁以下）は、ＭＣＣ（Ｍｏｂｉｌｅ  Ｃｏｕｎｔｒｙ  Ｃｏｄｅ−３桁）、ＭＮＣ（Ｍｏｂｉｌｅ  Ｎｅｔｗｏｒｋ  Ｃｏｄｅ−ヨーロッパ／北米の標準では２／３桁）、およびＭＳＩＮ（ネットワークの顧客に基づく範囲内のＭｏｂｉｌｅ  Ｓｕｂｓｃｒｉｂｅｒ  Ｉｄｅｎｔｉｆｉｃａｔｉｏｎ  Ｎｕｍｂｅｒ）からなる。
【０２２９】
図１８Ｂは、ユーザが、好ましくは、手作業での活動化選択を開始する選択肢を有する、本発明の実施形態１８００Ｂの好ましい活動化の一例を示す。この活動化（ＮＡＭ）は、ユーザがユーザの個人情報およびアカウント情報をすでに所有する現在のサービスプロバイダに対してユーザの既存のアカウントに１行（Ｄｅｖへの電話番号）を追加したい場合のように簡単で、速い。活動化を準備するために、ユーザが顧客サービスと連絡をとる、または１行追加するオンラインリクエストを行う。顧客サービスの関係者がユーザの既存の主携帯電話番号、顧客の住所、税のＩＤ（すなわち、米国では社会保障番号の最後の４桁）を要求し、次に、好ましくはユーザの端末機へのテキストメッセージを介してユーザにユーザのＤｅｖの新しい番号および活動化コードを提供する。次に、ユーザが手作業アイコン１４１３を選択することにより活動化を開始し、ＯＫアイコン１４１５（図１４）を実行し、ユーザが端末機の電話番号１８０６Ｂ、１８０８Ｂ（２回）、ユーザＩＤ１８１０Ｂ、パスワード１８１２Ｂ、１８１４Ｂ（２回）を入力する画面１８０４Ｂまで端末機にナビゲートさせる。次いで、ユーザが１８１８Ｂを実行することにより、端末機がＤｅｖに前記情報を伝送し、次に、ＤｅｖがＭＳＫを端末機に伝送して戻し、端末機がＭＳＫを端末機のメモリに記憶する。次いで、ユーザがＤｅｖを準備する／活動化するために、サービスプロバイダ／プロビジョンサーバのウェブサイト１８４８Ｂ（画面１８４２Ｂ）にオンラインになる。ユーザがリクエスト情報、たとえば：Ｄｅｖの新しい電話番号１８５０Ｂおよび活動化コード１８５６Ｂ（サービス関係者によりユーザの端末機にすでにテキストで送られた）、ＤｅｖのＥＳＮまたはＭＥＩＤ（図１１／図１３のＤｅｖ  ＩＤアイコン１１４６／１３４６を実行することにより取り出され、その値を図２８Ｂの２８２６Ｂに示す）、および口座請求コード１８５４Ｂを入力し、活動化アイコン１８６０Ｂを実行する。短時間経過した後、Ｄｅｖがネットワークに接続中であることをユーザに通知するメッセージ１８７２Ｂまたは１８７４Ｂを、ユーザが受信箱で受け取る。次いで、ユーザがアイコン１８７６Ｂ／１８７８Ｂを実行して、図１９／図２０で説明するように、初期化処理を開始する。初期化完了後、ユーザがユーザの端末機を介してＤｅｖと完全に通信することができる。
【０２３０】
図１８Ｃは、ユーザがＤｅｖ（制御および監視システム、またはＭ／Ｃ）の内部で何が進行しているかを見ることができるようにＤｅｖが表示装置（図２／図３／図４のビデオコネクタ２７２を介す）を備える、本発明の実施形態１８００Ｃの好ましい活動化の一例を示す。Ｄｅｖ（自動車）の表示画面１８０４Ｃは、ユーザが車のイグニションキーを始動し、Ｍ／Ｃボタン１８１２Ｃを選択したときにオンになり、一方では、Ｄｅｖ（自宅の）表示装置は、Ｄｅｖの電源が投入される（１８３６Ｃ）とすぐに、常にオンになる。Ｄｅｖのハードキーパッド１８０６Ｃ（自動車への応用）およびソフトキーボード１８２２Ｃ（自動車／自宅への応用）を通して任意選択でＤｅｖの設定およびプログラムを行うことができる。さらに、計器盤コンソール表示装置が、図４２Ｂの画面４２３２Ｂを使用する警察官の場合のように、そのＤｅｖが他のＤｅｖと通信し、他のＤｅｖを制御し、監視することができるコマンドを表示するために使用される。
【０２３１】
図１８Ｄは、ユーザが、好ましくは、ＳＩＭカードコネクタ１８２１Ｄを通して、有効なＳＩＭ／ＵＳＩＭカード１８０２Ｄを挿入することによりＤｅｖ登録を開始する選択肢を有する、本発明の実施形態１８００Ｄの好ましい活動化の一例を示す。この場合、Ｄｅｖ（ＣＰＵ）が外部割込み１８０４Ｄを受け取り、そのアカウントが有効かそうではないかを検証する（１８０６Ｄ）。Ｄｅｖのアカウントが有効である場合、マルチアカウントが選択されているかどうか確かめる（ブロック１８１０Ｄ）。Ｄｅｖがマルチ・アカウント・モードではない場合（ユーザの端末機で図１１／図１３のマルチ・アカウント・アイコン１１７９／１３７９が実行されていない）、前記ＳＩＭカードの現在のアカウントが有効であるので（表示メッセージ１８２０Ｄ）、ユーザが前記ＳＩＭカードを使用してＤｅｖを登録することができないことをユーザに告げるメッセージ１８２３ＤをＤｅｖが表示する。Ｄｅｖはまた、現在のアカウントを非活動化するようユーザに通知する（表示メッセージ１８２２Ｄ、そのアカウントがただ１つだけの存在するアカウントである場合）、またはユーザが前記ＳＩＭ／ＵＳＩＭカードを登録するために、マルチ・アカウント・モードを有効にする（表示メッセージ１８２４Ｄ）ことができる。Ｄｅｖはまた、ユーザの登録済み端末機に前記動作（１８０８Ｄ）についてユーザに警告を発するテキストメッセージを送信する。Ｄｅｖがマルチ・アカウント・モードではない場合（ブロック１９１０Ｄ）、ユーザＩＤおよびセキュリティパスワード１８３４Ｄを入力するようにユーザを促し（画面１８３０Ｄ）、前記ユーザＩＤおよびパスワードが正しい場合（１８４４Ｄ）、Ｄｅｖが前記ＳＩＭ／ＵＳＩＭカード（パラメータ）１８６４Ｄを使ってネットワークに接続しようとする。Ｄｅｖがネットワークに接続することができない場合、画面１８６６Ｄにナビゲートし、前記ＳＩＭ／ＵＳＩＭが失敗した（１８７０Ｄ）ことをユーザに通知し、そうでなければ、ユーザがこれから前記ＳＩＭ／ＵＳＩＭカードを使ってＤｅｖと通信することができるようにするテキストメッセージをユーザの登録済み端末機に伝送する（１８６５Ｄ）画面１８６５Ｄにナビゲートする。ユーザが、限られた入力（たとえば、３回の試み）の後に正しいパスワード１８３６Ｄ（入力画面１８３２Ｄ）を与えることができない場合、Ｄｅｖは、ユーザがユーザの電子メール（図示せず）でユーザのパスワードを回復することができるパスワード回復処理を提供する。
【０２３２】
Ｄｅｖが有効なアカウントを何も含まない場合（ブロック１８０６Ｄ），ユーザにユーザのユーザＩＤ１８５０Ｄ、パスワード１８５２Ｄ、および端末機の電話番号１８５４Ｄを入力するように要求することにより新しいアカウントを設定し、次いで、ユーザが１８６０Ｄを実行して、端末機にＳＲＣを介して前記情報をＤｅｖに伝送させ、前記Ｄｅｖが前記ＳＩＭ／ＵＳＩＭカードパラメータを使用してネットワークに接続しようとする（ＳＩＭカードは通常、１つの特定のキャリアで動作するようにプログラムされいるが、ＵＳＩＭ／ユニバーサルＳＩＭは、任意のキャリアで動作する）。次に、Ｄｅｖがこの時点から先、前記キーを端末機に関連付けるために、端末機にＭＳＫを伝送する（１８６３Ｄ）。Ｄｅｖがネットワークに接続しようとし（１８７８Ｃ）、ネットワークに接続することができない場合、画面１８６６Ｄにナビゲートし、前記ＳＩＭ／ＵＳＩＭが失敗した（１８７０Ｄ）ことをユーザに知らせ、ネットワークに接続することができた場合、Ｄｅｖは画面１８８０Ｄにナビゲートし、この画面で、Ｄｅｖが、テキストおよび初期化アイコンがユーザの端末機に伝送されたことを通知し（１８８４Ｄ／１８８６Ｄ）、ユーザが、図１９／図２０で説明するような初期化画面にユーザをナビゲートする初期化アイコン１８８８Ｄ／１８９０Ｄを確認し、実行するので、ユーザが前記Ｄｅｖを初期化することができる。
【０２３３】
これまで、および本明細書により列挙される活動化パラメータ、機器ＩＤパラメータ、活動化肯定応答パラメータ（たとえば：ＥＳＮ、ＭＥＩＤ、ＩＭＥＩ、ＳＩＤ、Ｋｉ、ＭＳＩＳＤＮ、ＩＭＳＩ、ＴＭＳＩ、Ｓ／Ｎ、製造業者名など）は、当業者に公知のように、提示する１つまたは複数のものに制限または限定されるのでは全くなく、他のパラメータを含んでもよい、または提示されない他のパラメータとすることができる。
【０２３４】
マルチアカウントの特徴（図１１／図１３の１１７９／１３７９）により、ユーザが、デフォルトの、またはすでに選択され、一度に使用することができるただ１つの有効なアカウントだけで、いつでもＤｅｖの中に複数のアカウントを存在させることができるようになる。これにより、ユーザが現在存在するネットワークから前記Ｄｅｖを非活動化する必要なしに前記キャリアネットワークの中にＤｅｖを接続することにより、新しい特定のキャリアで最も好ましいアカウントを使用することができるようになる。換言すれば、ユーザがＤｅｖのために新しいネットワークを常に選択することができる、またはユーザがそうすることが有利であるとき、任意の既存のアカウントに戻ることができる。さらに、各アカウントが異なるＤｅｖアカウントＩＤを、たとえば、活動化／登録中にＤｅｖに割り当てられたＤｅｖの電話番号および／またはＭＳＫ、アカウント番号、などを有することが好ましく、各アカウントパラメータがＤｅｖのメモリと端末機のメモリの両方に記憶され、各アカウントがそれ自体、Ｄｅｖのためのメモリ領域５４２／６４２、５４８／６４８、および５５０／６５０、ならびに端末機のためのメモリ領域７５２Ａ／７５２Ｂを分離する。その結果、このように分離することにより、当業者により一般的に実施されるように、Ｄｅｖと端末機の通信中に前記アカウントが利用されているとき、Ｄｅｖと端末機の両方のアプリケーションが各アカウントの別個のパラメータを取り出すので、端末機（または端末機の登録済み移動体／無線／有線機器のだれでも）とＤｅｖの間の通信が高速で、単純になる。
【０２３５】
Ｄｅｖが複数のアカウントを含むとき、どのアカウントを非活動化するか、または削除するかを選択するようにユーザを促すことが好ましい。Ｄｅｖがもはやアカウントを全く含まないとき（すべてのアカウントが削除された）、すべてのユーザの個人情報およびアカウント情報がメモリから取り除かれ、その結果、新しいユーザがユーザの新しい個人情報およびアカウント情報をＤｅｖの中にプログラムすることができるようにすることもまた好ましい。
【０２３６】
図１９および図２０は、本発明の実施形態１９００および２０００の好ましい応用の一例を示す。この代表的な実施形態は、ユーザの個人情報および端末機のパラメータをＤｅｖ１０６の中で初期化するために、前記Ｄｅｖが携帯電話ネットワークの中で活動化および登録に成功した後に、ユーザがユーザの端末機で行う好ましいステップを提示する。
【０２３７】
ユーザが端末機１０２を端末機の自動車／自宅機器初期化画面１９０２／２００２にナビゲートする初期化アイコン１２９０／１４９０／１８８６Ａ／１８７６Ｂまたは１２９４／１４９４／１８８８Ａ／１８７８Ａ（ユーザが受信箱で受け取った、図１２／図１４／図１８Ｂの画面１２８０／１４８０／１８８０Ａ／１８７０Ａ）を実行することにより開始する。次に、ユーザがユーザの選んだアカウント・セキュリティ・パスワード（１９１４／２０１４および１９１６／２０１６）、端末機の選ばれたパスワード１９１８／２０１８を入力し、次いで、１９０６／２００６を実行することにより、端末機１０２がＤｅｖ１０６にコマンドおよび情報を伝送し（流れ図１９７０／２０７０のステップ１９７６／２０７６および１９７８／２０７８でも同様）、Ｄｅｖ１０６がコマンドを処理し、（識別のための日常的な慣行として）それぞれ２回入力された２つのパスワードが一致することを検証する。次いで、要求された情報をＤｅｖ１０６が送り返し、端末機１０２がその情報を画面１９２０／２０２０上に表示する。この画面は、（端末機が、活動化処理中にすでにＤｅｖ１０６に渡した）端末機の電話番号１９２４／２０２４および端末機のパスワード、サービスプロバイダ名およびアカウント情報１９２６／２０２６、Ｄｅｖの電話番号１９２７／２０２７、Ｄｅｖのセキュリティパスワード１９２３／２０２３、ならびにユーザ名（１９２５／２０２５）を示す。ユーザが残りの情報を記入する必要があり、完了したときに、その情報が画面１９３０／２０３０に示されるように提示される。
【０２３８】
画面１９３０／２０３０では（同じくステップ２０８２に示すように）、ユーザが車の製造業者およびモデル、ナンバープレート１９３４（自動車Ｄｅｖのため）または家の住所２０３４（自宅Ｄｅｖのため）、アカウント・セキュリティ・パスワード１９３６／２０３６、登録済み電話番号１９３７／２０３７およびそのパスワード、アカウント名およびサービスプロバイダのアカウント番号１９３８／２０３８、Ｄｅｖの電話番号１９４０／２０４０、パスワード回復のための電子メールアドレス１９４２／２０４２、緊急センタの電話番号１９４６／２０４６、ならびに複数の他の必要な情報（当業者に公知のように、明確にするため、および提示を容易にするために図示せず）を入力する。次いで、ユーザが実行アイコン１９５４／２０５４を実行することにより、端末機１０２が端末機１０２のメモリの中にＤｅｖの電話番号１９８４／２０３４を記憶し、（ステップ１９８６／２０８６に示すように）Ｄｅｖ１０６にコマンドおよび情報を伝送し、Ｄｅｖ１０６がコマンドおよび情報を処理し、Ｄｅｖ１０６のメモリの中に保存する（１９８８／２０８８）。Ｄｅｖはまた、暗号化されたＭＳＫを更新し（１９８９ａ／２０８９ａ）、それを端末機に伝送し（１９８９／２０８９）、端末機がそれを端末機のメモリの中に記憶する（１９８９ｂ／２０８９ｂ）。ＭＳＫを更新することにより、望ましくない端末機または機器が、古い、有効期限が過ぎたＭＳＫを使用してＤｅｖと通信しようとするので、前記機器が以前の活動化中にいつのぞきまわっていたかをＤｅｖが探し当て、次いで、ＤｅｖがＤｅｖの登録済み端末機にそのような活動について警告を発することができる。次いで、画面１９３０ａ／２０３０ａに示すように、Ｄｅｖ１０６が情報１９９２／２０９２を伝送して戻し（１９９０／２０９０）、ユーザがその情報を再び編集する（１９５２ａ／２０５２ａ）、または１９５０ａ／２０５０ａを実行することにより初期化処理を終了する。機器名（１９３３／２０３３）により、ユーザがＤｅｖの名称を編集できるので、前記名称を前記Ｄｅｖの下で保存することができ（画面１９９４／２０９４の１９９８／２０９８）、複数のＤｅｖ（Ｄｅｖ１９９６／２０９６およびＤｅｖ１９９８／２０９８）が中に存在する、またはユーザの端末機により制御され、監視されている場合のように、ユーザがどのＤｅｖを処理すべきかをすぐに知ることができるようになる。たとえば、ユーザが２台の車両（青のセダンおよび白のクーペ）、または複数の自宅、たとえば：サラの自宅および別荘を有してもよい。
【０２３９】
エアバッグ２２６（図２）が膨張した、またはＤｅｖの家が火事（煙警報）３０４（図３）になっているときに、警察および緊急の電話番号１９４６／２０４６（米国およびカナダの９１１（ステップ１９６０／２０６０）−中国本土の１１０および１１９、香港の９９９−ＥＵの１１２−台湾、日本、韓国、フランスの１１９、インドの１００および１０１、メキシコの０６６および０６８、ブラジルの１９０および１９３）が呼び出され、Ｄｅｖ１０６により声およびテキストのメッセージが送信され、他の登録済み端末機１０２にもさらに送信される。電子メールアドレス１９４２／２０４２は、ユーザがアカウント・セキュリティ・コードを忘れたときのパスワード回復のためのものである。次いで、Ｄｅｖ１０６が電子メールサーバ１１６にパスワードおよび電子メールアドレスを送信し、ユーザがユーザのパスワードを回復するために、電子メールサーバ１１６に、記憶された電子メールアドレス１９４２ａ／２０４２ａに電子メールさせる。Ｄｅｖの電話番号１９２６／２０２６（電話番号９１６−１２２−９８７６／９１６−１２２−９８７７）が端末機アプリケーションソフトウェアにより使用され、端末機のメモリの中に記憶されるので（ステップ１９８４／２０８４）、端末機アプリケーションユーザがその番号を使用して、Ｄｅｖ１０６と通信する。換言すれば、Ｄｅｖ宛ての端末機の携帯電話コマンドすべてが（第二者および第三者により転送され、実行されたものを含む）前記Ｄｅｖの電話番号を使って常に符号化される。現在のところ、前記電話番号は暗号化されても、されなくてもよく、前記電話番号が第三者にさらされないように、およびさらに、ハッカーがどんなネットワーク侵害でもひそかに探し求めることが困難になるように、携帯電話サービスプロバイダ業界が前記電話番号の暗号化に対応することが好ましい（そのため、この場合、それに応じて本発明では前記電話番号が暗号化される）。
【０２４０】
図２１Ａは、本発明の実施形態２１００Ａの好ましい応用の一例を示す。この代表的な実施形態は、Ｄｅｖ１０６の中に新しい端末機１０２を追加する（登録する）ために、ユーザによりユーザの端末機で行われる好ましいステップを提示する。
【０２４１】
Ｄｅｖ１０６の中に登録される新しい端末機１０２をユーザが追加することができる。追加（登録）後、新しい端末機１０２は、登録済み端末機１０２としてすべての制御、プログラム、および監視能力を有する。
【０２４２】
ユーザが画面１１５０／１３５０（図１１／図１３）で端末機追加アイコン１１７２／１３７２を実行し、アカウント・セキュリティ・パスワード入力を得るためにユーザを促す端末機の画面２１０２Ａ／２１５２Ａ上に示されるように新端末機追加メニューにユーザの端末機をナビゲートする。ユーザがアカウント・セキュリティ・パスワード２１０８Ａまたは２１５８Ａを入力し、ＯＫアイコンを実行することにより、端末機がＤｅｖ１０６にコマンドおよびデータを伝送し、Ｄｅｖ１０６がデータを検証し、実行する。アカウント・セキュリティ・パスワードが一致する場合、Ｄｅｖ１０６が車両／自宅情報２１１０Ａ／２１６０Ａを送り返し、新しい端末機の選択されたパスワード２１１２Ａ／２１６２Ａを得るためにユーザを促す。次いで、ユーザが、新しい端末機の選択されたパスワード２１１３Ａ／２１６３Ａを入力する。自動車への応用では、ユーザの新しい電話番号入力のために、単一の端末機カテゴリ２１１４Ａが必要である。一方、自宅への応用では、３つのカテゴリ、たとえば：家族の一員の電話入力２１６４Ａ、お手伝い（すなわち、メイドサービス）電話入力２１６５Ａ、友人または一時的一員の電話入力２１６７Ａが必要であり、これらの中から、ユーザが新しい端末機の電話番号を入力するために１つだけを選択する。この代表的な実施形態では、ユーザが、ユーザの家族の一員の端末機の電話番号２１６４Ａを入力し、次いで、ＯＫアイコン２１１６Ａ／２１６６Ａを実行することにより、端末機１０２がＤｅｖ１０６にコマンドおよびデータを伝送すると仮定する。Ｄｅｖ１０６がデータを検証し、処理し、次いで、端末機１０２に伝送して戻し、端末機１０２がユーザの検証用に、画面２１２０Ａ／２１７０Ａにデータを表示する。次いで、ユーザが確認アイコン２１３４Ａ／２１８４Ａを実行し、このアイコンにより、端末機１０２がＤｅｖ１０６に確認を伝送して戻し、Ｄｅｖ１０６がメモリ内の端末機の機器情報ファイルを処理し、更新し、それを端末機１０２に送り返し、端末機１０２がそれを端末機１０２自身のメモリに記憶し、それを端末機１０２の画面２１４０Ａ／２１９０Ａに表示する。後で、図２８で説明するように、ユーザが最新の機器情報を常に取り出す、見る、または要求することできる。Ｄｅｖ１０６はまた、図２２に示すように、ユーザがサインインを開始することができる追加された端末機１０２に、図２２の画面２２０２上に示すように、アプリケーション・ダウンロード・リンクおよびサイン・イン・アイコン２２１４（Ｄｅｖ１０６の電話番号を含む）付きの指令メッセージを送信する。
【０２４３】
図２１Ｂは、本発明の実施形態２１００Ｂの好ましい応用の一例を示す。この代表的な実施形態は、制限モードまたは一時的モードで新しい端末機１０２をＤｅｖ１０６の中に追加する（登録する）ために、ユーザによりユーザの端末機で行われる好ましいステップを提示する。
【０２４４】
図２１Ｂは、お手伝い２１１５Ｂに関してたった今入力された端末機の電話番号を含む画面２１０２Ｂにユーザの端末機を導く、世帯の一員の端末機の電話番号２１６５Ａを（図２１Ａの画面２１５２Ａで）ユーザが入力した場合を提示する。または、図２１Ｂは、友人（一時的一員）２１６７Ｂに関してたった今入力された端末機の電話番号を含む画面２１５２Ｂにユーザの端末機を導く、友人（一時的一員）の端末機の電話番号２１６７Ａを（図２１Ａの画面２１５２Ａで）ユーザが入力した場合を提示する。次いで、ユーザがＯＫアイコン２１１６Ｂ／２１６６Ｂを実行することにより、端末機１０２がＤｅｖ１０６にコマンドおよびデータを伝送する。Ｄｅｖ１０６がデータを検証し、処理し、次いで、端末機１０２に伝送して戻し、端末機１０２がユーザの検証用に、画面２１２０Ｂ／２１７０Ｂにデータを表示する。画面２１２２０Ｂは追加された端末機が制限モードにあることを提示し、一方では、画面２１７０Ｂは追加された端末機が一時的モードにあることを提示する。次いで、ユーザが確認アイコン２１３４Ｂ／２１８４Ｂを実行することにより、端末機１０２がＤｅｖ１０６に確認を伝送して戻し、Ｄｅｖ１０６がメモリ内の端末機の機器情報ファイルを処理し、更新し、それを端末機１０２に送り返し、端末機１０２はまた、好ましくはそれを端末機１０２自身のメモリに記憶する。ユーザは（後で、図２８で説明するように）最新の機器情報を常に取り出す、見る、または要求することができる。Ｄｅｖ１０６はまた、図２２に示すように、ユーザがサインインを開始することができる追加された端末機１０２に、図２２の画面２２０２上に示すように、アプリケーション・ダウンロード・リンクおよびサイン・イン・アイコン２２１４（Ｄｅｖ１０６の電話番号を含む）付きの指令メッセージを送信する。
【０２４５】
一時的に登録された端末機１０２、たとえば：家に一時的にアクセスできる友人、客、または隣人が所有する端末機は、好ましくは、開始日（２１６７Ｂ１）および開始時刻（図示せず）、終了日（２１６７Ｂ２）および終了時刻（図示せず）でプログラムされ、端末機の家へのアクセス特権が、一般に登録された端末機１０２の特権と同じようなものである。この端末機１０２は、前記Ｄｅｖ１０６の中に他の端末機１０２を登録する能力を全く有せず、新しいネットワークの中にＤｅｖ１０６を活動化する能力も全く有しない。この端末機１０２は、有効期限日（２１６７Ｂ）にＤｅｖ１０６から自動的に取り除かれる（登録抹消される）。
【０２４６】
お手伝いの一員の端末機１０２は、週の特定の時刻および日付（図示せず）に家または敷地の中に出入りする、家のセキュリティ警報をオンにする、またはオフにすることだけができるように機能が制限されることが好ましい。この端末機１０２は、Ｄｅｖ１０６に他の何かを制御し、観察し、監視するように命令することが全くできず、Ｄｅｖ１０６の中に他の端末機１０２を登録する能力を全く有することができない。
【０２４７】
この実施形態により、好ましくは、自宅から（近くに、または遠く）離れた、または出張中、またはどこかで休暇中のＤｅｖ１０６のユーザが、ユーザ自身の登録済み端末機１０２を使用してユーザの友人の端末機１０２を遠隔でＤｅｖ１０６に追加する（登録する）ことができるようになる。これにより、友人が、ユーザ自身の端末機１０２を使用して、任意のプログラム可能な期間、ユーザの家に滞在するために出入りすることができるようになる。ユーザはまた、好ましくは、図１３の画面１３２０で端末機出入り活動リストアイコン１３４２を実行することにより、前記友人（図示せず）またはお手伝いの一員（図示せず）の出入りの日時の記録をとることさえできる。お手伝いまたは友人は、好ましくは、Ｄｅｖ１０６に関連するソフトウェアアプリケーションを、それがもはや必要とされないとき、お手伝いまたは友人の端末機１０２からいつでも取り除くことができる。
【０２４８】
図２２は、本発明の実施形態２２００の好ましい応用の一例を示す。この代表的な実施形態は、ユーザの新しく追加された端末機１０２で、Ｄｅｖ１０６の中に前記端末機１０２をサインインするために、ユーザにより行われる好ましいステップを提示する。
【０２４９】
最近追加された（登録された）端末機１０２のユーザが、ユーザの端末機１０２がＤｅｖ１０６で作動するように、アプリケーション２２１０をダウンロードし、次いで、サインイン２２１２する必要があるという通知２２０４をＤｅｖ１０６からユーザの受信箱（画面２２０２）で受け取る（流れ図２２４０のステップ２２４２）。ユーザが、同じくステップ２２４４に示される、アプリケーションダウンロードのためのアプリケーションＵＲＬ（２２１０）を最初に実行する（アプリケーションをダウンロードするステップが図９／図１０の画面９２０／１０２０、９４０／１０４０、９６０／１０６０、および９８０／１０８０ですでに説明されたダウンロードリンク２２１０）。ステップ２２４６でアプリケーションがダウンロードされた後（ユーザの端末機がそのようなアプリケーションを含まないと仮定する。そうでなければ、ユーザがサインインするだけである）、次いで、ユーザがユーザの正しい端末機パスワード２２２６（端末機を追加する／登録するユーザが、図２１Ａの画面２１０２Ａ／２１５２Ａで割り当てたパスワード２１１３Ａ／２１６３Ａ、または図２１Ｂの画面２１０２Ｂ／２１５２Ｂで割り当てたパスワード２１１３Ｂ／２１６３Ｂと同じパスワードである）を入力する画面２２２０に端末機１０２をナビゲートするサイン・イン・アイコン２２１４（ステップ２２４８にも示されている）を実行する。ユーザが最終的に実行し（実行アイコン２２２８）、端末機１０２が端末機１０２のメモリの中にＤｅｖの電話番号を記憶することができるようにし（グラフ２２４０の２２５０）、Ｄｅｖ１０６に肯定応答を伝送する。Ｄｅｖが肯定応答を受け取り（２２５２）、次いで、画面２２６０に示すように（フローチャート２２４０で）登録する端末機１０２のユーザに通知（２２６２）を伝送する（ステップ２２５４）。これからは、サインインした端末機１０２およびＤｅｖ１０６が互いに通信することができる（２２５６）。
【０２５０】
図２３は、本発明の実施形態２３００の好ましい応用の一例を示す。この代表的な実施形態は、Ｄｅｖ１０６から登録済み端末機１０２を取り除くために、ユーザによりユーザの端末機１０２で行われる好ましいステップを提示する。
【０２５１】
ユーザが図１１／図１３の画面１１５０／１３５０で、端末機削除アイコン１１７６／１３７６を実行し、それにより、ユーザの端末機が、アカウント・セキュリティ・パスワード入力を得るためにユーザを促すユーザの端末機の画面２３０２／２３５２上に示されるような端末機削除メニューにナビゲートする。ユーザがアカウント・セキュリティ・パスワード２３０８／２３５８を入力し、次いで、ＯＫアイコン２３１６／２３６６を実行することにより、端末機１０２がＤｅｖ１０６にコマンドおよびデータを伝送し、Ｄｅｖ１０６がデータを検証し、処理する。アカウント・セキュリティ・パスワードが正しい場合、Ｄｅｖ１０６がＤｅｖの自動車／自宅情報２３１０／２３６０、およびＤｅｖの登録済み端末機の電話番号２３１２／２３６２を伝送して戻し、次いで、取り除かれようとしている端末機１０２の電話番号を得るためにユーザを促す（２３１４／２３６４）。ユーザが、取り除かれようとしている端末機の電話番号を入力し（２３１４／２３６４）、次いで、ＯＫアイコン２３１６／２３６６を実行することにより、端末機１０２がＤｅｖ１０６にコマンドおよびデータを伝送する。Ｄｅｖ１０６がデータを検証し、処理し、次いで、確認２３２８／２３７８および２３３０／２３８０のためにデータをユーザの端末機１０２に伝送して戻す（画面２３２０／２３７０）。次いで、ユーザが確認することにより（２３３４／２３８４）、端末機１０２がＤｅｖ１０６に確認を伝送し、Ｄｅｖ１０６がＤｅｖ１０６の機器情報を検証し、処理し、更新し、それを端末機１０２に送り返し（２３４０／２３９０）、端末機１０２が取り除かれたことを示す（２３４６／２３９６）。登録済み機器にそれぞれ関連付けられた移動体セキュリティキー（ＭＳＫ）を示す図２３はまた、図２１Ａ／図２１Ｂの２３１３、２３４５、２３６３および２３９５、ならびに２１４５Ａ／２１４５Ｂ、２１９５Ａ／２１９５Ｂのように例示のためだけにある。換言すれば、Ｄｅｖがこれらの暗号化されたパラメータをユーザに伝達する必要は全くない。
【０２５２】
図２４Ａは、本発明の実施形態２４００Ａの好ましい一例を示す。この代表的な実施形態は、ユーザが、許可された試み（すなわち、３回の呼試み）を超えて正しいパスワードを入力することができなかったときの、Ｄｅｖ１０６のパスワード回復の好ましいプログラムの流れを提示する。
【０２５３】
図２４Ａは、ユーザが正しいパスワードを入力することができず、したがって、電子メールサーバからユーザの電子メールアカウントで正しいパスワードを戻して受け取ることができるときの、パスワード回復の仕組みを示す。パスワード回復が発生する可能性がある一例が、図１１／図１３のアイコン１１５６／１３５６に表すように、ユーザが自動車／自宅機器構成コマンドを見たい、または編集したいときである。
【０２５４】
ユーザが自動車／自宅機器構成コマンドアイコン（図１１／図１３の１１５６／１３５６）を実行した後、ユーザの端末機１０２にＤｅｖ１０６までコマンドを伝送させ、Ｄｅｖ１０６が前記コマンドを処理し、前記端末機１０２に応答を送り返し、端末機１０２がその画面２４０２Ａ／２４２２Ａ上に示すように自動車／自宅機器構成コマンドアイコンを表示する。このコマンドアイコンは、ユーザからのアカウント・セキュリティ・パスワード入力２４０８Ａ／２４２８Ａを必要とし、ユーザが３回入力後失敗する場合（２４１０Ａ／２４３０Ａ、流れ図２４７０Ａのステップ２４７２Ａでも同様）、Ｄｅｖ１０６がユーザの電子メールアドレス２４１２Ａ／２４３２Ａを得るためにユーザを促す（２４１０Ａ／２４３０Ａ）パスワード・リクエスト・コマンド２４７４Ａを端末機１０２に送信することにより、電子メール回復処理に入る。ユーザが電子メールアドレスを入力し、次いで、実行アイコン２４１４Ａ／２４３４Ａを実行することにより、端末機１０２がＤｅｖ１０６にコマンドを伝送し、Ｄｅｖ１０６が受け取り、処理する（ステップ２４７８Ａ）。電子メールアドレスが検証され（２４８０Ａ）、一致しない場合、Ｄｅｖ１０６は、「電子メールアドレスが一致せず」メッセージを端末機１０２に伝送し（２４８４Ａ）、停止する（２４８６Ａ）。電子メールアドレスが一致する場合、Ｄｅｖ１０６がパスワード回復のためにメールサーバ１１６にユーザの電子メールアドレスを伴うパスワード回復コマンド、およびパスワードを伝送する（２４８２Ａ）。ユーザがユーザの電子メール（画面２４５０Ａの２４５２Ａ）を調べて、パスワード（２４５６Ａ）を取り出すことができる。
【０２５５】
図２４Ｂは、本発明の実施形態２４００Ｂの好ましい応用の一例を示す。この代表的な実施形態は、個人情報および／または端末機情報に任意の変化があった場合に。Ｄｅｖ１０６を構成するためにユーザの端末機１０２でユーザにより行われる好ましいステップを提示する。
【０２５６】
図２４Ｂは、画面２４０２Ａ／２４２２Ａの続きを提示し、この場合、図２４Ａですでに説明したように、端末機１０２によりＤｅｖ１０６に伝送された正しいアカウント・セキュリティ・パスワード２４０８Ａ／２４２８Ａをユーザが入力した。Ｄｅｖ１０６がＤｅｖ１０６の機器構成データを端末機１０２に伝送して戻し（図２４６０Ｂの２４６４Ｂ）、端末機１０２がそのデータを画面２４０２Ｂ／２４２２Ｂ上に表示する。（すべてではなく）いくつかの好ましい情報、たとえば：Ｄｅｖの名称（Ａ０／Ｂ０）、車両ＩＤ情報（Ａ１）／自宅住所（Ｂ１）、アカウント・セキュリティ・パスワード（Ａ２／Ｂ２）、登録済み端末機の電話電話番号およびそのパスワード（Ａ３／Ｂ３）、ユーザ名およびアカウント番号（Ａ４／Ｂ４）、Ｄｅｖの電話番号（Ａ５／Ｂ５）、電子メールアドレス（Ａ６／Ｂ６）、日時（Ａ８／Ｂ８）、および緊急センタの電話番号Ａ７／Ｂ７が示されている。ユーザが、好ましくは、画面２４０２Ａ／２４２２Ａ（同じくステップ２４６６Ｂに示す）上で情報を、登録済み端末機の電話番号（Ａ３／Ｂ３）およびＤｅｖの電話番号（Ａ５／Ｂ５）以外任意の情報を、編集して変更することができる。ユーザが第２の電子メールアドレス２４０４Ｂ／２４２４Ｂを追加することにより変更を編集し（ステップ２４６６Ｂ）、実行アイコン２４０８Ｂ／２４２８Ｂを実行することにより、端末機１０２がコマンドおよびデータをＤｅｖ１０６に伝送する（ステップ２４６８Ｂ）と仮定する。次いで、Ｄｅｖ１０６がデータを処理し、ユーザが確認するために（画面２４１２Ｂ／２４３２Ｂおよびステップ２４７０Ｂ）データを端末機１０２に伝送して戻し（ステップ２４７２Ｂ）、構成／機器ファイルの中に第２の電子メールアドレス（２ｎｄｏｗｎｅｒ＠ａｎｙ．ｃｏｍ）が追加されたことを示す（２４１４Ｂ／２４３４Ｂ）。次いで、ユーザが確認することにより（２４１８Ｂ／２４３８Ｂ）、端末機１０２が確認されたデータをＤｅｖ１０６に伝送して戻し（ステップ２４７４Ｂ）、Ｄｅｖ１０６がそのデータをＤｅｖ１０６のメモリに保存する（ステップ２４７６Ｂ）。
【０２５７】
図２５は、本発明の実施形態２５００の好ましい一例を示す。この代表的な実施形態は、ユーザの新しい端末機１０２で、Ｄｅｖ１０６に前記端末機１０２を登録するために、ユーザにより行われる好ましいステップを提示する。
【０２５８】
この特徴により、ユーザがユーザの登録済み端末機だけを紛失した場合、新しい端末機１０２を登録することができるようになる。ユーザが、ユーザの古い端末機（２４１０Ｃ／２４４０Ｃでは電話番号が９１６−９８７−６５００）を紛失し、新しい端末機（電話番号が９１６−９８７−００００）を購入したとする。次いで、ユーザがＤｅｖ１０６の中に新しい端末機１０２を登録する。したがって、この特徴により、古い登録済み端末機がもはや利用可能ではない場合に、新しい端末機１０２がＤｅｖ１０６の中に登録されることができるようになる。新しく登録された端末機１０２があれば、図２３ですでに説明したように、ユーザがそれを使用して、紛失した端末機１０２を取り除く（登録抹消する）ことができる。また、上述のように、ユーザがアプリケーションを走らせるために、アプリケーション（および活動化）をオンラインでダウンロードする必要があり、関連するコマンド／アイコンを使用して、Ｄｅｖの中にユーザの端末機１０２を登録する。Ｄｅｖ１０６がすでにネットワークに登録されているので、ユーザがＤｅｖ１０６の近傍（ＳＲＣの範囲内）にいる必要がない。ユーザの端末機１０２が登録を始めるためにＤｅｖ１０６にコマンドおよびデータを伝送するための要件が、ユーザがＤｅｖの電話番号およびＤｅｖのセキュリティパスワードを知っていることである。紛失した端末機を所有している人が、所有していることが事実である場合、ステップ２５９２に示すように、端末機の（図２６の）画面２６５０上で登録について通知されるが、２６６６（図２６）に示すように、入力するためのアカウント・セキュリティ・パスワードを有しないので、登録を防ぐことができない。
【０２５９】
ユーザが図１１／図１３の端末機登録アイコン１１５８／１３５８を実行することにより、端末機の画面２５０２上に示すように、ユーザの端末機が端末機登録メニューにナビゲートする。領域２５０６で、ユーザがＤｅｖの電話番号２５０８、アカウント・セキュリティ・パスワード２５１０、端末機の電話番号を２回（２５１２および２５１４）、および選択した端末機パスワードを２回（２５１６）入力する。次いで、ユーザが実行アイコン２５２０を実行することにより、端末機１０２がコマンドおよびデータをＤｅｖ１０６に伝送し、Ｄｅｖ１０６が前記情報を受け取り、処理する（チャート２５７０の２５７２）。
【０２６０】
これ以降、本発明者は、必要なアカウント・セキュリティ・パスワードの入力および再試行のために端末機１０２とＤｅｖ１０６の間を行き交う通信を促す端末機の画面表示メッセージ（２５１０）を（時として）省く。本発明者はまた、当業者に公知のように、端末機の画面表示メッセージ、たとえば：一致しない電話番号およびその再入力、または一致しない選択した端末機パスワードおよび再入力を（提示しやすくするために）（時として）省く。
【０２６１】
アカウント・セキュリティ・パスワードおよび端末機パスワードに関するＤｅｖの要件が、特定の共通機能のために重複する場合があるが、各タイプのパスワードが、ＤｅｖがＤｅｖの別個の操作を行うために（ユーザ保護のために）必要である。これらの共通機能（アカウント・セキュリティ・パスワードを必要とする機能）は、Ｄｅｖの構造的機能、たとえば：端末機登録、端末機追加または除去、機器構成、機器情報、端末機ロケータ、使用料金支払設定、経路および速度の追跡、自宅警報構成、自宅電気器具／装置の追加および除去などのためにある。そして、端末機パスワードは、Ｄｅｖの操作機能、たとえば：車両／自宅制御、プログラム、監視、および視聴、エンジン状態、自宅用電気器具／装置操作、車両ロケータなどのためにある。
【０２６２】
フローチャート２５７０は、端末機により伝送された登録コマンドをＤｅｖ１０６が実行するときの（画面２５０２）、Ｄｅｖ１０６のプログラムの流れを示す。フローチャート２５７０はステップ２５７２から開始し、このとき、Ｄｅｖ１０６がコマンドおよびデータを受け取り、次いで、アカウント・セキュリティ・パスワード（ＰＷ）が正しいかどうかを検証する（２５７４）。アカウント・セキュリティ・パスワードが正しいとき、Ｄｅｖ１０６が、２回（２５１２および２５１４）入力された端末機の電話番号が一致し、選択されたパスワード２５１６が一致するかどうか確かめる（ステップ２５８２）。同時に、Ｄｅｖ１０６が端末機に登録処理状態を伝送する（画面２５３２、ユーザに通知し続けるため）。端末機の電話番号が一致し、選択したパスワードが一致する場合、Ｄｅｖ１０６が続けてコマンドを処理し、すべての情報を（端末機の電話番号を含む、ステップ２５８６）Ｄｅｖ１０６のメモリの中に記憶する。次いで、Ｄｅｖ１０６が端末機１０２に確認コマンドまたは自動車／自宅Ｄｅｖ情報２５４０／２５４０ａを送信して（ステップ２５９０）、登録処理が完了したことを確認する（２５５８／２５５８ａ）。アカウント・セキュリティ・パスワードが一致しない場合、Ｄｅｖ１０６がメッセージ「パスワードが一致せず」を端末機１０２に伝送し（ステップ２５７６）、端末機１０２に３回試みさせ（ステップ２５８０）、その試みが失敗した場合、Ｄｅｖ１０６がパスワード回復２５８８に進み、さらに、この動作について他の登録済み端末機１０２に通知するメッセージを他の登録済み端末機１０２に送信する（ステップ２５９２）。この特徴により、許可されていない資源から何か違法な登録がある場合、ユーザが通知を受けることができるようになる。端末機の電話番号または端末機の選択されたパスワード入力が一致しない場合、Ｄｅｖ１０６が、ユーザに情報を再入力するよう要求するステップ（ステップ２５８４）に進む。
【０２６３】
図２６は、本発明の実施形態２６００の好ましい一例を示す。この代表的な実施形態は、ユーザの新しい端末機１０２で、ＳＲＣネットワークを介してＤｅｖ１０６の中に前記端末機１０２を登録するために、ユーザにより行われる好ましいステップを提示する。
【０２６４】
チャート２６０２は、Ｄｅｖ１０６に活動化／登録しようとする新しい端末機１０２、および前記活動化／登録の試みの警告を受け取る登録済み端末機１０２の画面表示２６５０を提示する。Ｄｅｖ活動化ボタンが押されたとき２６０４に活動化／登録が開始される。Ｄｅｖ１０６が現在のアカウントが有効かどうか（２６０６）、およびアカウントが有効ではない（たとえば、活動化されなかった、または非活動化された、または直前の３０日間ネットワークの中に登録することができなかった）かどうかを確かめて、活動化中／登録中の端末機１０２に問合せメッセージを送信する（２６０８）。ある程度の短い時間以内に、Ｄｅｖ１０６が応答を全く戻してもらえていない場合（２６１０）、前記端末機１０２のユーザがアプリケーション（ａｐｐ）ソフトウェアをダウンロードして、Ｄｅｖ１０６を活動化し、Ｄｅｖ１０６と通信する（これらのステップについては、図８および図９／図１０ですでに提示している）必要があることを示すメッセージを前記端末機１０２に送信する（２６１４）。ステップ２６１０で、Ｄｅｖ１０６が端末機１０２から適切な応答を戻された場合、（Ｄｅｖ１０６を活動化する１つまたは複数の方法をすでに提示した図１１／図１３、図１２、図１４、図１５Ａ〜図１７Ａで示すように）活動化が開始される（２６１２）。この図では、Ｄｅｖ１０６と活動化中／登録中の端末機１０２の間の通信すべてがＳＲＣ（短距離通信）、たとえば：Ｂｌｕｅｔｏｏｔｈ（登録商標）、無線ＵＳＢ、ＮＦＣ、Ｗｉ−Ｆｉ、赤外線、無線ＬＡＮ、無線周波数（ＲＦ）技術、または当業者に公知の無数の短波通信を使用し、ＳＲＣは図１の１０４に示すようなものである。
【０２６５】
Ｄｅｖ１０６のアカウントが有効である（換言すれば、Ｄｅｖ１０６がネットワークに登録中である／接続中である）場合、Ｄｅｖ１０６が登録中の端末１０２に「このアプリケーションを走らせるために、正しいソフトウェアが必要です」（２６１６）というメッセージを送信する。ユーザの端末機１０２がソフトウェアを含まない場合、ユーザが（図９／図１０の画面９２０／１０２０、９４０／１０４０、９６０／１０６０、および９８０／１０８０上にすでに示したように、ユーザの端末機の画面上でＡｐｐサーバのＵＲＬ９０６／１００６を打ち込み、画面のキーボードのリターンを打つことにより）アプリケーション（ａｐｐ）をオンラインでダウンロードする（２６１８）。または、ユーザが（端末機のユーザが図１１／図１３の端末機登録アイコン１１５８／１３５８を実行した後の、図２５の端末機の画面２５０２上にすでに示したように）ユーザの端末機の既存アプリケーション２６２０を走らせるだけである。
【０２６６】
ステップ２６２１で、Ｄｅｖ１０６がＤｅｖ１０６のメモリに何か登録済み電話番号が存在するかどうかを確かめる。Ｄｅｖ１０６のメモリに登録済み電話番号が全く存在せず、一方では、Ｄｅｖ１０６が有効になっている場合、Ｄｅｖ１０６がＤｅｖ１０６のスロットにＳＩＭカードモジュール（図２／図３／図４の２７０）を含んでいることを意味する（これが、ネットワークの中に登録することができるようにするために、図１１／図１３、図１２、図１４、および図１５Ａ〜図１７Ａに示すような通常の活動化処理を経る必要がない理由である）。ステップ２６３２で、（ＳＩＭカードが存在するおかげで）Ｄｅｖ１０６はネットワークに接続中であるが、Ｄｅｖ１０６および第１の端末機が互いに通信するために、前記Ｄｅｖのメモリの中に第１の端末機の電話番号が登録されなければならない。Ｄｅｖ１０６が、ユーザの選択したセキュリティパスワードを得るために新しい端末機のユーザを促し（２６２３）、セキュリティパスワード入力が一致するかどうかを検証する（ステップ２６２５）。セキュリティパスワード入力が一致する場合、Ｄｅｖ１０６が端末機の電話番号入力および端末機の選択した端末機パスワード入力を得るために促し（ステップ２６２７）、次いで、続けてそれらを検証する（ステップ２６４０）。
【０２６７】
ステップ２６２４で、（Ｄｅｖのメモリに登録済み電話番号があり、Ｄｅｖ１０６が通常の活動化および登録処理を経たことを意味する）Ｄｅｖ１０６が、登録中の端末機１０２から端末機登録コマンド、アカウント・セキュリティ・パスワード、端末機の番号、および選択された端末機パスワードを受け取る。Ｄｅｖはまた、登録済み端末機１０２の所有者にメッセージ２６５４を送信することにより、この試みられた登録について（所有者の端末機画面２６５０上に示すように）警告を発する（ステップ２６２２）。
【０２６８】
画面２６５０で、警告を受けた端末機１０２の所有者が、警告の性質２６５２（Ｓｏｌの青いセダン／Ｓａｒａの自宅）、メッセージ２６５４、日時２６５６、登録中の端末機／移動体の電話番号２６６０を見ることができる。所有者が、ＯＫアイコン２６５８を選択して登録処理を許可する、またはＮｏアイコン２６６２を選択して登録処理を停止することができるように、正しいパスワード２６６６を入力することにより登録処理をスピードアップすることができる（所有者が端末機の真の所有者であることを確認するために、好ましくは、パスワードが必要である）。これにより、所有者の端末機１０２がＤｅｖ１０６にコマンドを伝送し、Ｄｅｖ１０６がこのコマンドを２６２６で、または２６４４で（チャート２６０２）受け取る。
【０２６９】
チャート２６０２に戻ると、Ｄｅｖ１０６が（図１９／図２０の画面１９３０ａ／２０３０ａの１９３６ａ／２０３６ａで示す）アカウント・セキュリティ・パスワードがＯＫであるかどうかを検証する。この時点以降、Ｄｅｖ１０６が端末機１０２の１つからステップ２６２６で「ＯＫ」コマンドを受け取った場合（画面２６５０の１６５８アイコンにより実行される）、続けて（アカウント・セキュリティ・パスワード入力検証２６３０を経ることなく）端末機の電話番号および端末機パスワードの入力が（これらは両方とも、打ち込みミスを防止するために２回入力された）一致するかどうかを確かめるために検証する（２６４０）。Ｄｅｖ１０６が端末機１０２の１つから「Ｎｏ  ＯＫ」を受け取った場合（ステップ２６４４）（画面２６５０の２６６２により実行される）、処理を直ちに停止する（ステップ２６３６）。それにもかかわらず、Ｄｅｖ１０６が登録済みユーザからメッセージを全く受け取らない場合、続いてアカウント・セキュリティ・パスワードを検証する（２６３０）（所有者が自分の唯一の端末機１０２を紛失し、新しい端末機を登録したい場合があるため）。パスワードがＯＫではない場合、Ｄｅｖ１０６が他の入力を得るために促す（２６２８）。３回目の試みで入力が依然として失敗する場合（２６３２）、Ｄｅｖ１０６が（図２４Ａで説明した）パスワード回復処理（ステップ２６３４）に進み、最終的に停止（ステップ２６３６）に進む。アカウント・セキュリティ・パスワードがパスした場合、Ｄｅｖが端末機の電話番号入力および端末機パスワード入力検証ステップ２６４０に進んで、これらの２回の入力が一致するかどうかを検証する。これらの２回の入力が一致しない場合、Ｄｅｖ１０６が再入力を得るように促し（ステップ２６３８）、またはこれらの２回の入力が一致する場合、図２５ですでに説明したように、続けて、端末機１０２が登録２６４２を開始することができるようにする。
【０２７０】
図２７は、本発明の実施形態２７００の好ましい一例を示す。この代表的な実施形態は、ユーザの端末機１０２で、前記端末機１０２およびＤｅｖ１０６のアプリケーションを更新するために、ユーザにより行われる好ましいステップを提示する。
【０２７１】
ユーザが端末機およびＤｅｖ  Ａｐｐ更新アイコン（図１１／図１３の１１６４／１３６４）を実行することにより、端末機の画面２７０２上に示すように、ユーザの端末機が端末機およびＤｅｖ  Ａｐｐ更新コマンドにナビゲートする。端末機がアカウント・セキュリティ・パスワードを入力するようユーザを促す（この実施形態は、端末機がユーザに好都合なようにＡｐｐサーバのＵＲＬをすでに保持していた／記憶していたと仮定し、そうでなければ、端末機が、同じく図９／図１０のＡｐｐサーバのＵＲＬ９０６／１００６を得るためにユーザを促す）。パスワード２７０４が端末機のメモリ内のパスワードと一致するとき（そうでなければ、Ｄｅｖ１０６が図２４Ａのようにパスワード回復に進む）、端末機１０２が画面２７１２にナビゲートし、アプリケーションバージョン問合せコマンドをＤｅｖ１０６に（ステップ２７６２）、およびＡｐｐサーバ１０８に（ステップ２７６４）伝送し、両方とも画面２７１６で端末機１０２により表示されるように、バージョン情報を、すなわち、端末機の現行バージョン２７１８／２７６８、端末機の最新バージョン２７２０／２７７４ａ、Ｄｅｖの現行バージョン２７２２／２７７２ａ、およびＤｅｖの最新バージョン２７２４／２７７６ａをそれぞれ送り返す（ステップ２７７２、２７７４、および２７７６）。ユーザが最新のアプリケーションバージョン２７２６に更新したいとき、実行アイコン２７３０を実行することにより、端末機１０２がＡｐｐサーバ１０８にアプリケーション・ダウンロード・コマンドを伝送し（ステップ２７８０）、Ａｐｐサーバ１０８から最新のアプリケーションのダウンロードされたコピー（２７８２ａ）を受け取る（ステップ２７８２）。次いで、端末機１０２が、Ｄｅｖの最新バージョンのアプリケーション（２７８４ａ）およびアプリケーション更新コマンドをＤｅｖ１０６に伝送する（ステップ２７８４）。Ｄｅｖ１０６がコマンドおよび最新バージョンのアプリケーションを受け取ったとき、Ｄｅｖ１０６のアプリケーションを最新バージョンのアプリケーションに更新し（２７８６）、次いで、肯定応答を端末機１０２に送り返す（２７８８）。次に、端末機１０２が端末機１０２のアプリケーションを最新バージョンに更新する（２７９０）。端末機１０２とＤｅｖ１０６の両方の更新済み情報が端末機１０２により画面２７４０に表示される。あるいは、Ｄｅｖ１０６が端末機１０２からアプリケーション更新コマンドを受け取ったとき、直接Ａｐｐサーバ１０８から最新バージョンのアプリケーションをダウンロードすることができる。
【０２７２】
図２８Ａは、本発明の実施形態２８００Ａの好ましい応用の一例を示す。この代表的な実施形態は、ユーザの端末機１０２で、Ｄｅｖの機器情報を取り出し、見るために、ユーザにより行われる好ましいステップを提示する。
【０２７３】
ユーザが、自動車／自宅Ｄｅｖ設備メニュー１１５０／１３５０（図１１／図１３）のＤｅｖ情報コマンドアイコン１１６６／１３６６を実行することにより、ユーザの端末機１０２がＤｅｖ１０６に機器情報問合せコマンドを伝送し、Ｄｅｖ１０６が前記コマンドを処理し、応答を前記端末機１０２に伝送して返し、端末機１０２がその画面２８１０Ａ／２８４０Ａ上に示すように、自動車／自宅機器情報を表示する。自動車／自宅機器情報は、Ｄｅｖ車種車ＩＤ情報／自宅住所２８１３Ａ／２８４３Ａおよび２８１６Ａ／２８４６Ａ、サービスプロバイダ（キャリア）名２８１７Ａ／２８４７Ａ、アカウント・セキュリティ・パスワード２８１８Ａ／２８４８Ａ、登録済み電話番号２８２０Ａ／２８５０Ａ、ならびにパスワード、アカウント名およびアカウント番号２８２２Ａ／２８５２Ａ、Ｄｅｖの電話番号２８２４Ａ／２８５４Ａ、電子メールアドレス２８２６Ａ／２８５６Ａ、緊急センタの電話番号２８２８Ａ／２８５８Ａ、ならびにいくつかのＤｅｖ識別番号２８２９Ａ／２８５９Ａを示す。
【０２７４】
図２８Ｂは、本発明の実施形態２８００Ｂの好ましい応用の一例を示す。この代表的な実施形態は、ユーザの端末機１０２で、ＤｅｖのＩＤ情報を取り出し、見るために、ユーザにより行われる好ましいステップを提示する。
【０２７５】
ユーザが、自動車／自宅Ａｐｐメニュー１１２０／１３２０（図１１／図１３）のＤｅｖ  ＩＤアイコン１１４６／１３４６を実行することにより、ユーザの端末機１０２がＤｅｖ１０６にＤｅｖ  ＩＤ問合せコマンドを伝送し、Ｄｅｖ１０６が前記コマンドを処理し、前記端末機１０２に応答を送り返し、端末機１０２がその画面２８１０Ｂ／２８４０Ｂ上に示すように、自動車／自宅機器情報を表示する。自動車／自宅機器情報は、Ｄｅｖ製造業者名およびモデル２８１６Ｂ／２８４６Ｂ、Ｄｅｖ車／自宅アプリケーション２８１８Ｂ／２８４８Ｂ、Ｄｅｖのハードウェア／ソフトウェアバージョン２８２０Ｂ／２８５０Ｂ、シリアル番号２８２２Ｂ／２８５２Ｂ、ＥＳＮ値２８２４Ｂ／２８５４Ｂ、ＭＥＩＤ値２８２６Ｂ／２８５６Ｂ、ＳＩＭ  Ｓ／Ｎ２８２８Ｂ／２８５８Ｂ、ＩＭＥＩ２８３０Ｂ／２８６０Ｂ、およびいくつかの他のＤｅｖ識別番号を示す。
【０２７６】
ユーザはまた、Ｄｅｖキーパッド１８２２Ｃ／１８５２Ｃを介してＤｅｖ  ＩＤを取り出し、（当業界で現在実施されているように）＃０６＃を入力することにより表示することができる（図１８Ｃの１８０２Ｃ／１８３２Ｃ）。Ｄｅｖが活動化されていない、または有効ではない（かつ表示装置を備えていない）場合、ＤｅｖがＳＲＣを介してＤｅｖのＩＤ情報をユーザの端末機に伝送するために、Ｄｅｖ  ＩＤ取り出しコマンドを実行している間に、ユーザが活動化ボタンを押して保持する必要がある。活動化ボタンを保持すること、およびＩＤコマンドを実行することを同時に組み合わせることにより、他のユーザが、Ｄｅｖに物理的にアクセスすることができないので、前記情報を得ることができないようになる。
【０２７７】
図２９は、本発明の実施形態２９００の好ましい応用の一例を示す。この代表的な実施形態は、ユーザが新しい携帯電話プロバイダに切り替えると決めたとき、前記プロバイダのネットワークの中でユーザの現在登録済みのＤｅｖ１０６を活動化するために、ユーザの端末機１０２でユーザにより行われる好ましいステップを提示する。
【０２７８】
この実施形態は、ユーザがＤｅｖ１０６の携帯電話サービスを、異なる（第２の）携帯電話サービスプロバイダに切り替えると決めたときに、新しいネットワークの中でＤｅｖ１０６を活動化しなければならないことを示す。ユーザが既存の（第１の）サービスプロバイダのネットワークからＤｅｖ１０６を切断する前に、新しい（第２の）サービスプロバイダのネットワークの中でＤｅｖ１０６を活動化することが好ましい。換言すれば、ユーザが第２のネットワークの中でＤｅｖ１０６を活動化している間、Ｄｅｖ１０６が現在のネットワークに依然としてアクセスすることができるべきである。新しいネットワークの中でＤｅｖの活動化が完了するとすぐに、ユーザが現在の（第１の）サービスプロバイダのネットワークからＤｅｖ１０６を切断することができる。これにより、ユーザが、活動化中にＳＲＣ１０４媒体を介する代わりに携帯電話ネットワークを介してＤｅｖ１０６と通信状態にある端末機１０２を使用することができるようになる（換言すれば、ユーザが、すでに行ったように、Ｄｅｖ１０６の近傍にいなければならないのではなく、どこでもＤｅｖ１０６を活動化することができる）。
【０２７９】
ユーザが自動車／自宅Ｄｅｖ設備メニュー１１５０／１３５０（図１１／図１３）の活動化アイコン１１５４／１３５４を実行した後に活動化処理が開始されることにより、端末機の画面２９０２に示すように、ユーザの端末機が車両／自宅活動化メニューにナビゲートする。活動化処理の残りの部分は、Ｄｅｖ１０６が端末機の電話番号２９１４をすでに含んでいたということ以外、図１２にほぼ同じな図２９と同一であるが、ユーザが図１２の画面１２０２で端末機の電話番号を入力しなければならず（１２１４）、Ｄｅｖが端末機からＭＳＫ２９５９を受け取り、したがって、前記端末機を認識する。Ｄｅｖが活動化され（成功アイコン２９７６を実行することにより）Ｄｅｖ１０６へのコマンドが成功したことをユーザが確認することで新しいネットワークの中に登録し、接続することができるとすぐに、Ｄｅｖ１０６がＤｅｖ１０６の電話番号を含むＤｅｖ１０６の機器情報を送信し（画面２９８０／２９８０Ａ）、端末機がこの機器情報を記憶し、それ以降Ｄｅｖ１０６との通信で使用する。次いで、現在のネットワークに対するＤｅｖの携帯電話サービスを切断することができ（もはや有効ではない）、これ以降、Ｄｅｖ１０６が新しいネットワークで他の移動体機器（端末機）１０２と通信する。Ｄｅｖの情報ファイル（画面２９８０／２９８０Ａ）は、プログラムされた同じデータを含む。換言すれば、ユーザがＤｅｖ１０６を再初期化する、または再構成する必要がない。好ましくは、唯一の違いが新しいアカウント番号２９８４／２９８４Ａ（それに加えて、図１２／図１４の「Ｒｉｖｅｒ  Ｃｅｌｌｕｌａｒ」１２４１／１４４１の代わりに新しいサービスプロバイダの名称２９４１「Ｃｌｏｕｄ  Ｃｅｌｌｕｌａｒ」）であり、場合によっては、異なる電話番号２９８２／２９８２ＡをＤｅｖが割り当てられている。Ｄｅｖはまた、好ましくは、Ｄｅｖの（新しい）番号でユーザの１つまたは複数の端末機を更新するように１人または複数のユーザに通知するメッセージ２９９４／２９９４Ａと共に、１つまたは複数の受信箱（画面２９９０／２９９０Ａ）内のアイコン２９９２／２９９２Ａの形で示すように、他の１つまたは複数の端末機に１つまたは複数のコマンドを送信する。
【０２８０】
図３０は、本発明の実施形態３０００の好ましい応用の一例を示す。この代表的な実施形態は、ユーザの端末機１０２で、Ｄｅｖ自動車制御および監視システムをプログラムし、検索し、見て、監視するために、ユーザにより行われる好ましいステップを提示する。
【０２８１】
ユーザが、図１１の１１２０の自動車Ａｐｐメニューの自動車制御・監視アイコン１１３２を実行し、ユーザの端末機の画面３００２上に示すように、ユーザの端末機に自動車制御および監視メニューにナビゲートさせる。自動車制御および監視メニュー３００４は、ユーザに制御アイコン３０１４を提示し、ユーザがこのアイコンを使用して車両アクセサリ（画面３０５０）を制御する、たとえば：警報をオン／オフする（３０５２）、ドアをロック／ロック解除する（３０５４）、クラクションを鳴らす（３０５６）、点火装置をオン／オフする（３０５８）、および非常灯をオン／オフする（３０６０）。ユーザが現在の車両の状態を見るために使用する状態アイコン３０１８を端末機の画面３０２０／３０３６に示す。監視アイコン３００６は、ユーザが車両の周囲または内部で何が起きているかについて（図４１Ｂの画面４１８０Ｂおよび４１９０Ｂに示すように）リアルタイムに監視するために使用することができる、車両内のカメラ（図２の２１６）の入力である。
【０２８２】
チャート図３０７０は、画面３０５０で説明するような、端末機１０２とＤｅｖ１０６の間の対話を示す。たとえば、ユーザにより警報アイコン３０５２が選択されたとき（画面がタッチされた）、端末機１０２がＤｅｖ１０６のＳＲＣ媒体の範囲内の近傍にいないとき、グラフ３０７０のステップ３０７２に示すように、携帯電話ネットワークを介してＤｅｖ１０６に「警報トグル」コマンドを送信する（この例では、端末機１０２および他の機器と通信するために、当然のことながら、Ｄｅｖ１０６がネットワークにアクセスすることができなければならないことを示すために、本発明者がサービスプロバイダ１１２を追加している）。一方、Ｄｅｖ１０６と端末機１０２の両方がこれらのＳＲＣ媒体の範囲内にあるとき、ＳＲＣ通信ネットワークを介して互いに通信することを選択することが好ましく、これは、組み込みの保護があるので、たとえば：端末機の電話番号がデータストリームの中にカプセル化されており、必要に応じて、所有者のアカウント・セキュリティ・パスワードもまた、好ましくは暗号化されているので、より高速で、全く同じように安全である可能性がある。
【０２８３】
Ｄｅｖ１０６が端末機１０２からコマンドを受け取る前に、警報がオンであった場合、トグルで切り替えて、ステップ３０７３に示す「警報がオフです」３０５３を送信する。ステップ３０７２はアイコン警報選択３０５２に対応し、ステップ３０７３はメッセージ「オフです」３０５３に対応する。ステップ３０７４はアイコンドア選択３０５４に対応し、ステップ３０７５はメッセージ「ロックされています」３０５５に対応する。ステップ３０７６はアイコンクラクション選択３０５６に対応し、ステップ３０７７はメッセージ「鳴っています」３０５７に対応する。ステップ３０７８はアイコン点火装置の選択３０５８に対応し、ステップ３０７９はメッセージ「エンジンがオフです」３０５９に対応する。ステップ３０８０はアイコン非常灯の選択３０６０に対応し、ステップ３０８１はメッセージ「オフです」３０６１に対応する。
【０２８４】
図３１は、本発明の実施形態３１００の好ましい応用の一例を示す。この代表的な実施形態は、ユーザの端末機１０２で、ＤｅｖのＧＰＳシステムの中から情報を取り出し、見て、その中に情報を入力するために、ユーザにより行われる好ましいステップを提示する。
【０２８５】
ユーザがＧＰＳアイコン３００８（図３０）を実行することにより、ユーザの端末機１０２がＤｅｖ１０６にコマンドを伝送し、次に、Ｄｅｖ１０６が前記コマンドを処理し、ＧＰＳ３１８２に前記コマンドを渡し、前記ＧＰＳ３１８２から応答を受け取り、前記応答を処理し、端末機１０２に戻し、前記応答を処理し、端末機１０２に前記応答を戻し、端末機１０２がその画面３１０２上に示すように、自動車ＧＰＳメニューを表示する。この画面は、ＧＰＳ住所行き先入力３１０８、行き先取出し３１０６、および最近の入力アイコン３１１０を備える自動車ＧＰＳメニュー３１０４を示す。ＧＰＳ行き先入力および行き先取出しにより、ユーザが運転者のシートに座ることなくＧＰＳ位置住所を入力し、取り出すことができるようになる。
【０２８６】
位置の住所をＧＰＳに入力するために、ユーザが行き先入力アイコン３１０８を最初に選択することにより、端末機１０２が画面３１２０にナビゲートする。次いで、ユーザがデータ入力のために、キーボード３１３２を使用して市３１２４、州３１２６、街および番地３１２８を入力する。ユーザが市の名称３１４６を入力したとき、端末機１０２がＤｅｖ１０６にその情報を好ましくはリアルタイムに（ＩＭ）伝送し、Ｄｅｖ１０６がその情報をＧＰＳ３１８２に渡し、次に、画面３１４０に提示されるように、ＧＰＳ３１８２がＤｅｖ１０６を介してポップ・アップ・ヒント画面３１５０（市の名称を作り上げる文字数が潜在的に一致する名称の１２以下に制限されるとき）で応答する。すべての住所情報が入力された後、保存アイコン３１７０を実行することにより、端末機１０２がＤｅｖ１０６に情報およびコマンドを送信し、Ｄｅｖ１０６が画面３１６０でＧＰＳメモリにすべての情報を保存するために、ＧＰＳ３１８２に情報およびコマンドを渡す。
【０２８７】
グラフ３１８０は、端末機１０２と、Ｄｅｖ１０６と、ＧＰＳ３１８２の間の対話を示す（このグラフでは、提示しやすくするために、サービスプロバイダ１１２が省略されている）。グラフ３１８０では、Ｄｅｖ１０６がコンジットのような役割を果たし、端末機１０２とＧＰＳ３１８２の間で情報をやりとりする情報を変換し、情報をやりとりして渡す。ステップ３１８４は、市の名称３１６６を端末機１０２からＤｅｖ１０６に、さらにＧＰＳ３１８２に渡すことに対応する。ステップ３１８６は、ＧＰＳ３１８２からＤｅｖ１０６へ、次いで、端末機１０２への対応する応答である。ステップ３１８８は、州名３１６４を端末機１０２からＤｅｖ１０６に、さらにＧＰＳ３１８２に渡すことに対応する。ステップ３１９０は（もしあれば）ＧＰＳからの対応する応答である。ステップ３１９２は、街および番地３１６２を端末機１０２からＤｅｖ１０６に、さらにＧＰＳ３１８２に渡すことに対応する。ステップ３１９４は（もしあれば）ＧＰＳ３１８２からの対応する応答である。ステップ３１９６は、端末機１０２からＤｅｖ１０６へ、さらにＧＰＳ３１８２へのコマンド保存アイコン３１７０に対応する。そして最後に、ステップ３１９８は（もしあれば）ＧＰＳ３１８２からの対応する応答である。あるいは、ステップ３１８４，３１８８、３１９２，および３１９６は、Ｄｅｖ１０６への１つだけのステップに（またはすべてのＧＰＳ情報を１つのパケットの形に）結合されることができ、Ｄｅｖ１０６から単一の応答を戻される（３１９８）。本発明で提示するステップおよび方法は、同じ目的を達成する多くの応用のうちの１つまたは複数であり、当業者に公知のように、唯一の方法として限定されるべきではない。
【０２８８】
図３２は、本発明の実施形態３２００の好ましい応用の一例を示す。この代表的な実施形態は、ユーザの端末機１０２で、図形情報を取り出し、見て、ＧＰＳシステムの中に図形情報を入力するために、ユーザにより行われる好ましいステップを提示する。
【０２８９】
この実施形態では、ドラッグ・アンド・ドロップ・アイコン３１３０を使用してＧＰＳ入力のための代替方法を示すために、端末機の画面表示３１２０が再現される。ユーザがユーザの端末機１０２を使用して、住所位置３２０４をＧｏｏｇｌｅ検索することができ、検索結果３２０６および３２１０を得る。次いで、ユーザが３２０８の情報をただコピーし、上の方にドラッグし、次いで、アイコン３１３０の中にドロップし、端末機１０２がアイコン３１３０を復号し、街および番地３２４６、市３２４２、および州３２４４に変換する。次いで、ユーザが保存アイコン３２５２を選択することにより、端末機１０２がＤｅｖ１０６に情報を伝送し、Ｄｅｖ１０６が、図３１の流れ図３１８０に例示したように、情報を離れたところにあるＧＰＳ３１８２に渡す。
【０２９０】
図３３は、本発明の実施形態３３００の好ましい応用の一例を示す。この代表的な実施形態は、ユーザの端末機１０２で、支払口座をプログラムし、設定し、Ｄｅｖの使用料金支払システムの動きリストを見るために、ユーザにより行われる好ましいステップを提示する。
【０２９１】
ユーザが通行料金支払口座アイコン１１３４（図１１）を実行することにより、ユーザの端末機１０２がＤｅｖ１０６にコマンドを伝送し、Ｄｅｖ１０６が前記コマンドを処理し、前記端末機１０２に応答を伝送して返し、端末機１０２がその画面３３０２上に示すように、通行料金支払口座メニューを表示する。画面３３０２は、口座支払設定３３１０（通行料金支払口座を設定するため）、口座支払取消し３３１２（既存の通行料金支払口座を取り消すため）、口座の動き３３０６（さまざまな既存の通行料金支払口座およびその動きを表示するため）、およびオンデマンド通行料支払口座設定３３１４（任意の通行料金徴収機からオンデマンドでこの口座で／この口座から支払うため）を伴う通行料金支払口座メニュー３３０４を示す。当然のことながら、運転者３７５２が現金で支払うように常に選択することができる。画面３３２０および３３５０は、設定がどのように行われるかの例を示す。本発明の先行する図面および続く図面で言及するとおり、これらのような例は、当業者に公知のように、それぞれの応用を実現するための多くの方法が存在するので、唯一の解決策ではない。
【０２９２】
画面３３２０は、端末機１０２がＤｅｖ１０６にコマンドを伝送し、かつＤｅｖ１０６が口座支払設定３３２２で応答を戻した後、端末機１０２がナビゲートする口座支払設定３３１０をユーザが選択した結果である。ユーザが受取人の口座支払設定３３２２で受取人のウェブ・ページ・リンク・アドレス３３２４を記入し、次いで、実行アイコン３３２６を選択し、端末機１０２が実行アイコン３３２６を実行し、画面３３３０上に表示されている受取人のウェブページを開く。このウェブページは、ユーザが、必要な情報、たとえば：ユーザの銀行名３３３４、口座番号３３３６、口座の種類３３３８、ならびにアカウント名および住所３３４０を記入する場所である。次いで、ユーザが実行アイコン３３４８を選択することにより、端末機１０２が、口座支払情報を処理するために受取人のコンピュータ／サーバ（図示せず）に情報を伝送する。受取人のコンピュータ／サーバ（図示せず）が完了を応答で戻すとき（画面３３５０）、画面３３５０が、受取人名３３５６およびその名前コード３３７０、受取人が請求する金額３３５８、支払コード３３６２，支払人コード３３６４、ならびに支払人の支払情報３３６６および３３６８を示す。次いで、ユーザがＯＫアイコン３３７２を実行することにより、端末機が、確認を受取人のコンピュータ／サーバに、およびコマンド（完了データ画面３３５０を含む）をＤｅｖ１０６に伝送し、Ｄｅｖ１０６が、必要な支払設定データを処理し、Ｄｅｖ１０６のメモリに保存する。Ｄｅｖ１０６が、好ましくは、端末機（図示せず）に完了および確認を伝送する。当業者に公知のように、他の個人情報、たとえば：ユーザの電話番号（図示せず）などが必要な場合がある。
【０２９３】
口座支払の動きを示す画面３３８０により、ユーザが過去の口座の動きを見ることができるようになり、ユーザがアイコン３３０６を選択したとき、端末機１０２が、コマンドをＤｅｖ１０６に伝送した後、画面３３８０にナビゲート、Ｄｅｖ１０６が、図示するように情報で応答して戻す。画面３３８０は、受取人名３３８４、個々の支払い３３８６および３３９０、ならびに１か月間の支払合計３３８８および３３９２を示す。
【０２９４】
図３４は、本発明の実施形態３４００の好ましい一例を示す。図３４は、車のボンネットの下にＤｅｖ１０６を備える車３４１０、３４１２、および３４１４が、通行料金徴収機／トランシーバ３４０２、３４０４、および３４０６と通行料金取引を完了する通行料支払いステーションの全体図を示す。媒体３４０８は、好ましくは、Ｗｉ−ＦｉまたはＳＲＣ１０４（短距離通信）機器、たとえば：ＮＦＣ２５８、Ｂｌｕｅｔｏｏｔｈ（登録商標）２６０、無線／有線ＵＳＢ２６２、および他の無線周波数（ＲＦ）技術である。取引データは、図３３の３３２０、３３３０、および３３５０で言及したように、設定中にＤｅｖ１０６と受取人のコンピュータ／サーバ（図示せず）の間で合意したとき、好ましくは暗号化される。
【０２９５】
図３５および図３６は、本発明の実施形態３５００および３６００の好ましい例を示す。図３５および図３６は、図３４に示すように、Ｄｅｖ１０６（車３４１０、３４１２、および３４１４の中に存在する）と通行料徴収機３４０２、３４０４、および３４０６の間で行われる取引を示す。
【０２９６】
車３４１０が通行料徴収機３４０２の通信距離の範囲内に近づくとき、（車３４１０内の）Ｄｅｖ１０６がステップ３５０２／３６０２に示すように、通行料徴収機３４０２からデータ信号「通行料徴収機支払」を受け取る。Ｄｅｖ１０６が、図３６のステップ３６０２で再び示される、図３３の会社名コード「９７５３２９６」３３７０を通行料徴収機３４０２から受け取ったとき、コード「９７５３２９６」が図３３の画面３３５０でＤｅｖ１０６の支払口座のうちの１つ３３７０と一致することを検証する。次いで、Ｄｅｖ１０６が３３６４（図３３）で、およびステップ３５０４／３６０４で、通行料徴収機３４０２に支払コード「６７８９０」（支払人取引識別子）付きの肯定応答を送り返す。次いで、Ｄｅｖ１０６が、ステップ３５０６／３６０６に再び示される、３３６２（図３３）の支払コード（取引識別子）「５６７８１２３」を受け取る。次の２つのステップが、Ｄｅｖ１０６がステップ３５０８／３６０８で通行料金徴収機３４０２に所有者名および所有者の支払口座情報を送信し、Ｄｅｖ１０６がステップ３５１０／３６１０で通行料徴収機３４０２から請求支払額を受け取ることで、取引を完了させる。ステップ３５１２／３６１２で、取引が完了した後、Ｄｅｖ１０６がタイムスタンプ付きの支払いをＤｅｖ１０６のメモリ記憶装置に記憶する。ステップ３５０１Ａ、３５０１Ｂ、３５０１Ｃ、および３５０１Ｄは、異なる伝送媒体を使用する通行料徴収が行われている間、（Ｄｅｖ１０６が他の登録済み端末機に接続されることができるように）Ｄｅｖ１０６とサービスプロバイダ１１２の間で進行する通常の活動だけを示す。
【０２９７】
図３７は、本発明の実施形態３７００の好ましい一例を示す。この代表的な実施形態は、ユーザの端末機１０２で、Ｄｅｖ通行料支払いシステムのオンデマンド支払いのための支払口座をプログラムし、設定するために、ユーザにより行われる好ましいステップを提示する。
【０２９８】
ユーザが図３３のオンデマンド通行料支払口座設定アイコン３３１４を実行することにより、ユーザの端末機１０２がＤｅｖ１０６にコマンドを伝送し、Ｄｅｖ１０６が前記コマンドを処理し、前記端末機１０２に応答を伝送して戻し、前記端末機１０２がその画面３７０２上に示すように、オンデマンド通行料支払い設定を表示する。
【０２９９】
図３７は、他のタイプの通行料支払いを設定する方法の代替方法を示す。図３７はまた、任意の通行料支払徴収機により通行料支払いを要求されたとき、運転者３７５２からの声の肯定応答あり、または声の肯定応答なしでＤｅｖ１０６が取引をどのように行い、取引がどのように行われることができるようにするかを示す。ユーザが画面３７０２で情報、たとえば：ユーザの銀行名３７０８、口座番号３７１０、口座の種類３７１２、口座名および住所３７１４、運転者３７５２からの音声入力（声の確認）の声以外の肯定応答選択３７１６のための肯定応答「はい」または「いいえ」を記入し、結果が３７２０に示すようになる。次いで、ユーザが実行アイコン３７３８を選択することにより、端末機１０２がＤｅｖ１０６にコマンドおよびすべての情報を伝送し、端末機画面３７４０上の「声による通行料支払い実行中、お待ちください！」３７４２に示すように、Ｄｅｖ１０６が、Ｄｅｖ１０６が処理した情報で応答を戻す。Ｄｅｖ１０６が処理を終えたとき、３７４４に示すように、端末機の画面に設定情報を伝送し、次いで、ユーザが終了アイコン３７４６を実行し、口座設定を完了する。
【０３００】
流れ図３７５０は、Ｄｅｖ１０６と通行料徴収機３４０２と運転者３７５２の間で行われる取引を示し、一方では、チャート３７７０がＤｅｖ１０６のプログラミングの流れを示す。流れ図３７５０は、詐欺的行為（車がかなり長い間動かなかった可能性があるとき、通行料徴収を多分行うことができない）をまさしく防ぐために、通行料徴収を行うことができる前に、いくらかの量の運転時間がすでに経過したことをＤｅｖ１０６が検証することを示すステップ３７５３で開始される。ステップ３７５４で（ステップ３７７４にも示す）Ｄｅｖ１０６が通行料徴収機３４０２から「通行料支払要求」を受け取る。次いで、Ｄｅｖ１０６が（スピーカを介して）音声３７５６（ステップ３７７６にも示す）を出力し、運転者に通行料金について知らせ、運転者３７５２から「はい」肯定応答３７５８（３７７８）を得る。次いで、Ｄｅｖ１０６が通行料徴収機３４０２に口座名、口座番号、および住所を送信し（ステップ３７６０および３７８０）、通行料徴収機から支払肯定応答を受け取る（ステップ３７６２および３７８２）。次いで、Ｄｅｖ１０６が運転者に取引完了をアナウンスし（ステップ３７６４および３７８４）、最後に、取引記録をＤｅｖ１０６のメモリの中に記憶する（ステップ３７６６および３７８６）。
【０３０１】
図３８は、本発明の実施形態３８００の好ましい一例を示す。この代表的な実施形態は、ユーザの端末機１０２で、ユーザの端末機を介して（Ｄｅｖ１０６により制御される）ユーザの車両の位置を遠隔で特定するために、ユーザにより行われる好ましいステップを提示する。
【０３０２】
ユーザが図３０のロケータアイコン３０１６を実行することにより、ユーザの端末機１０２がＤｅｖ１０６にコマンドを伝送し、Ｄｅｖ１０６が前記コマンドを処理し、前記端末機１０２に応答を伝送して戻し、前記端末機１０２がその画面３８０２上に示すように、車両ロケータコマンドを表示する。画面３８０２は、ユーザに車両（Ｄｅｖ１０６）の現在のＧＰＳ位置を見つけさせる車両ロケータコマンド３８０４を示す。ユーザが、必要なアカウント・セキュリティ・パスワード３８０６を記入し、実行アイコン３８０８が選択された後、端末機１０２がセキュリティパスワード３８０６をＤｅｖ１０６に伝送する。Ｄｅｖ１０６がパスワード３８０６およびコマンドを受け取る（チャート３８５０のステップ３８５２にも示すように）。次いで、Ｄｅｖ１０６が、セキュリティパスワードがＤｅｖ１０６のメモリに記憶されたものと一致するかどうかを検証し、セキュリティパスワードが一致する場合、Ｄｅｖ１０６がコマンドをＧＰＳのコマンド形式に変換し、次いで、それをＧＰＳ３１８２に送信する（ステップ３８５４）。ＧＰＳ３１８２がＤｅｖに応答を伝送して戻し（ステップ３８５６）、Ｄｅｖが前記応答を変換し、それを端末機１０２に送信し（ステップ３８５８）、端末機１０２が画面３８２０上に示すような情報を表示する。画面３８２０は、車がそのときどこに位置するかを示し（３８２２）、画面３８３０上に示すように、図形アイコン３８２４が拡大されたときに詳細な地図３８３２を示す。
【０３０３】
図３９は、本発明の実施形態３９００の好ましい一例を示す。この代表的な実施形態は、ユーザの端末機１０２で、ユーザの登録済み端末機１０２を介して紛失した登録済み端末機の位置を特定するために、ユーザにより行われる好ましいステップを提示する。
【０３０４】
ユーザが端末機ロケータアイコン１１７０／１３７０（図１１／図１３）を実行することにより、ユーザの端末機１０２がＤｅｖ１０６にコマンドを伝送し、Ｄｅｖ１０６が前記コマンドを処理し、応答を前記端末機１０２に送り返し、前記端末機１０２がその画面３９０２上に示すように、端末機ロケータコマンドを表示する。ユーザが正しいセキュリティパスワード３９０８を入力し、実行アイコン３９１４を選択した後、問合せ端末機１０２にコマンドおよびパスワードをＤｅｖ１０６に送信させる。Ｄｅｖ１０６が（フローチャート３９５０のステップ３９５２に示すように）受け取り、処理し、現在の登録済み端末機３９１０を送り返す（ステップ３９５４）。この例では、ユーザが、紛失した端末機１０２（電話番号が９１６−９８７−６５００）を領域３９０６で強調することにより（３９１２）その端末機１０２を探すと決め、次いで、実行アイコン３９１４を再び選択することにより、問合せ端末機１０２（たとえば、その電話番号が９１６−９８７−６５４３または４０８−２３４−５６７８である）が端末機ロケータコマンドおよび必要なデータをＤｅｖ１０６に伝送する。Ｄｅｖ１０６がデータを処理し、次いで、紛失した端末機１０２（電話番号が９１６−９８７−６５００）に端末機ロケータコマンドをステップ３９５６で伝送し、さらに、画面３９２０上に示すように、問合せ端末機１０２が探している、紛失した端末機１０２の状態３９２２を問合せ端末機１０２に伝送する。Ｄｅｖ１０６が、紛失した端末機１０２のＧＰＳ位置を前記端末機から受け取ったとき（３９５８）、問合せ端末機１０２に情報を送り返し（３９６０）、問合せ端末機１０２がその位置３９２６をアイコン３９２８と共に表示する。アイコン３９２８が実行された（拡大された）後、紛失した端末機１０２の図形的位置（画面３９３０の３９３２）を問合せ端末機１０２が表示する。
【０３０５】
この実施形態は、実際的理由およびセキュリティの理由のために、Ｄｅｖの探索および位置特定をＤｅｖの登録済み端末機１０２だけに制限する。端末機の中（ならびにＤｅｖ１０６の中）に存在し、その中で操作するアプリケーションソフトウェアおよび操作ソフトウェアはまた、好ましくは、（端末機１０２およびＤｅｖ１０６の中にダウンロードし、更新するために）Ａｐｐサーバの中で設計され、修正されることができ、これによりこの実施形態の応用をより一般的で普遍的にすることができ、この実施形態の応用により、紛失した端末機がそれらの古い電話番号を依然として利用する限り、スマート端末機１０２のユーザが他のスマート端末機１０２を介してユーザの紛失したスマート端末機１０２の位置を特定することができるようになる。
【０３０６】
さらに、各スマート端末機に関連する固有識別子（たとえば、端末機／機器ＩＤパラメータ５４２／６４２）が存在し、固有識別子は、前記端末機が携帯電話機サービスプロバイダで活動化され、登録されたときに、前記携帯電話機サービスプロバイダのデータベースに伝送され、記憶される。その結果、端末機１０２またはＰＣ（コンピュータ）により携帯電話サービスプロバイダのコンピュータ／サーバに提供される、前記紛失した端末機の固有識別子を用いて、検索エンジン（すなわち、携帯電話サービスプロバイダのコンピュータ／サーバに存在するソフトウェア）により、紛失した端末機を追跡することができるときに、方法が存在する。そして前記識別子から、紛失した端末機の現在の（新しい、または異なる）電話番号を前記コンピュータ／サーバにより変換する（調べる）ことができ、したがって、前記紛失した端末機の位置を特定することができる。
【０３０７】
図４０は、本発明の実施形態４０００の好ましい一例を示す。この代表的実施形態は、好ましくは、Ｄｅｖ１０６がデータを記録するために、車両経路追跡および最大速度制限の時刻および場所をユーザがプログラムし、設定することができるようにする。この場合、ユーザがデータを見直すことができ、警告選択肢が選択された場合、最高速度が発生したとき、ユーザがユーザの端末機を通して通知される。データはまた、長期間記憶し続けるために、会社の記憶システムまたはユーザのプライベートクラウド（図４９／図５１／図５３／図５４の４９０９）の中に記憶することができる。
【０３０８】
ユーザが経路追跡・速度警告アイコン３０１０（図３０）を実行することにより、端末機１０２がＤｅｖ１０６にコマンドを伝送し（チャート４０７０のステップ４０７６）、Ｄｅｖ１０６が前記コマンドを処理し、応答を前記端末機１０２に送り返し（ステップ４０７８）、端末機１０２がその画面４００２上に示すように、経路追跡および速度警告プログラム・設定を表示する。画面４００２は、速度警告および経路追跡をオフ（無効）４０２０および４０２１として示す。領域４００６では、入力が、たとえば：Ｍｐｈ（マイル／時）またはＫｐｈ（キロメートル／時）４４０８、Ｄｅｖ１０６が速度データを記憶するネットワーク記憶サーバ宛先−記憶システム（４０１０）、ユーザの端末機への超過速度限界警告ありまたは警告なしの選択（４０１２）、速度警告がオン４０１８であるまたはオフ４０２０である、および経路追跡がオフ４０２１である、またはオン４０２２である。追跡がオン４０２２になったときにユーザがＤｅｖにより何分間（４０３２）追跡がサンプリングされるかを入力することができ、Ｄｅｖが、ＲＴＣ２４０（図２）から日時を、速度計４０７４から速度を、およびＧＰＳ３１８２からら位置を得る。次いで、ユーザが画面４０３２に示すデータを入力し、画面４０３２では、たとえば、ユーザが：最大速度制限を７０Ｍｐｈに（４０３８）、記憶サーバ宛先４０４０を、ユーザの端末機１０２への即時警告なし４０４４に、速度警告をオン４０４８に、および経路追跡を５分ごと４０５３のサンプリングでオン４０５２に設定し、次いで、実行アイコン４０５６を実行することによりプログラミングを完了することにより、端末機１０２がＤｅｖ１０６にコマンドおよび情報を送信する（チャート４０７０のステップ４０８０）。
【０３０９】
次いで、Ｄｅｖが最高速度を速度計４０７４に伝達する（ステップ４０８２）。これ以降（速度計をオフ４０２０および４０５０にするまで）車両が運転中のときはいつでも、ステップ４０８４で、速度が速度しきい値を超える、または速度しきい値を下まわるとすぐに、Ｄｅｖ１０６が速度計４０４７により割込みを受ける。Ｄｅｖ１０６が（図２のＲＴＣ２４０を介して）割込みの日時の記録をとり、これの日時を伝達し、獲得することによりＧＰＳ３１８２からＧＰＳ位置を得る（ステップ４０８６）。その結果、端末機のユーザが、超過速度制限、その期間、および位置の記録を取り出し、見ることができる。この好ましい実施形態は、車両のＤｅｖ１０６の主要なユーザが、あまりにも速く運転している場合がある他の運転者の運転の癖を見つけ出したいときに非常に有用である。この好ましい実施形態はまた、Ｄｅｖの追跡をオン（４０５２）にすることにより、自社車両の運転経路の記録をとることができるレンタカー会社、タクシー、トラック運送会社などに適用することができる。これにより、Ｄｅｖが、速度計４０７４から速度を得る（チャート７０７０ａのステップ４０９２）、およびＧＰＳ３１８２から位置を得る（ステップ４０９４）ことにより、（この場合のように）５分ごとに１つの追跡サンプルを得ることができるようになる。追跡記録は、当業者に公知のように、ユーザにより後で見ることができる（ステップ４０９６）、または会社のブックキーピングのために、一日の終わりに記憶サーバ４０７２の中にダウンロードすることができる（ステップ４０９８）。
【０３１０】
（ユーザがＤｅｖ１０６をプログラムした）端末機１０２が（図３０の画面３００２で）速度警告リストアイコン３０１２を実行することにより（画面４０６０に示すように）最高速度超過履歴を見ることができる。この特徴により、Ｄｅｖ１０６が、どこで、いつ、およびそれぞれどれくらいの継続期間、Ｄｅｖ１０６がプログラムした速度制限を車両が超えたかの履歴を構築することができるようになる。この履歴は、車両ナンバープレート４０６６、速度制限、時刻、日付、および速度制限超過の継続期間４０６８を表示する。
【０３１１】
（図３０の画面３００２で経路追跡リストアイコン３０１３を実行することにより）追跡が有効４０２２／４０５２になっているとき、経路追跡リスト４０５１により、ユーザまたは会社が車両の経路を毎日見ることができるようになる。経路追跡リスト４０５１は、ユーザ／所有者が、自分の車両がどのように使用されているか（または自分の車両の運転記録だけ）を知りたいときに有用となる可能性がある車両の運転記録、たとえば：免許証ＩＤ４０５７、日付４０５９、時刻４０６１、位置４０６９、および速度４０６５を示す。
【０３１２】
Ｄｅｖはまた、車両が長期間、閉鎖環境（すなわち、ガレージ）で車両のエンジンがオンの状態で誤ってアイドルのままであるとき、潜在的な二酸化炭素中毒についてＤｅｖの所有者に警告を発することができる。Ｄｅｖは、タイマが１０分以上たって満了しないとき、速度計の値を読み出すことにより、前記車両がアイドルである場合、車両のオン／オフエンジン入力を読み出すことにより、車のエンジンがオンであるかどうか検出する。次いで、前記ユーザから応答が全く戻ってこない場合、Ｄｅｖがユーザの端末機に、エンジンがオフにされることを前記ユーザに通知するメッセージを伝送する。さらに、Ｄｅｖが、運転席に運転者がいない、または動きが全くないことを検出した場合だけ伝送する、またはこのとき、ひどい交通渋滞がある、または運転者がエンジンをオフにすることなく休憩所にきた場合のように、問題が現在全くないかどうか運転者から応答を得るためにビープ音を伝送する。
【０３１３】
さらに、車両がセルフパーク技術を備える場合、Ｄｅｖがユーザに、事業所構内、たとえばレストランなどを訪問している間、ユーザの車をセルフパークさせる。この特徴により、ユーザが駐車場を見つけ出す必要なしに最も近い入り口で停止することができるようになる。次いで、ユーザが車両を出て、（図１１の画面１１２０のアイコン１１３８を実行することにより）Ｄｅｖにセルフパークするように命令し、前記車両がＤｅｖに、前記車両を利用可能な駐車スペースに導く車両のセルフ・パーキング・コントローラにコマンドを伝送させる。ユーザが去る準備ができたとき、アイコン１１４０を実行することによりユーザの車両を選ぶことにより、端末機がＤｅｖにコマンドを伝送し、次に、Ｄｅｖが前記コマンドを車両のセルフ・パーキング・コントローラに伝達し、セルフ・パーキング・コントローラが車両のエンジンをオンにし、ユーザを乗せるために前記車両をセルフドライブする。この間、Ｄｅｖがユーザの場所／位置およびユーザが歩いている方向をリアルタイムでセルフ・パーキング・コントローラに伝達し、次に、セルフ・パーキング・コントローラが最も近いと考えられるユーザの位置に前記車両を導く。
【０３１４】
図４１Ａは、本発明の実施形態４１００Ａの好ましい一例を示す。この代表的な実施形態は、予期しない、または許可されていない事象がユーザの車両に発生したときに、ユーザがユーザの端末機で警報を受け取る好ましい画面表示を提示する。
【０３１５】
Ｄｅｖ１０６が、ユーザの車両に許可されていないイベントが、たとえば：不法侵入、衝突、または車両が駐車した位置から取り除かれたことが発生したことをユーザに通知するメッセージを端末機の受信箱４１０２Ａで端末機１０２に送信する。ユーザが端末機１０２をツール画面４１１４Ａにナビゲートし、自動車のセキュリティ４１１６Ａを選択して、Ｄｅｖ１０６からの自動車警告４１２２Ａを見つけ出す。ユーザにより自動車警告アイコン４１２４Ａが実行されたとき、Ｄｅｖ１０６がとりわけ警告メッセージ４１１０Ａと共に伝送したばかりのイベント情報を含む画面４１３０Ａに端末機１０２がナビゲートする。画面４１３０Ａの情報は、原因−不法侵入４１３４Ａ、日時４１３６Ａ、位置４１３８Ａ、車が運転中かどうか４１４０Ａを含む。画面４１３０Ａの情報はまた、登録済み端末機が警告を受けた電話番号４１４２Ａもリストに記載する。アイコン４１４４Ａにより、ユーザが画面４１６２Ａに示すように、イベントが発生した場所の図形地図４１６４Ａを見ることができる。
【０３１６】
図４１Ｂは、本発明の実施形態４１００Ｂの好ましい一例を示す。この代表的な実施形態は、潜在的に生命を脅かすこと、またはイベントがユーザの車両内で発生する可能性があるときに、ユーザがユーザの端末機で警告を受け取る好ましい画面表示を提示する。
【０３１７】
Ｄｅｖ１０６が、異常かつ潜在的に危険な状況、たとえば、子供またはペットが一定期間、ユーザの駐車中車両の中に偶然取り残されていることをユーザに通知するメッセージを端末機の受信箱４１０４Ｂで端末機１０２に送信する。次いで、ユーザがビデオアイコン４１１４Ｂおよび４１１６Ｂと共にメッセージ４１１２Ｂを見たとき、適切な決定を行うことができる。ビデオアイコン４１１Ｂおよび４１１６Ｂにより、ユーザが車の内部カメラを通してユーザの車両部の光景４１８０Ｂおよび４１９０Ｂを見ることができるので、状況が切実であるかそうではないか確実にわかる。車両の中に子供もペットも残されていない場合、ユーザが、端末機１０２によりＤｅｖ１０６に伝送される無視アイコン４１２０Ｂを実行し、その結果、Ｄｅｖ１０６が警告を停止する、またはメッセージの送信を停止する（または停止を完了する前に、５分ごとにさらに数回警告を発してもよい）。内部に子供またはペットが偶然残されている場合、ユーザが警告画面４１１０Ｂで警告を確認するために、端末機１０２によりＤｅｖ１０６に伝送される確認アイコン４１１８Ｂを実行し、ユーザがユーザの端末機１０２でとるべき迅速な行動（画面４１３０Ｂ）をＤｅｖ１０６が送り返す。画面４１３０Ｂは行動、たとえば：車のドアをロック解除する（４１３２Ｂ）、車の窓を下げる（４１３４Ｂ）、クラクションを鳴らす（４１３６Ｂ）、車の警報をオンにする（４１３８Ｂ）、暖房をオンにする（４１４０Ｂ）、空調をオンにする（４１４２Ｂ）、ライトを点滅させる（４１４４Ｂ）、緊急センタを呼び出す（４１４６Ｂ）、および運転者が車に向かう（４１４８Ｂ）をリストに掲載する。この例では、ユーザ／運転者が、端末機１０２によりＤｅｖ１０６に伝送される、車の窓を下げる、および「車に向かう」アイコン（４１３４Ｂおよび４１４８Ｂ）を選択したときであり、Ｄｅｖ１０６が、画面４１５０Ｂに示すように、前記行動４１５４Ｂおよび４１６８Ｂをとっているという状態を送り返す。
【０３１８】
図４２Ａは、本発明の実施形態４２００Ａの好ましい一例を示す。図４２Ａは、パニックアイコンまたは車両緊急ボタンが押されたときの車両エンジン状態およびＤｅｖの応答を監視するために行われるステップを提示する。
【０３１９】
図４２Ａは、ユーザがエンジン状態アイコン４２１０Ａ（ここでは、読者の利便性のために、図１１の画面１１２２から自動車Ａｐｐメニュー４２０４Ａが図４２Ａに再現されている）を実行したときのエンジン状態メニュー４２２２Ａを示し、それにより、端末機１０２が対応するコマンドをＤｅｖ１０６に伝送し、Ｄｅｖ１０６がエンジン条件入出力２０５（図２）と通信し、そのエンジン状態を読み出し、画面４２２０Ａに表示するように、端末機１０２に情報を戻す。端末機１０２が、Ｄｅｖ１０６から受け取る車両エンジンおよびアクセサリ条件４２２２Ａを表示する。
【０３２０】
燃料レベルアイコン４２２４Ａが、燃料タンク（図示せず）の中に燃料がどれだけあるかを示す。
【０３２１】
電気アイコン４２２６Ａが、車両の電気条件（図示せず）を示す。
【０３２２】
オイル・レベル・アイコン４２２８Ａが、オイルをいくらか追加する必要があるかどうか（図示せず）を示す。
【０３２３】
タイヤ条件アイコン４２３２Ａが、タイヤ空気圧およびスレッドの厚さ（図示せず）ついてユーザに通知する。
【０３２４】
最後のサービスアイコン４２３４Ａが、車両の最後に受けたサービスの日付（図示せず）を表示する。
【０３２５】
ブレーキアイコン４２３６Ａが、ブレーキパッド、およびブレーキパッドを取り替える必要があるかどうか（図示せず）を示す。
【０３２６】
ライトアイコン４２３８Ａが、どのライトが消えている、または作動しないか（図示せず）を１人または複数のユーザに伝える。
【０３２７】
バッテリ・レベル・アイコン４２４０Ａが、バッテリレベル、または電気自動車の場合、残りの充電で何マイル出かけられるか（残りの走行距離のバランス）について１人または複数のユーザに伝える。
【０３２８】
パニックアイコン４２１１Ａが選択されたとき、それにより、端末機１０２がＤｅｖ１０６にコマンドを伝送し、Ｄｅｖ１０６が車の警報スピーカ（図２の２２０）および非常灯を即座にオンにする。Ｄｅｖ１０６はまた、これらの状態を端末機１０２に送り返し、端末機１０２が警報スピーカおよび非常灯をオンであるとして表示する（図示せず）。パニックアイコン４２１１Ａが、好ましくは、トグル入力のように機能する。換言すれば、パニックアイコン４２１１Ａが再び選択された場合、端末機１０２がコマンドをＤｅｖ１０６に伝送し、次いで、Ｄｅｖ１０６が車の警報スピーカ（図２の２２０）および非常灯をオフにし、さらにこれらの状態を端末機１０２に送り返し、端末機１０２が状態をオフであるとして表示する（図示せず）。
【０３２９】
図４２Ｂは、本発明の実施形態４２００Ｂの好ましい一例を示す。図４２Ｂは、第三者が第一者のＤｅｖを前記第三者の端末機および／または第三者自身のＤｅｖ（すなわち、第三者の車両の中のＤｅｖ）から一時的に制御および監視することを提示する。制御および監視コマンドが、第一者のＤｅｖにより、または第一者のユーザの端末機（第二者）により伝送されるので、第三者（警察）が、公共の安全が非常に危険な状態にあり、変化を受けた車両（第一者）を一時的に制御することができる。
【０３３０】
図４２Ｂは、追いかける警官の端末機（移動体機器）４２０２Ｂおよび／または警察車両の計器盤コンソール表示装置４２３２Ｂ（それに対応して、フローチャート４２５０Ｂでは、警官の端末機１０２Ａおよび警察車両のＰＣＭＤ「Ｐｒｏｇｒａｍ  Ｃｏｎｔｒｏｌ  ａｎｄ  Ｍｏｎｉｔｏｒ  Ｄｅｖｉｃｅ、プログラム制御および監視機器」または警察Ｄｅｖ１０６Ａである）上に伝送され、出現する、前記車両を制御するためのメニューを示し（フローチャートを添付）、それにより、前記警察官が状況を管理するために前記車両（自家用車ＰＣＭＤ）１０６を一時的に制御することができる。画面４２０２Ｂおよび４２３２Ｂは、追いかける警察官の移動体機器１０２Ａ上、および／または追いかける警察車両のコンソール表示装置（警察車両のＤｅｖ／ＰＣＭＤ）１０６Ａ上に出現するコマンド画面を示す。フローチャート４２５０Ｂは、緊急の場合、たとえば、車両（自家用車のＰＣＭＤ）１０６が強奪された、または盗まれたと報告され、一方では、その車両が公共安全を考えずに危険運転している場合、そのようなシナリオに関するさまざまな機器間の通信を示す。所有者（端末機１０２）が、矢印４２５４Ｂにより示される、警察の緊急センタ４２５２Ｂを呼び出す（流れ図４２５０Ｂでは、図１９の画面１９３２ａで１９６０ａにより示されるように、米国およびカナダでは、緊急ダイヤルが９１１である）ことにより報告し、所有者の端末機１０２上で第三者制御および監視コマンド（図１１の画面１１２０のアイコン１１３２）を実行し、端末機１０２が前記コマンドを前記警察の緊急センタ４２５２Ｂに伝送し（矢印４２２５Ｂにより示される）、さらに、一時的に暗号化されたＭＳＫを、被害を受けたＤｅｖ（自家用車のＰＣＭＤ）１０６に伝送する（４２５５Ｂａ）（矢印４２６２Ｂおよび／または４２６６Ｂにより示される前記第三者１０２Ａ／１０６Ａコマンドに対してＭＳＫの妥当性を、被害を受けたＤｅｖ（自家用車のＰＣＭＤ）１０６が検証するために、第三者制御および監視コマンドに関連付けられ、一時的に暗号化されたＭＳＫが、前記Ｄｅｖ１０６に伝送されなければならない）。次いで、警察の緊急センタ４２５２Ｂが、一時的に暗号化されたＭＳＫを最も近いと考えられる１人または複数の警察官に、すなわち、警察官の端末機１０２Ａ、および／または警察官の警察Ｄｅｖ（警察車両のＰＣＭＤ）１０６Ａのいずれかに転送する（矢印４２５８Ｂおよび４２６０Ｂ）、または被害者の運転者が、車内の近くに隠されたパニックボタンを実行することにより、被害を受けたＤｅｖ（自家用車のＰＣＭＤ）１０６が警察の緊急センタ４２５２Ｂに前記第三者制御および監視コマンド４２５６Ｂ（一時的ＭＳＫが埋め込まれている）を伝送させ、警察の緊急センタ４２５２Ｂが前記第三者制御および監視コマンド４２５６Ｂを最も近いと考えられる１人または複数の警察官１０２Ａおよび／または１０６Ａに転送する（４２５８Ｂおよび／または４２６０Ｂ）、または被害を受けたＤｅｖ（自家用車のＰＣＭＤ）１０６が前記第三者制御および監視コマンド４２５６Ｂ（一時的ＭＳＫが埋め込まれている）自体を警察の緊急センタ４２５２Ｂに伝送し、一方では、被害を受けたＤｅｖの���対応する車両アクセサリ入力を介して、運転者の常軌を逸した危険な運転挙動（赤信号で走る、スピードを出し過ぎる、逆方向で運転する、停止することなく車両への衝突を引き起こす）を検出する。警告を受けた警官が前記車両を追いかけ始めたとき、コマンドを実行することにより、警察車両のＤｅｖ（これを「警察のＤｅｖ」１０６Ａと呼ぶ）が通信し、次いで、前記車両のＤｅｖ（被害を受けた車両のＤｅｖ、これを「被害を受けたＤｅｖ」１０６と呼ぶ）からその（被害を受けたＤｅｖの）互いに影響し合う位置をリアルタイムに示す図形地図を受け取り、この位置が、警察車両のコンソール表示装置（図示せず）上に表示される、および／または音声の説明が警察車両のスピーカ（図示せず）でアナウンスされ、追いかける動作がより効率的になる。車両の説明およびナンバープレート４２０６Ｂ／４２３６Ｂと共に画面４２０２Ｂ（警察官の端末機および／移動体機器）および／または４２３２Ｂ（警察車両の表示コンソール）上に示すように、追いかける警察官が自分の表示装置上で実行することにより、被害を受けた車両と通信する。警察官がカメラアイコン４２０８Ｂ／４２３８Ｂを実行することにより、警察官の端末機／（警察のＤｅｖ）１０２Ａ／１０６Ａが、被害を受けたＤｅｖ１０６にコマンド４２６４Ｂ／４２６８Ｂを伝送し、影響を受けたＤｅｖ１０６がその車の内部カメラ（図示せず）を介して画像を伝送して戻す（４２６４Ｂ／４２６８Ｂ）ことにより、被害を受けた車両の運転者を観察することができる。警察官はまた、非常灯アイコン４２１６Ｂ／４２４６Ｂおよび／またはクラクションアイコン４２１８Ｂ／４２４８Ｂを実行することにより、被害を受けた車両の非常灯および／またはクラクションをオンにすることができる。警察官はまた、スピーカアイコン４２１４Ｂ／４２４４Ｂを実行することにより、警察官の端末機／（警察のＤｅｖ）１０２Ａ／１０６Ａが、被害を受けたＤｅｖ１０６にコマンドを伝送し、被害を受けたＤｅｖ１０６が、２者（図示せず）の間で音声データを送受信することにより、Ｄｅｖ１０６の被害を受けた車両のスピーカと双方向通信を確立することにより、運転者に話しかけようとすることができる。警察官はまた、アイコン４２１２Ｂ／４２４２Ｂを実行することにより、警察官の端末機１０２Ａ／（警察のＤｅｖ）１０６Ａが、被害を受けたＤｅｖ１０６にコマンドを伝送し、被害を受けたＤｅｖ１０６が、被害を受けた車両を完全に停止させ、エンジンをオフにすることにより、被害を受けた車両を停止させる緊急のステップをとることができる。第三者制御および監視は時間に制限があり、本来一時的であり（そして、アプリケーション・ダウンロード・ウェブ・リンクを常に伴うので、第三者であるＤｅｖを所有していないユーザが、アプリケーションをダウンロードし、ソフトウェアを走らせることができる）、警察官が問題を解決し、終了アイコン（図示せず）を実行する、または警察官の機器を他のタスクにナビゲートするとすぐに、被害を受けたＤｅｖ１０６が前記機器１０２Ａ／１０６Ａにより通知を受け、前記機器１０２Ａ／１０６Ａからもはやどんなコマンドも受け入れない。第三者制御および監視コマンドはまた、特定���日付、時刻および継続期間に有効になるようにプログラムすることができる。この特徴により、所有者が、特定の日付、時刻、および継続期間だけ友人が車を所有することができるような方法で、友人に車を貸すことができるようになる。
【０３３１】
図４２Ｃは、本発明の実施形態４２００Ｃの好ましい一例を示す。図４２Ｃは、所有者が自分の車両の運転者の運転挙動の記録をとるようにＤｅｖをプログラムすることができ、かつデータがチャート４２２０Ｃの（同じく、図４９の）所有者のプライベートクラウド記憶装置ブロック４９０４の中に安全かつ確実に記憶される監視メニューを示す。所有者はまた、車両の重量がその最大重量制限４２５２Ｃを超えたときに通知されるように、または混雑時間中に交通量監視プログラムに関与するようにＤｅｖをプログラムすることができる。ユーザが運転挙動（監視）アイコン１１４２（図１１）を実行したとき、端末機が運転挙動監視メニュー、すなわち画面４２０２Ｃにナビゲートし、画面４２０２Ｃでは、ユーザが、シートベルトが締められている（４２０６Ｃ）、赤信号がオンで走っている（４２０８Ｃ）、一時停止標識で停止できない（４２１０Ｃ）、赤信号で完全に停止することなく右に曲がっている（４２１２Ｃ）、スピード防止帯の領域でスピードを出し過ぎている（４２１４Ｃ）かどうかを知るために確かめることができる。チャート４２２０Ｃは、Ｄｅｖ１０６と、運転者の端末機１０２Ｃと、所有者の端末機１０２と、さまざまなインテリジェント・トラフィック・コントローラ、たとえば：一時停止標識コントローラ４２２２Ｃ、スピード防止帯コントローラ４２２４Ｃ、赤（交通）信号コントローラ４２２６Ｃ、およびユーザのプライベートクラウド記憶装置４９０４との間の対話を示す。日常的に運転中、Ｄｅｖが運転者の端末機１０２Ｃと最初に通信し（４２２８Ｃ示す）、したがって、運転者の身元を認識する。Ｄｅｖが（図２のＲＴＣ２４０を介して）時刻を、および（図３１のＧＰＳ３１８２を介して）位置の記録をとり、これらのデータを前記不正行為、すなわち：シートベルトが締められている、一時停止標識で完全に停止することができない（スマート一時停止標識コントローラ４２２Ｃと通信すること４２３０Ｃによる）、赤信号で走る（交通信号コントローラ４２２６Ｃと通信すること４２３４Ｃによる）、スピード防止帯のある通りで減速する（道路減速帯コントローラ４２２４Ｃおよびその速度計４２６２Ｃと通信すること４２３２Ｃによる）、赤信号で右に曲がる前に停止する（またはインド、日本、英国、中国の特別自治区香港、オーストラリア、ニュージーランド、シンガポール、タイ、マレーシア、インドネシアなどの国々では、左に曲がる）からなる移動全体の間にＤｅｖのメモリの中に記憶する。一日の終わりに、Ｄｅｖが前記データを所有者の端末機１０２に伝送し（４２３８Ｃ）、所有者の端末機１０２がそれを所有者の自宅のＤｅｖ（図示せず）を介して所有者のプライベートクラウド４９０４に伝送する（４２３９Ｃ）。スマート一時停止標識、スマート交通信号、およびスマート道路減速帯のコントローラと通信することは、これらの機器がその赤／緑の状態、および速度制限をＤｅｖにブロードキャストすることができるようにする無線ＳＲＣ構成要素を備えていることを意味する。
【０３３２】
Ｄｅｖはまた、その内蔵の車両デジタル重量計（計量機器）４２４２Ｃから情報を受け取ったとき（４２４４Ｃ）、車両重量が最大重量制限をいつ超えたかについて所有者に通知することができる（４２４６Ｃ）。この特徴は、ユーザが重量制限アイコン１１４４（図１１）を実行し、次いで、ボックス４２５６Ｃで入力された車両最大重量制限値と共にボックス４２５４Ｃにチェックマークをつけたときにプログラムすることができる。
【０３３３】
Ｄｅｖはまた、ユーザが、端末機に画面４２６０Ｃの交通量監視メニューにナビゲートさせる交通監視アイン１１４８（図１１）を実行した後、交通監視ウェブサイトに関与するようにプログラムすることができる。ユーザが、交通監視ウェブサイトアドレス４２６４Ｃを記入し、選択、たとえば：速度４２６６Ｃ、位置４２６８Ｃ、時刻４２７０Ｃなど、たとえば：曜日、午前の開始時刻、終了時刻、午後の開始時刻、終了時刻、および頻度（図示せず）にチェックマークをつける。交通監視は、チャート４２８０Ｃに示すように、午前および午後の混雑時間の間に動き出し、このとき、Ｄｅｖ１０６が端末機１０２と周期的に通信する（４２８６Ｃ）。混雑時間の間、交通量監視メニュー４２６２Ｃでプログラムされたように、Ｄｅｖがその現在位置４２９４Ｃ（ＧＰＳからの入力）、現在の速度４２９０Ｃ（速度計からの入力）、および時刻４２９２Ｃ（図２のＲＴＣ２４０からの読取値）を読み出し、データ４２９８Ｃを交通監視４２８４Ｃウェブサイト４２６４Ｃに伝送する（４２９８Ｃ）。
【０３３４】
さらに、正確な車両ＧＰＳ位置を得ることにより、運転者が道路の誤った側で運転しているかどうかをＤｅｖが検出することができ、したがって、この事実について運転者に通知する。Ｄｅｖはまた、この情報をハイウェイパトロール事務所に伝送し、その事務所の１人または複数の職員がこの情報を監視し、安全な結果のために対処することができるようにする。次いで、警察官が前方の潜在的な危険について他の運転者に通知し、警告を発する。前記Ｄｅｖはまた、運転者が運転し続ける場合、完全に停止するよう車両に命令することができる。
【０３３５】
Ｄｅｖはまた、だれでも扱える車両装備呼気検出器を介して運転者の血中アルコール含量／濃度（ＢＡＣ）を検出することにより、運転者が、運転しようとしている間に酔っているかどうかを検出することができる。次いで、Ｄｅｖは、運転者が車のエンジンをオンにするのを防ぎ、さらに、この問題について他の登録済みユーザに通知する。変化の生じた車両は、Ｄｅｖが法律の範囲内でアルコールレベルをもはや検出しないときだけ運転されることができる、または他の登録済みユーザまたは指定された運転者が前記車両を運転することができるように、前記Ｄｅｖを再び有効にするために、Ｄｅｖに明らかにされたいくつかの返答にうまく答えなければならない他の登録済みユーザまたは指定された運転者による命令を受け取る。
【０３３６】
換言すれば、Ｄｅｖは、複数の有線／無線入出力およびインタフェースに接続するように設計され、これによりそれにしたがって、どんな自動車会社も考えることができる複数のタスクを達成するようにプログラムされることができる。
【０３３７】
図４３は、本発明の実施形態４３００の好ましい応用の一例を示す。図４３は、端末機１０２を介してＤｅｖ１０６により制御される自宅警報システムのさまざまな入力および出力の接続を構成するために行われるステップをより記述的な用語で提示する。
【０３３８】
ユーザが自宅Ａｐｐメニュー１３２０に画面をめくり、自宅制御・監視アイコン１３２６（図１３）を選択した後、端末機１０２が自宅制御および監視メニュー４３０４を示す画面４３０２にナビゲートする。次いで、ユーザが警報構成アイコン４３０６を選択したとき、端末機１０２が画面４３２０にナビゲートし、このとき、端末機１０２がコマンドをＤｅｖ１０６に送信し、Ｄｅｖ１０６が前記画面４３２０上に示すように構成情報を送り返す。画面４３２０は、すべて数値の表現である、ドア／窓の入り口（４３２４）、動き入力４３２８、拡声器／クラクション４３３０、およびカメラ４３３２を示す、工場のデフォルトの自宅警報セキュリティシステム構成を提示する。次いで、ユーザが表示装置上を軽くタッチすることにより、指の動きを使用して画面を上／下、右／左に動かす、またはアイコンを使用して、上４３３４、下４３８４、左４３４４、右４３５２にスクロールして、構成された情報を得る。ドア／窓の入り口＃１アイコン（４３２６）が構成のために選択されたとき、端末機１０２が、コマンドを送信し、Ｄｅｖ１０６から情報を返してもらう画面４３４０にナビゲートする。キーボード４３４８を使用して、ユーザが、入り口をより認識できるようにするために、４３４２で入り口を記述的名称、たとえば、正面（正面入り口）の中への入り口１に編集することができ、最終的結果が画面４３６０、４３７０、および４３８０に示されるようになる（指定された入り口が使用されたときに警報を無効にする際に、Ｔ記号がいくらかのタイマ遅延を許容する）。
【０３３９】
図４４は、本発明の実施形態４４００の好ましい応用の一例を示す。この代表的な実施形態は、ユーザの端末機を介して（Ｄｅｖ１０６により制御される）ユーザの自宅環境を監視し、見るために、ユーザによりユーザの端末機で行われる好ましいステップを提示する。
【０３４０】
ユーザが状態／監視アイコン４３１０（図４３）を実行することにより、ユーザの端末機１０２がＤｅｖ１０６にコマンドを伝送し、Ｄｅｖ１０６が前記コマンドを処理し、前記端末機１０２に応答を送り返し、前記端末機１０２がその画面４４０２上に示すように、自宅セキュリティ状態／監視情報を表示する。ユーザが、４４２２に示すように個々のアイコン／入り口を選択する／強調することにより状態を確かめることができ、ポップアップ画面４４２４が、ＭＢ（主寝室）の窓が開いている、または玄関アイコン４４３４（動き）検出器がオフ４４３２になっていることを知らせる。ユーザはまた、ポップアップ台所ウィンドウ４４４４でカメラ入力を表示する台所アイコン４４４６を選択することにより、カメラ入力をリアルタイムで監視することができる。裏庭アイコン４４５４およびそのポップ・アップ・ウィンドウ４４５２は、画面４４５２をユーザがタッチすることにより拡大することができ、端末機１０２が画面４４５２をフルスクリーン４４７４で示されるように表示する、または閉じる領域４４５６を実行することにより画面４４５２を閉じることができる。
【０３４１】
図４５は、本発明の実施形態４５００の好ましい応用の一例を示す。この代表的な実施形態は、ユーザの端末機を介して（Ｄｅｖ１０６により制御される）ユーザの自宅セキュリティシステムを遠隔でプログラムし、制御し、監視するために、ユーザによりユーザの端末機で行われる好ましいステップを提示する。
【０３４２】
ユーザによりプログラム／制御アイコン４３０８（図４３）が実行されたとき、端末機１０２が画面４５０２にナビゲートし、それにより、端末機１０２がコマンドをＤｅｖ１０６に伝送し、Ｄｅｖ１０６が制御情報を端末機１０２に送り返し、端末機１０２が制御情報を４５０２上に表示する。この特徴により、ユーザが、キーボード制御キー４５０６またはキーパッド制御キー４５３６を使用することができるようになるので、自宅セキュリティ機能のためにキーボード４５０８またはキーパッド４５４６を使用してＤｅｖ１０６を制御し、プログラムすることができる。画面４５０２は、自宅セキュリティシステムがオフであり、準備ができていないことを示す（４５０４）。ユーザがプログラムアイコン４５４８を押すことにより、より多くを見つけ出すことができ、これにより、端末機１０２がＤｅｖ１０６から情報を戻された後に、原因「主寝室・・・開いています」４５３４を表示するＤｅｖ１０６は、ユーザが迂回アイコン（コマンド）４５６８を選択したとき、主寝室の入り口を迂回することができ、これにより、端末機１０２が迂回選択４５６４を表示し、迂回選択４５６４の中でも、主寝室を迂回するためにボックス４５６６が選択され、それにより、端末機１０２がＤｅｖ１０６に前記コマンドを送信する。ユーザは、カメラ動き警告アイコン４５７０および警報活動化不在アイコン４５７４を選択することにより、ユーザの端末機１０２を使用して警報を最終的にオンにすることができ、それにより、端末機１０２が画面４５８０にナビゲートし、警報がオンであり、不在である（内部の動き検出がすべてオンである）こと、およびカメラ動き検出４５８２を示す。ユーザが、オフアイコン４５５６またはオン／オフアイコン１３３６／１３３８（図１３）を使用することによりいつでも解除する（警報をオフにする）ことができる。カメラ動き警告アイコン４５７０が（有効になったとき）、任意のカメラ／ビデオ入力３１２（図３）にどんな変化があったときでもユーザに警告を発し、一方では、カメラ動き音響アイコン４５７２が、同じく、ユーザに潜在的侵入者を怖がらせて追い払うために音を出させる。Ｄｅｖ１０６が（図４７に示すように）家の外側のどんな活動についても警告するために、メッセージ、およびカメラ入力変化４５７０のビデオをユーザの端末機１０２に送信する。トラックがいつ配達を行っているか、庭師がいつ景観を手入れしているか、または隣人が郵便物をとり受け取ることによりいつ停止しているかを所有者が知りたい場合、カメラ動き警告４５７０が使用され、一方では、カメラ動き音響４５７２もまた、家族が出かけている間、望ましくないどんな客も延期させるために音を出す。
【０３４３】
図４６は、本発明の実施形態４６００の好ましい一例を示す。この代表的な実施形態は、予期しない、または許可されていないイベントがユーザの自宅で発生したときに、ユーザがユーザの端末機で警告を受け取るときの好ましい画面表示を提示する。
【０３４４】
端末機１０２が、Ｄｅｖ１０６からのメッセージおよび警告情報データについて受信箱４６０６でユーザに通知する画面４６０２にナビゲートする。ユーザが画面ツール４６１２にスクロールし、自宅のセキュリティ４６１４を選択して、Ｄｅｖ１０６からの自宅警告画面４６２２で前記情報を見つけ出す。ユーザにより自宅警告アイコン４６２４が実行されたとき、端末機が、Ｄｅｖ１０６がとりわけ警告メッセージ４６０６と共にたった今送信したばかりのイベント情報を含む画面４６３２にナビゲートする。画面４６３２は、ＢＲ２（寝室２）４６３８が、不法侵入が発生した場所であることを示し、玄関およびＬＲ（Ｌｉｖｉｎｇ  Ｒｏｏｍ、居間）動き検出器４６４０も不法侵入を検出している。ＢＲ２アイコン４６３８が選択されたとき、画面４６５２がポップ・アップ・アイコン４６５６を示し、日時を詳述する。ＳＰＫ１またはＳＰＫ２アイコン４６４２が選択されたとき、画面４６６０がポップ・アップ・アイコン４６６４を示し、警報が鳴らされた時刻４６６８、および警報がメッセージを送信した、警告を受けた電話番号（４６７２）を詳述する。
【０３４５】
図４７は、本発明の実施形態４７００の好ましい一例を示す。この代表的な実施形態は、ビデオカメラがユーザの家の周囲で変化を検出したときに、ユーザがユーザの端末機で警告を受け取るときの好ましい画面表示を提示する。
【０３４６】
端末機１０２が、Ｄｅｖ１０６からのメッセージ４７１２および警告情報データ（ビデオ）４７７２について受信箱４７２０でユーザに通知する画面４７１０にナビゲートする。ユーザが、画面４７３０（２０１３年６月１４日の午前１０時２３分に撮られた）（４７４２）から、物体４７４４を伴う画面４７４０（２０１３年６月１４日の午前１０時２４分に撮られた）までめくる／スクロールするとき、画面変化を示すいくつかのカメラショットを含む家アイコン４７２４を実行することにより事実を知ることができる。図４５ですでに行ったように、カメラ動き警告アイコン４５７０でユーザが警報をオンにしたとき、この警告が行われる。
【０３４７】
図４８および図４９は、本発明の実施形態４８００および４９００の好ましい応用の例を示す。代表的な実施形態４８００は、ユーザの端末機で、家庭用電気器具／装置をＤｅｖの自宅制御および監視システムの中に追加するために、ユーザにより行われる好ましいステップを提示し、一方では、代表的な実施形態４９００は、ＳＲＣネットワーク（Ｗｉ−Ｆｉを除く）内部での、これらの機器の通信対話を提示する。
【０３４８】
ユーザが家庭用電気器具アイコン１３４４（図１３）を実行することにより、ユーザの端末機１０２がＤｅｖ１０６にコマンドを伝送し、Ｄｅｖ１０６が前記コマンドを処理し、前記端末機１０２に応答を送り返し、前記端末機１０２がその画面４８０２上に示すように、家庭用電気器具メニューを表示する。自宅電気器具メニュー４８０４により、ユーザが自宅にいる、または自宅から遠く離れているときに、端末機１０２を使用して遠隔で制御することができる自宅電気器具／装置またはアクセサリを追加する（４８０６）、または自宅電気器具／装置またはアクセサリがもはや使用されないときにそれらを取り除く（４８０８）ことができる。
【０３４９】
ユーザが電気器具追加アイコン４８０６を実行することにより、端末機１０２がＤｅｖ１０６にコマンドを送信し、Ｄｅｖ１０６が処理し、発見した電気器具／装置を画面４８１０上に伝送して戻す。この特徴により、端末機１０２が、自宅電気器具発見画面４８３０に示されるように、適切なボックスを選択し、チェックマークをつけることにより、入り口ドアロック４８１４、ヘルプ警告４８１６、暖房および空調４８１８、ケーブルボックス４８２０、ガレージ開閉機４８２２、芝生用スプリンクラ４８２４、電気メータ４８２６、およびドアベル・インターホン４８２７を無視する（４８２８）またはこれらに接続する（４８２９）ようにＤｅｖ１０６に命令することができるようになる。次いで、ユーザが実行アイコン４８４８を実行することにより、端末機１０２がＤｅｖ１０６にコマンドおよびデータを伝送し、Ｄｅｖ１０６が処理し、自宅電気器具画面４８５０に示すように、前記電気器具から対応するソフトウェアアプリケーション、すなわち：ドアロック４８５４、ヘルプ警告４８５６、熱源／空気４８５８、ケーブルボックス／テレビ４８６０、ガレージ開閉機４８６２、スプリンクラコントローラ４８６４、電気メータ４８６６、およびドアベル・インターホン４８６８を伝送して戻す。次いで、ユーザが終了アイコン４８６８ａを実行し、それにより、端末機１０２が画面４８５１として示されている画面４８０２にナビゲートして戻す。画面４８５１では、自宅電気器具メニュー４８５３が８つの新しく追加された家庭用電気器具制御アイコン、すなわち：ドアロック４８５９、ヘルプ警告４８６１、熱源／空気４８６３、ケーブルボックス／テレビ４８６５、ガレージ開閉機４８６７、スプリンクラコントローラ４８６９、電気メータ４８７１、およびドアベル・インターホン４８７３を備える。ドアロック１３３２、ロック解除１３３４、およびガレージ開閉機アイコン１３４０はまた、ユーザが前記機能を使用する必要があるとき、ユーザがナビゲートをより便利にする（ナビゲートするのにより少ない画面ステップを必要とする）ために、Ｄｅｖの自宅Ａｐｐ６０４により自宅Ａｐｐメニュー１３２２の中にコピーされる。
【０３５０】
チャート図４８７０および図４９は、端末機１０２と、Ｄｅｖ１０６と、すべての電気器具、すなわち、ドアロック４８７２、ヘルプ警告４８７４、空調／熱源コントローラ４８７６、ケーブルボックス／テレビ４８７８、ガレージ開閉機４８８０、スプリンクラ４８８２、電気メータ４８８４、およびドアベル・インターホン４８８６（および同種のもの、たとえば：水道メータ、加熱および調理用ガスメータ）との間の対話を示す。チャート図４８７０および図４９は、ステップ４８８１から開始し、このとき、Ｄｅｖ１０６が、端末機１０２から自宅電気器具接続コマンドを受け取った後、かつユーザが画面４８３０に示すような特徴を実行した後に、端末機１０２と通信する。
【０３５１】
Ｄｅｖ１０６が、ステップ４８８３でドアロックと接続し、通信し（同じく、図４９で通信リンク／媒体４８８３として示されている）、ステップ４８８３Ａでアイコン４８５４（ＤＡ）の形で示すドアロックのソフトウェアアプリケーションを受け取り、このＤｅｖ１０６はまた、ステップ４８８３Ｂでドアロックのソフトウェアアプリケーションのコピーを端末機に渡す。
【０３５２】
Ｄｅｖ１０６が、ステップ４８８５でヘルプ警告と接続し、通信し（同じく、図４９で通信リンク／媒体４８８５として示されている）、ステップ４８８５Ａでアイコン４８５６（ＨＡ）の形で示すヘルプ警告のソフトウェアアプリケーションを受け取り、このＤｅｖ１０６はまた、ステップ４８８５Ｂでヘルプ警告のソフトウェアアプリケーションのコピーを端末機に渡す。
【０３５３】
Ｄｅｖ１０６が、ステップ４８８７で空調／熱源コントローラと接続し、通信し（同じく、図４９で通信リンク／媒体４８８７として示されている）、ステップ４８８７Ａでアイコン４８５８（ＡＡ）の形で示す空調／熱源コントローラのソフトウェアアプリケーションを受け取り、このＤｅｖ１０６はまた、ステップ４８８７Ｂで空調／熱源コントローラのソフトウェアアプリケーションのコピーを端末機に渡す。
【０３５４】
Ｄｅｖ１０６が、ステップ４８８９でケーブルボックス／テレビと接続し、通信し（同じく、図４９で通信リンク／媒体４８８９として示されている）、ステップ４８８９Ａでアイコン４８６０（ＣＡ）の形で示すケーブルボックス／テレビのソフトウェアアプリケーションを受け取り、このＤｅｖ１０６はまた、ステップ４８８９Ｂでケーブルボックス／テレビのソフトウェアアプリケーションのコピーを端末機に渡す。
【０３５５】
Ｄｅｖ１０６が、ステップ４８９１でガレージ開閉機と接続し、通信し（同じく、図４９で通信リンク／媒体４８９１として示されている）、ステップ４８９１Ａでアイコン４８６２（ＧＡ）の形で示すガレージ開閉機のソフトウェアアプリケーションを受け取り、このＤｅｖ１０６はまた、ステップ４８９１Ｂでガレージ開閉機のソフトウェアアプリケーションのコピーを端末機に渡す。
【０３５６】
Ｄｅｖ１０６が、ステップ４８９３でスプリンクラと接続し、通信し（同じく、図４９で通信リンク／媒体４８９３として示されている）、ステップ４８９３Ａでアイコン４８６４（ＳＡ）の形で示すスプリンクラのソフトウェアアプリケーションを受け取り、このＤｅｖ１０６はまた、ステップ４８９３Ｂでスプリンクラのソフトウェアアプリケーションのコピーを端末機に渡す。
【０３５７】
Ｄｅｖ１０６が、ステップ４８９５で電気メータと接続し、通信し（同じく、図４９で通信リンク／媒体４８９５として示されている）、ステップ４８９５Ａでアイコン４８６６（ＥＡ）の形で示す電気メータのソフトウェアアプリケーションを受け取り、このＤｅｖ１０６はまた、ステップ４８９５Ｂで電気メータのソフトウェアアプリケーションのコピーを端末機に渡す。
【０３５８】
電気メータ４８８４は、任意の無線機器と通信中、およびさらには、Ｄｅｖの自宅電気器具発見段階（画面４８１０に図示せず）中に識別子（たとえばＳ／Ｎ、位置アドレス）を埋め込まれる、または備えることが好ましいので、ユーザによりユーザの隣人のものと区別されることができる。
【０３５９】
Ｄｅｖ１０６が、ステップ４８９７でドアベル・インターホンと接続し、通信し（同じく、図４９で通信リンク／媒体４８９７として示されている）、ステップ４８９７Ａでアイコン４８６８（ＢＡ）の形で示すドアベル・インターホンのソフトウェアアプリケーションを受け取り、このＤｅｖ１０６はまた、ステップ４８９７Ｂでドアベル・インターホンのソフトウェアアプリケーションのコピーを端末機に渡す。
【０３６０】
この場合、Ｄｅｖ１０６と電気器具（ドアロック４８７２、ヘルプ警告４８７４、エアコン／熱源コントローラ４８７６、ケーブルボックス／テレビ４８７８、ガレージ開閉機４８８０、スプリンクラ４８８２、電気メータ４８８４、およびドアベル・インターホン４８８６）との間の通信媒体がＳＲＣ（短距離通信）ネットワーク１０４の形であり、一方では、Ｄｅｖ１０６と端末機１０２との通信が、ＳＲＣまたは携帯電話ネットワーク１１８を通す形とすることができる。
【０３６１】
あるいは、（グラフ４８７０で）Ｄｅｖ１０６に、および端末機１０２に、家庭用電気器具からすでに伝送されたソフトウェアアプリケーション、たとえば：アイコン：ＤＡ４８５４、ＨＡ４８５６、ＡＡ４８５８、ＣＡ４８６０、ＧＡ４８６２、ＳＡ４８６４、ＥＡ４８６６、およびＢＡ４８６８が、好ましくは、ＵＲＬ（アプリケーション・ダウンロード・アドレス・リンクまたはハイパーリンク）とすることができ、この場合、ユーザがＵＲＬを使用して、ユーザの端末機１０２の中に適切なオンラインアプリケーションをダウンロードし、次いで、端末機１０２がこれらのオンラインアプリケーションをＤｅｖ１０６に伝送する。
【０３６２】
ユーザはまた、端末機の表示画面４８０２／４８５１上のＡｐｐダウンロードアイコン４８０９／４８７５を使用して、家庭用電気器具アプリケーションをオンラインでダウンロードすることができる。
【０３６３】
同様に、統合スマート・ペット・ドア６１９６（そのドア６１９０、スピーカ６１９２、およびカメラ６１９４）、プライベートクラウド４９０４、および複数の他の家庭用電気器具／装置に、前記家庭用電気器具／装置を発見し、接続し、これらの機器からアプリケーションまたはハイパーリンクを受け取るために、Ｄｅｖ１０６を介して端末機により同一のステップを適用することができることが好ましい。この場合、端末機ユーザが、ユーザの端末機１０２を介してこれらの家庭用電気器具／装置をプログラムし、制御し、監視することができる。
【０３６４】
図５０および図５１は、本発明の実施形態５０００および５１００の好ましい応用の一例を示す。代表的な実施形態５０００は、ユーザの端末機で、家庭用電気器具／装置をＤｅｖの自宅制御および監視システムの中に追加するために、ユーザにより行われる好ましいステップを提示し、一方では、代表的な実施形態５１００は、Ｗｉ−Ｆｉネットワーク内部での、これらの機器の通信対話を提示する。
【０３６５】
ユーザが家庭用電気器具アイコン１３４４（図１３）を実行することにより、ユーザの端末機１０２がＤｅｖ１０６にコマンドを伝送し、Ｄｅｖ１０６が前記コマンドを処理し、前記端末機１０２に応答を送り返し、前記端末機１０２がその画面５００２上に示すように、家庭用電気器具メニューを表示する。自宅電気器具メニュー５００４により、ユーザが、自宅にいる、または自宅から遠く離れているときに、端末機１０２を使用して遠隔で制御することができる自宅電気器具／装置またはアクセサリを追加する（５００６）、またはこれらがもはや使用されないときに取り除く（５００８）。
【０３６６】
ユーザが電気器具アイコン５００６を実行することにより、端末機１０２がＤｅｖ１０６にコマンドを送信し、Ｄｅｖ１０６が処理し、発見する電気器具／装置を画面５０１０上に伝送して戻す。この特徴により、端末機１０２が、自宅電気器具接続画面５０３０に示されるように適切なボックスを選択し、チェックマークをつけることにより、入り口ドアロック５０１４、ヘルプ警告５０１６、暖房および空調５０１８、ケーブルボックス５０２０、ガレージ開閉機５０２２、芝生用スプリンクラ５０２４、電気メータ５０２６、およびドアベル・インターホン５０２７を無視する（５０２８）またはこれらに接続する（５０２９）ようにＤｅｖ１０６に命令することができるようになる。次いで、ユーザが実行アイコン５０４８を実行すると、端末機１０２がＤｅｖ１０６にコマンドを送信し、Ｄｅｖ１０６が処理し、自宅電気器具画面５０５０に示すように、対応するソフトウェアアプリケーション、すなわち：ドアロック５０５４、ヘルプ警告５０５６、熱源／空気５０５８、ケーブルボックス／テレビ５０６０、ガレージ開閉機５０６２、スプリンクラコントローラ５０６４、電気メータ５０６６、およびドアベル・インターホン５０６８を前記電気器具から伝送して戻す。次いで、ユーザが終了アイコン５０６８ａを実行することにより、端末機１０２が画面５０５１として示されている画面５００２にナビゲートして戻す。画面５０５１では、自宅電気器具メニュー５０５３が８つの新しく追加された家庭用電気器具制御アイコン、すなわち：ドアロック５０５９、ヘルプ警告５０６１、熱源／空気５０６３、ケーブルボックス／テレビ５０６５、ガレージ開閉機５０６７、スプリンクラコントローラ５０６９、電気メータ５０７１、およびドアベル・インターホン５０７３を備える。ドアロック１３３２、ロック解除１３３４、およびガレージ開閉機アイコン１３４０はまた、ユーザが前記機能を使用する必要があるとき、ユーザがナビゲートするのをより便利にする（ナビゲートするのにより少ない画面ステップを必要とする）ために、Ｄｅｖの自宅Ａｐｐ６０４により自宅Ａｐｐメニュー１３２２の中にコピーされる。
【０３６７】
チャート図５０７０および図５１は、端末機１０２と、Ｄｅｖ１０６と、すべての電気器具、すなわち、ドアロック４８７２、ヘルプ警告４８７４、空調／熱源コントローラ４８７６、ケーブルボックス／テレビ４８７８、ガレージ開閉機４８８０、スプリンクラ４８８２、電気メータ４８８４、およびドアベル・インターホン４８８６（および同種のもの、たとえば：水道メータ、加熱および調理用ガスメータなど）との間の対話を示す。チャート図５０７０および図５１はステップ５０８１から開始し、このとき、Ｄｅｖ１０６は、端末機１０２から自宅電気器具接続コマンドを受け取った後、かつユーザが画面５０３０に示すような特徴を実行した後に、端末機１０２と通信する。
【０３６８】
Ｄｅｖ１０６が、ステップ５０８３でドアロックと接続し、通信し（同じく、図５１で通信リンク／媒体５０８３として示されている）、ステップ５０８３Ａでアイコン５０５４（ＤＡ）の形で示すドアロックのソフトウェアアプリケーションを受け取り、このＤｅｖ１０６はまた、ステップ５０８３Ｂでドアロックのソフトウェアアプリケーションのコピーを端末機に渡す。
【０３６９】
Ｄｅｖ１０６が、ステップ５０８５でヘルプ警告と接続し、通信し（同じく、図５１で通信リンク／媒体５０８５として示されている）、ステップ５０８５Ａでアイコン５０５６（ＨＡ）の形で示すヘルプ警告のソフトウェアアプリケーションを受け取り、このＤｅｖ１０６はまた、ステップ５０８５Ｂでヘルプ警告のソフトウェアアプリケーションのコピーを端末機に渡す。
【０３７０】
Ｄｅｖ１０６が、ステップ５０８７でエアコン／熱源コントローラと接続し、通信し（同じく、図５１で通信リンク／媒体５０８７として示されている）、ステップ５０８７Ａでアイコン５０５８（ＡＡ）の形で示すエアコン／熱源コントローラのソフトウェアアプリケーションを受け取り、このＤｅｖ１０６はまた、ステップ５０８７Ｂでエアコン／熱源コントローラのソフトウェアアプリケーションのコピーを端末機１０２に渡す。
【０３７１】
Ｄｅｖ１０６が、ステップ５０８９でケーブルボックス／テレビと接続し、通信し（同じく、図５１で通信リンク／媒体５０８９として示されている）、ステップ５０８９Ａでアイコン５０６０（ＣＡ）の形で示すケーブルボックス／テレビのソフトウェアアプリケーションを受け取り、このＤｅｖ１０６はまた、ステップ５０８９Ｂでケーブルボックス／テレビのソフトウェアアプリケーションのコピーを端末機に渡す。
【０３７２】
Ｄｅｖ１０６が、ステップ５０９１でガレージ開閉機と接続し、通信し（同じく、図５１で通信リンク／媒体５０９１として示されている）、ステップ５０９１Ａでアイコン５０６２（ＧＡ）の形で示すガレージ開閉機のソフトウェアアプリケーションを受け取り、このＤｅｖ１０６はまた、ステップ５０９１Ｂでガレージ開閉機のソフトウェアアプリケーションのコピーを端末機に渡す。
【０３７３】
Ｄｅｖ１０６が、ステップ５０９３でスプリンクラと接続し、通信し（同じく、図５１で通信リンク／媒体５０９３として示されている）、ステップ５０９３Ａでアイコン５０６４（ＳＡ）の形で示すスプリンクラのソフトウェアアプリケーションを受け取り、このＤｅｖ１０６はまた、ステップ５０９３Ｂでスプリンクラのソフトウェアアプリケーションのコピーを端末機に渡す。
【０３７４】
Ｄｅｖ１０６が、ステップ５０９５で電気メータと接続し、通信し（同じく、図５１で通信リンク／媒体５０９５として示されている）、ステップ５０９５Ａでアイコン５０６６（ＥＡ）の形で示す電気メータのソフトウェアアプリケーションを受け取り、このＤｅｖ１０６はまた、ステップ５０９５Ｂで電気メータのソフトウェアアプリケーションのコピーを端末機に渡す。
【０３７５】
電気メータ４８８４は、任意の無線機器と通信中、およびさらには、Ｄｅｖの自宅電気器具発見段階（画面５１１０に図示せず）中に識別子（たとえばＳ／Ｎ、位置アドレス）を埋め込まれる、または備えることが好ましいので、ユーザの隣人のものとユーザにより区別することができる。
【０３７６】
Ｄｅｖ１０６が、ステップ５０９７でドアベル・インターホンと接続し、通信し（同じく、図５１で通信リンク／媒体５０９７として示されている）、ステップ５０９７Ａでアイコン５０６８（ＢＡ）の形で示すドアベル・インターホンのソフトウェアアプリケーションを受け取り、このＤｅｖ１０６はまた、ステップ５０９７Ｂでドアベル・インターホンのソフトウェアアプリケーションのコピーを端末機に渡す。
【０３７７】
この場合、Ｄｅｖ１０６と電気器具（ドアロック４８７２、ヘルプ警告４８７４、エアコン／熱源コントローラ４８７６、ケーブルボックス／テレビ４８７８、ガレージ開閉機４８８０、スプリンクラ４８８２、電気メータ４８８４、およびドアベル・インターホン４８８６）との通信媒体がＷｉ−Ｆｉ（有線／無線ＬＡＮ）ネットワーク１０４の形であり、一方では、Ｄｅｖ１０６と端末機１０２の通信がＷｉ−Ｆｉを通す、または携帯電話ネットワーク１１８を通す形とすることができる。
【０３７８】
あるいは、（グラフ５０７０で）Ｄｅｖ１０６に、および端末機１０２に家庭用電気器具からすでに伝送されたソフトウェアアプリケーション、たとえば：アイコン：ＤＡ５０５４、ＨＡ５０５６、ＡＡ５０５８、ＣＡ５０６０、ＧＡ５０６２、ＳＡ５０６４、ＥＡ５０６６、およびＢＡ５０６８は、好ましくは、ＵＲＬ（アプリケーション・ダウンロード・アドレス・リンクまたはハイパーリンク）とすることができ、この場合、ユーザがＵＲＬを使用して、ユーザの端末機１０２の中に適切なオンラインアプリケーションをダウンロードし、次いで、端末機１０２がこれらのオンラインアプリケーションをＤｅｖ１０６に伝送する。
【０３７９】
ユーザはまた、端末機の表示画面５００２／５０５１上のＡｐｐダウンロードアイコン５００９／５０７５を使用して、家庭用アプリケーションをオンラインでダウンロードすることができる。
【０３８０】
同様に、統合スマート・ペット・ドア６１９６（そのドア６１９０、スピーカ６１９２、およびカメラ６１９４）、プライベートクラウド４９０４、および複数の他の家庭用電気器具／装置に、前記電気器具／装置を発見し、接続し、機器からアプリケーションまたはハイパーリンクを受け取るために、Ｄｅｖ１０６を介して端末機により同一のステップを適用することができることが好ましい。この場合、端末機ユーザが、ユーザの端末機１０２を介して家庭用電気器具／装置をプログラムし、制御し、監視することができる。
【０３８１】
図５２は、本発明の実施形態５２００の好ましい応用の一例を示す。この代表的な実施形態は、ユーザの端末機１０２で、Ｄｅｖの自宅制御および監視システムから家庭用電気器具／装置を取り除くために、ユーザにより行われる好ましいステップを提示する。
【０３８２】
この特徴により、ユーザが電気器具削除アイコン５０５７を強調することにより選択されたとき、メニューから電気器具機器を取り除くことができるようになり、それにより、端末機１０２が画面自宅機器除去５２０２にナビゲートする。次いで、ユーザが、適切な削除ボックス、たとえば：ドアロック５２０６、ヘルプ警告５２０８、暖房および空調５２１０、ケーブルボックス５２１２、ガレージドア開閉機５２１４、スプリンクラ５２１６、電気メータ５２１８、およびドアベル・インターホン５２２０を画面でタッチすることにより、取り除く機器を選択することができる。端末機画面「自宅機器除去」５２３０は、機器＃６、すなわちスプリンクラ５２４４（Ｔｏｒｏ−３５６）が取り除かれるために選択されたことを示す。ユーザが実行アイコン５２５０を実行したとき、端末機１０２がＤｅｖ１０６にコマンドを伝送し、Ｄｅｖの完了応答を待つ。端末機１０２がＤｅｖ１０６から応答を返してもらったとき、それは、芝生用スプリンクラ（アプリケーションソフトウェア）がＤｅｖ１０６から取り除かれたことを意味する。次いで、端末機１０２がそのメモリからスプリンクラ・アプリケーション・ソフトウェアを取り除く。自宅電気器具メニュー５２８２が、更新された内容を示し、スプリンクラが家庭用機器としてもはやリストに掲載されていない（端末機ソフトウェアは、好ましくは、Ｄｅｖ１０６がその削除機能を完了するまで、機器ソフトウェアアプリケーションを削除せず、したがって、アプリケーションソフトウェアの不完全な削除を防ぎ、Ｄｅｖ１０６と端末機１０２の間の同期を維持する）。
【０３８３】
図５３は、本発明の実施形態５３００の好ましい応用の一例を示す。代表的な実施形態５３００は、端末機とＤｅｖの両方がＳＲＣネットワーク（Ｗｉ−Ｆｉを除く）内部で家庭用電気器具／装置と通信するときの通信対話を提示する。
【０３８４】
代表的な実施形態５３００は、ユーザが自宅にいるときの、端末機１０２と、Ｄｅｖ１０６と、さまざまな家庭用電気器具／装置、すなわち：ドアロック４８７２、ヘルプ警告４８７４、空調／熱源コントローラ４８７６、ケーブルボックス／テレビ４８７８、ガレージ開閉機４８８０、スプリンクラ４８８２、電気メータ４８８４、ドアベル・インターホン４８８６（それに加えて、統合スマート・ペット・ドア６１９６、そのドア６１９０、そのスピーカ６１９２、およびそのカメラ６１９４、ならびに図示しないサポートアプリケーションを有する複数の他の機器）との間の対話を示す。Ｄｅｖ１０６および端末機１０２がＳＲＣ５３０３を介して互いを検出し、互いに通信し、その結果、端末機１０２はまた、上記の家庭用電気器具に直接伝達し、ＳＲＣ媒体を介してそれらの家庭用電気器具、すなわち：ドアロック５３０４、ヘルプ警告５３０６、空調／熱源コントローラ５３０８、ケーブルボックス／テレビ５３１０、ガレージ開閉機５３１２、スプリンクラ５３１４、電気メータ５３１６、およびドアベル・インターホン５３１８を制御し、一方では、（すでに）Ｄｅｖ１０６が、同じく、それらの家庭用電気器具、すなわち：ドアロック４８８３、ヘルプ警告４８８５、空調／熱源コントローラ４８８７、ケーブルボックス／テレビ４８８９、ガレージ開閉機４８９１、スプリンクラ４８９３、電気メータ４８９５、およびドアベル・インターホン４８９７（図４８、図４９、および図５３）と通信する。
【０３８５】
図５４は、本発明の実施形態５４００の好ましい応用の一例を示す。代表的な実施形態５４００は、端末機だけがＳＲＣネットワーク（Ｗｉ−Ｆｉを除く）内部で家庭用電気器具／装置と能動的に通信するときの通信対話を提示する。
【０３８６】
代表的な実施形態５４００は、ユーザが自宅にいるときの、端末機１０２とさまざまな家庭用電気器具／装置、すなわち：ドアロック４８７２、ヘルプ警告４８７４、空調／熱源コントローラ４８７６、ケーブルボックス／テレビ４８７８、ガレージ開閉機４８８０、スプリンクラ４８８２、電気メータ４８８４、およびドアベル・インターホン４８８６（および図示しないサポートソフトウェアを有する複数の他の機器）との間の対話を示す。Ｄｅｖ１０６および端末機１０２がＳＲＣ５３０３を介して互いを検出し、互いに通信するが、Ｄｅｖ１０６がそのＳＲＣ媒体の範囲内に端末機の存在を検出するので、家庭用電気器具との通信を終える。Ｄｅｖ１０６が、端末機１０２からのコマンドに対して、対応する家庭用電気器具から応答を全く検出しない場合、前記コマンドに応答するしかない。
【０３８７】
全体的に、Ｄｅｖは、制御する自動車アクセサリまたは家庭用電気器具への許可されていないアクセスを傍受することにより、Ｄｅｖの環境を絶えず監視し、許可されていないアクセスのような試みが行われているとき、発生源を特定し、許可されていないアクセスのような試みが成功したか、しなかったかを１人または複数のユーザに通知することにより警告を発する。
【０３８８】
図５５Ａは、本発明の実施形態５５００Ａの好ましい一例を示す。この代表的な実施形態は、ユーザの端末機で、Ｄｅｖの自宅制御および監視システムのケーブルボックス／テレビをプログラムし、制御し、記録し、見るために、ユーザにより行われる好ましいステップを提示する。
【０３８９】
自宅電気器具メニュー４８５１／５０５１（図４８／図５０）のケーブルボックス／テレビアイコン４８６５／５０６５が実行されたとき、端末機１０２がＤｅｖ１０６にコマンドを伝送し、次に、Ｄｅｖ１０６が前記コマンドを処理し、その結果をケーブル／衛星テレビ４８７８（図４８）に渡し、前記ケーブル／衛星テレビ４８７８から応答を受け取り、前記応答を処理し、その結果を端末機１０２に渡して戻し、端末機１０２がその画面５５０２上に示すように情報を表示する。
【０３９０】
遠隔制御５５１６およびチャネルサーフィン画面５５０４が、ケーブル／衛星テレビ４８７８から伝送された（またはウェブからダウンロードされた）、１つのコピーがＤｅｖ１０６の中に、１つのコピーが端末機１０２の中にある、図４８／図５０のＣＡソフトウェア４８６０／５０６０により制御される。５５０４おおび５５１６のあらゆる選択（強調されたアイコン／押された画面のボタン）により、端末機１０２がＤｅｖ１０６にコマンドを伝送し、次に、Ｄｅｖ１０６がケーブル／衛星テレビ４８７８にコマンドを伝送し、応答が必要な場合、Ｄｅｖ１０６を介してケーブル／衛星テレビ４８７８から端末機１０２に伝送されて戻され、端末機１０２が応答を画面５５０２上に表示する。チャネル４ＫＹＯＮ上のニュース（Ｎｅｗｓアイコン５５１０）が、図示するようにそのアイコンをタッチすることにより、または強調し、次いでＯＫアイコン５５２０をタッチすることにより、画面上で視聴されることができる。
【０３９１】
録画アイコン５５１８が選択されたとき、端末機１０２がＤｅｖ１０６を介してケーブル／衛星テレビ４８７８にコマンドを送信し、Ｄｅｖ１０６がケーブル／衛星テレビ４８７８からの応答を端末機１０２に戻し、端末機１０２が応答を、録画された番組として表示する（画面５５３０）。遠隔制御５５１８は、その時点で必要ないので、サイズが縮小された（５５１８Ａ）。ユーザが、録画された番組、たとえば：図示するようなＣｏｐｓアイコン５５３６を強調し、動作メニュー５５３８で再生アイコン５５４０を選択する（実行する）ことにより、録画された番組を視聴することができる。
【０３９２】
図５５Ｂは、本発明の実施形態５５００Ｂの好ましい一例を示す。この代表的な実施形態は、ユーザの端末機で、Ｄｅｖの自宅制御および監視システムのガレージ開閉機を開ける、または閉めるために、ユーザにより行われる好ましいステップを提示する。
【０３９３】
ユーザが１秒以上（端末機１０２が画面を変更するまで）端末機のガレージ開閉機アイコン４８６７／５０６７の上を離れないとき、端末機１０２が画面５５６０にナビゲートし、ガレージドア開閉機５５６０の状態を遠隔で提示する。次いで、ユーザが自宅から遠く離れているときにガレージを開ける／閉めることができ、さらに、ガレージが画面５６２上に表示されたとき、ガレージが開いているか、閉じているかがわかる。
【０３９４】
ボタン制御５５７０および表示装置５５６２が、ガレージ開閉機４８８０から伝送された（またはウェブからダウンロードされた）、１つのコピーがＤｅｖ１０６の中に、１つのコピーが端末機１０２の中にある、ＧＡソフトウェア（図４８／図５０の４８６２／５０６２）により制御される。
【０３９５】
一方、ユーザがちょうど通常のガレージ開閉機のように、ガレージを開ける、または閉めるために、ガレージ開閉機アイコン４８６７／５０６７を軽くタッチすることにより、またはアイコン１３４０をタッチすることにより（ＳＲＣを介して近距離で）ガレージドアを開ける／閉めることができる。
【０３９６】
図５６Ａは、本発明の実施形態５６００Ａの好ましい一例を示す。この代表的な実施形態は、ユーザの端末機で、Ｄｅｖの自宅制御および監視システムのセントラルヒーティングおよび空調をプログラムし、制御し、見るために、ユーザにより行われる好ましいステップを提示する。
【０３９７】
自宅電気器具メニュー４８５１／５０５１（図４８／図５０）の熱源／空気アイコン４８６３／５０６３が実行されたとき、端末機１０２がＤｅｖ１０６にコマンドを伝送し、次に、Ｄｅｖ１０６が前記コマンドを処理し、処理結果を熱源／空気４８７６（図４８／図５０）に渡し、前記熱源／空気４８７６から応答を受け取り、前記応答を処理し、その結果を端末機１０２に戻し、端末機１０２がその画面５６０２上に示すように情報を表示する。
【０３９８】
キーパッド制御５６０６および表示状態５６０４が、熱源／空気４８７６から伝送された（またはウェブからダウンロードされた）、１つのコピーがＤｅｖ１０６の中に、１つのコピーが端末機１０２の中にある、図４８／図５０のＡＡソフトウェア４８５８／５０５８により制御される。５６０６（５６０８、５６１０および５６１２）のあらゆる選択（強調されたアイコン／タッチされた画面のボタン）により、端末機１０２がＤｅｖ１０６にコマンドを伝送し、次に、Ｄｅｖ１０６がコマンドを暖房／空調４８７６に伝送し、応答が必要な場合、Ｄｅｖ１０６を介して暖房／空調４８７６から端末機１０２に伝送されて戻され、端末機１０２が応答を画面５６０２上に表示する。画面５６０４は、Ｈ／Ａ送風機が自動モードでオンであり、家の温度が７２°Ｆであることを示す。端末機１０２が画面５６３０にナビゲートし、このとき、ユーザが、当業者に公知のように、熱源／空調４８７６を午前１０時〜午後６時まで、７８°Ｆでオンにするように加熱装置を（プログラムアイコン５６１４、熱源アイコン５６２０、時間アイコン５６１６、キーパッドアイコン５６１２、および設定アイコン５６１８でキー入力することにより）プログラムする。
【０３９９】
図５６Ｂは、本発明の実施形態５６００Ｂの好ましい一例を示す。この代表的な実施形態は、ユーザの端末機で、Ｄｅｖの自宅制御および監視システムの家の入り口を開ける、または閉めるために、ユーザにより行われる好ましいステップを提示する。
【０４００】
自宅電気器具４８５１／５０５１（図４８／図５０）の端末機ドア・ロック・アイコン４８５９／５０５９が実行されたとき、端末機１０２がＤｅｖ１０６にコマンドを伝送し、次に、Ｄｅｖ１０６が前記コマンドを処理し、その結果をドアロック４８７２（図４８／図５０）に渡し、前記ドアロック４８７２から応答を受け取り、前記応答を処理し、処理結果を端末機１０２に戻し、端末機１０２がその画面５６５０上に示すように情報を表示する。
【０４０１】
画面５６５０は、アイコン５６５６をタッチするたびにドアロックの状態を示し、その状態はロック解除（メッセージ５６５４）とロック（メッセージ５６６４）の間をトグルする。画面タッチ制御アイコン５６５６／５６６６および表示画面５６５２／５６６２が、ドアロック４８７２から伝送された（またはウェブからダウンロードされた）、１つのコピーがＤｅｖ１０６の中に、１つのコピーが端末機１０２の中にある、ＤＡソフトウェア（図４８／図５０の４８５４／５０５４）により制御される。
【０４０２】
図５７は、本発明の実施形態５７００の好ましい一例を示す。この代表的な実施形態は、ユーザの端末機で、Ｄｅｖの自宅制御および監視システムの屋内／屋外給水制御をプログラムし、設定し、見るために、ユーザにより行われる好ましいステップを提示する。
【０４０３】
自宅電気器具４８５１／５０５１（図４８／図５０）の端末機スプリンクラアイコン４８６９／５０６９が実行されたとき、端末機１０２がＤｅｖ１０６にコマンドを伝送し、次に、Ｄｅｖ１０６が前記コマンドを処理し、その結果をスプリンクラ４８８２（図４８／図５０）に渡し、前記スプリンクラ４８８２から応答を受け取り、前記応答を処理し、その結果を端末機１０２に戻し、端末機１０２がその画面５７０２上に示すように情報を表示する。
【０４０４】
キーパッド制御５７０６および表示装置５７０４が、スプリンクラ４８８２から伝送された（またはウェブからダウンロードされた）、１つのコピーがＤｅｖ１０６の中に、１つのコピーが端末機１０２の中にある、ＳＡソフトウェア（図４８／図５０の４８６４／５０６４）により制御される。５７０６（５７０８、５７１０おおび５７１２）のあらゆる選択（強調されたアイコン／タッチされた画面のボタン）により、端末機１０２がＤｅｖ１０６にコマンドを伝送し、次に、Ｄｅｖ１０６が芝生用スプリンクラコントローラ４８８２にコマンドを伝送し、何か応答が必要な場合、芝生用スプリンクラコントローラ４８８２からＤｅｖ１０６に、およびＤｅｖ１０６から端末機１０２に伝送されて戻され、端末機１０２の表示画面５７０２上に表示される。端末機１０２が画面５７３０にナビゲートし、このとき、ユーザが、午前８時に開始して６０分間継続してスプリンクラをオンにするようにプログラムし、画面５７５０にナビゲートし、このとき、月曜日、水曜日、および金曜日にスプリンクラシステムをオンにするようにプログラムし、画面５７７０にナビゲートし、このとき、場所１、２、および３に対して（画面５７７２）スプリンクラシステムをオンにするようにプログラムする。
【０４０５】
図５８および図５９は、本発明の実施形態５８００および５９００の好ましい例を示す。代表的な実施形態５８００は、ユーザの端末機で支払口座を設定し、メータ検針結果を見て、Ｄｅｖの自宅制御および監視システムの電気メータをプログラムするために、ユーザにより行われる好ましいステップを提示する。
【０４０６】
ユーザが自宅電気器具４８５１／５０５１で電気メータアイコン４８７１／５０７１を実行したとき、それにより、端末機１０２がその画面５８０２上に示すように電気メータメニュー５８０４にナビゲートする。電気メータメニュー５８０４は、プログラムされたときにＤｅｖ１０６と、端末機１０２と、電気メータ４８８４と、公益事業会社５９８２との間の対話を可能にする口座設定５８１０を含む。この場合、ユーザが端末機１０２を使用して電気料金請求書の支払いをオンラインですることができる、または公益事業会社５９８２が毎月自動的に支払いを受ける。メータ検針結果５８０６および口座支払５８０８により、ユーザが現在の電気メータ検針結果および過去の口座請求総額を見ることができる（画面５９５４）。オンライン支払アイコン５８１２により、ユーザが任意の未決口座の支払いをすることができ、毎月の使用料情報アイコン５８１４により、ユーザが過去の口座使用料の動き５８２２を見ることができる。
【０４０７】
ユーザが口座設定アイコン５８１０を選択することにより、端末機１０２が口座アプリケーション設定５８２２を示す画面５８２０にナビゲートする。画面５８２０は、ユーザがユーザ名５８２６、住所５８２８、端末機の電話番号５８３０、および公益事業のウェブアドレス５８３２を記入するよう要求する（公益事業のウェブアドレス５８３２は、好ましくは、図４８／図５０の電気メータアプリケーションＥＡ４８６６／５０６６で事前に記入されて出現する、そうでなければ、ユーザが電話、テキストメッセージ、ダウンロード、または任意の他の手段により前記公益事業会社から公益事業のウェブアドレスを得る）。端末機画面５８２０ａは、ユーザにより記入された必要な情報を示し、次いで、ユーザが実行アイコン５８３４ａを実行することにより（同じく、流れ図５９８０のステップ５９８４に示すように）端末機１０２が公益事業会社５９８２に情報を伝送する（５８２４）。公益事業会社５９８２がアプリケーションデータを処理し、次いで、端末機の画面５８４０に示すように、部分的に記入された口座支払設定情報５８４４をユーザの端末機１０２に伝送して戻す（ステップ５９８５）。ウィンドウ５８４４は、公益事業会社名５８４６、ユーザ／顧客に割り得当てられた口座番号５８４８、電気メータＳ／Ｎ５８５０（各メータが電気使用量を計測するために使用され、その対応する住居／事業所の住所に結びつけられるので、シリアル番号、または識別番号である。Ｓ／Ｎは、すぐ近くに、すなわち、共同住宅または高層建築物に複数の機器がある場合があるので、機器がＤｅｖと通信している間に機器を識別するためにある）、および公益事業会社の支払ウェブアドレス（ＵＲＬ）５８５２を示す。
【０４０８】
フィールド５８４４はまた、（画面５８２０ａですでに記入された）顧客の名前、住所、および電話番号５８５４および５８５６を示す。ユーザが、残りの情報、たとえば：銀行名５８５８、支払人の銀行口座番号５８６０、および支払の種類５８６２を記入する。ユーザが、画面５８４０ａに示すように自動支払アイコン５８６３ａにチェックマークをつけずに終了し、実行アイコン５８６４を実行したとき、それにより、端末機１０２が公益事業会社５９８２に、フィールド５８４４ａに示すような情報を伝送して戻す（ステップ５９８６）。端末機１０２はまた、ステップ５９８７に示すように、フィールド５８４４ａのコピーをＤｅｖ１０６に伝送し、次に、Ｄｅｖ１０６が、ステップ５９８８に示すように、Ｓ／Ｎ５８５０ａを使用して電気メータ４８８４と通信して、Ｄｅｖ１０６が正しい相手と通信し、正しい機器から読み出していることを確認する。Ｄｅｖ１０６はまた、公益事業会社のＵＲＬ５８５２ａを使用して、その月の電気検針結果を公益事業会社５９８２の口座支払部門に送信する。自動支払ボックス５８６３（チェックマークをつけられている）により、ユーザが毎月自動的に支払うことができるようになる。
【０４０９】
毎月初めに（ＲＴＣ２４０から読み出す）Ｄｅｖ１０６が電気メータ４８８４と通信し、電気使用量を電気メータ４８８４から読み出し（ステップ５９９０）、ステップ５９９１に示すように、検針結果情報５９２０（画面５９０２）を公益事業会社５９８２に伝送する。公益事業会社５９８２が処理し、画面５９２２に示すように、請求書５９２４をユーザの端末機１０２に送信する（ステップ５９９２）。フィールド５９２６は、ユーザの１か月の電気使用量５９３６、および当月５９４０に必要な支払５９３８の概要を明らかにする。フィールド５９２４はまた、支払情報がフィールド５９４２（公益事業会社のデータベースサーバへのＵＲＬリンク）上にあり、支払情報に何か変更がある場合、編集５９５０することができることを示す。支払情報はまた、オンライン支払アイコン５９４６にハイパーリンクされ、オンライン支払アイコン５９４６により、ユーザにより実行されたとき、端末機１０２が公益事業会社５９８２に情報を伝送し（ステップ５９９３）、公益事業会社５９８２が支払情報画面５９５４を伝送して戻す（ステップ５９９４）。次いで、ユーザが５９６８を実行することにより支払を行うことができ、それにより、端末機が支払コマンドを送信し、公益事業会社５９８２から受信箱で確認５９７０を受け取る（ステップ５９９５）。
【０４１０】
アプリケーションソフトウェアにより、Ｄｅｖ１０６が電気メータ４８８４と通信することができるようになり、端末機１０２が、電気メータ４８８４から伝送された（または代わりに、電気メータ４８８４によりＵＲＬが供給されるＡｐｐサーバからダウンロードされた）、１つのコピーがＤｅｖ１０６の中にあり、１つのコピーが端末機１０２の中にある、ＥＡソフトウェア（図４８／図５０の４８６６／５０６６）により制御される。
【０４１１】
この実施形態はまた、水道メータ、調理・暖房用ガスメータなどに同様に適用することができる。
【０４１２】
図６０Ａは、本発明の実施形態６０００Ａの好ましい活動化の一例を示す。この代表的な実施形態は、ユーザの端末機で、Ｄｅｖの自宅電気器具システムを介してヘルプ警告着用者を遠隔で監視し、その着用者と通話するために、ユーザにより行われる好ましいステップを提示する。
【０４１３】
この代表的な実施形態は、端末機のユーザまたはヘルプ警告着用者が互いに通信する必要があるときの、本発明の一様態を示す。Ｄｅｖ１０６がヘルプ警告機器４８７４と通信するので、ユーザが（ユーザの端末機を介して）前記機器を着用している人の健康を監視することができる。機器４８７４は無線カメラおよび声認識集積回路からなることが好ましく、それにより、ヘルプ警告４８７４がＤｅｖ１０６に接続し、機器４８７４の着用者が端末機のユーザと通信するためにＤｅｖ１０６がメッセージを伝送し、ユーザの端末機１０２に電話をかける。機器の着用者が文を、たとえば：「こんにちわ、Ｄａｖｅ（すなわち、端末機のユーザの名前）、君と話がしたい」を述べるとき、ヘルプ警告機器４８７４がＤｅｖ１０６にコマンドを伝送し、次に、Ｄｅｖ１０６がユーザの端末機に電話をかけ、さらに好ましくは、テキストメッセージを伝送する。ユーザが呼出しに応答すると、会話が行われる。ユーザが電話を切るとすぐに、または５分間音声変化がない場合、Ｄｅｖ１０６がヘルプ警告機器４８７４への音声通信を停止する。
【０４１４】
ユーザがヘルプ警告アイコン６０６１を選択したとき、端末機１０２が画面６００２にナビゲートし、この画面では、ヘルプ警告メニュー６００４が通話アイコン６００８および監視アイコン６００６からなる。ユーザが監視アイコン６００６を選択したとき、端末機がＤｅｖ１０６にコマンドを伝送し、Ｄｅｖ１０６がヘルプ警告機器４８７４のカメラに接続し、端末機１０２にカメラから見えるものを伝送して戻し、したがって、ユーザが（たとえば、ユーザの年老いた親の健康を監視するために）着用者の前に何があるかを監視することができるようになる。ユーザが通話アイコン６００８を選択したとき、端末機がＤｅｖ１０６にコマンドを伝送し、次いで、Ｄｅｖ１０６が応答し、ヘルプ警告機器４８７４に接続し、したがって、会話を行うことができるようにする。ヘルプ警告機器４８７４はまた、好ましくは、落下などの振動を検出し、その結果、Ｄｅｖ１０６にコマンドを伝送することができ、Ｄｅｖ１０６がそのようなイベントについてユーザに警告を発し、ユーザが即座に監視し、着用者と通話することができる。
【０４１５】
アプリケーションソフトウェアにより、Ｄｅｖ１０６がヘルプ警告４８７４と通信することができるようになり、端末機１０２が、ヘルプ警告４８７４から伝送された（または代わりに、ヘルプ警告４８７４によりＵＲＬが供給されるＡｐｐサーバからダウンロードされた）、１つのコピーがＤｅｖ１０６の中にあり、１つのコピーが端末機１０２の中にある、ＨＡソフトウェア（図４８／図５０の４８５６／５８５６）により制御される。
【０４１６】
図６０Ｂは、本発明の実施形態６０００Ｂの好ましい活動化の一例を示す。この代表的な実施形態は、ユーザの端末機で、Ｄｅｖの自宅制御および監視システムを介してドアベルおよびインターホンを鳴らす訪問者に遠隔で応答し、通話し、監視するために、ユーザにより行われる好ましいステップを提示する。
【０４１７】
訪問者がドアベルを鳴らしとき（流れ図６０８０のステップ６０８２）、ベル・インターホン４８８６がＤｅｖ１０６にコマンドを伝送し（ステップ６０８４）、Ｄｅｖ１０６がユーザの端末機の画面６０２０を介してユーザに警告を発する（ステップ６０８６）。次いで、ユーザが受信箱６０４０にスクロールし、ドアベル鳴動中メッセージ６０４２を見る。次いで、ユーザが通話アイコン６０４４を実行し（ドアに応答するため）、これにより、端末機１０２が画面６０５０のドアベル・インターホンメニュー６０５２にナビゲートする。これにより、端末機１０２がＤｅｖ１０６への携帯電話接続を確立し（ステップ６０８８）、Ｄｅｖ１０６が正面ドアのインターホン（図４８／図５０のドアベル・インターホン４８８６）と音声双方向伝送を行い（６０９０）、したがって、ユーザがユーザの端末機を通してベルを鳴らす人と通話することができるようになる。ドアベル・インターホンメニュー６０５２により、ユーザ（すなわち、家の所有者）が現在自宅にいないかもしれないと訪問者が認識することなく、ユーザおよび訪問者が正面ドアのスピーカおよびマイクロホンを通して互いに通信することができるようになる。ユーザはまた、スピーキングホン６０５４で会話を促す、会話をミュート６０５６する、または会話を一時的に保留６０５８することができる。この実施形態により、予期しない訪問者は、だれかが自宅にいると信じ、その結果、家の中に不法侵入しようというどんな意思も、できることなら起こさせなくすることができる。
【０４１８】
アプリケーションソフトウェアにより、Ｄｅｖ１０６がドアベル・インターホン４８８６と通信することができるようになり、端末機１０２が、ドアベル・インターホン４８８６から伝送された（または代わりに、ドアベル・インターホン４８８６によりＵＲＬが供給されるＡｐｐサーバからダウンロードされた）、１つのコピーがＤｅｖ１０６の中にあり、１つのコピーが端末機１０２の中にある、ＢＡソフトウェア（図４８／図５０の４８６８／５０６８）により制御される。
【０４１９】
図６１は、本発明の実施形態６１００の好ましい活動化の一例を示す。この代表的な実施形態は、ユーザの端末機で、Ｄｅｖの自宅制御および監視システムを介して統合スマート・ペット・ドア（そのドア、スピーカ、およびカメラ）を遠隔でプログラムし、設定し、制御するために、ユーザにより行われる好ましいステップを提示する。
【０４２０】
ユーザがスマート・ペット・ドア・アイコン６０７７（図６０の画面６０５１）を実行することにより、ペットプログラムおよび監視システムを設定し、それにより、端末機１０２がスマート・ペット・ドア制御メニュー６１０２にナビゲートする。プログラム・設定アイコン６１０６により、ユーザが自分のペットに必要なことをスケジュールして、外へ出てペットがやりたいことをさせることができ、コマンドアイコン６１０８により、ユーザがスマート・ペット・ドアのアクセサリに命令して、ペットの日常の必需品に関連する特定のタスクをリアルタイムで行わせることができるようになる。
【０４２１】
プログラムおよび設定制御（ユーザがアイコン６１０６を実行した後の画面６１１２）により、ユーザが、たとえば：ペットが家から外に出て、家の中に戻るための時刻（６１２２）を示すスケジュール＃１（６１２０）およびスケジュール＃２（６１２４）をスケジュールすることができる（スケジュール追加アイコン６１１６）。プログラムおよび設定制御により、ユーザがさらに、古いスケジュールを削除することができる（スケジュール削除アイコン６１１８）。ユーザは、スケジュールがペットの必要を満たしていることを検証する必要がある場合、再生するために現場を録画する選択肢を有する。この代表的な実施形態は、ペットが１日に３回、それぞれ２０分続けて（午前８時〜午前８時２０分、午後１２時〜午後１２時２０分、および午後４時〜午後４時２０分）外に出るようにユーザがスケジュールすることを示す。チャート６１６０は、スケジュール時刻にＤｅｖ１０６により行われた動作を示す。開始時刻に（すなわち、午前８時）Ｄｅｖ１０６がペットドア６１９０にドア開放コマンドを送信し（ステップ６１６６）、所有者がペット呼ぶ声を録音した音声をスピーカ６１９２で流して（ステップ６１６８）、ペットをだまして家の外に出し、任意選択でカメラをオンにする（ステップ６１６４）。終了時刻に（すなわち、午前８時２０分）Ｄｅｖ１０６が、所有者がペットを呼ぶ声を録音した音声をスピーカ６１９２で流して（ステップ６１６８）、ペットを家の中に戻るように誘導し、ペットドア６１９０にドア閉止コマンドを送信し（ステップ６１６６）、カメラをオフにする（ステップ６１６４）。
【０４２２】
スマート・ペット・コマンド・メニュー（ユーザがアイコン６１０８を実行した後の画面６１４０）により、ユーザがペット・ドア・アイコン６１４４をリアルタイムで開ける、または閉めることができるようになり（ステップ６１７２および６１７４）、ユーザがドアの状態アイコン６１４５を見ることができる。ユーザがペット呼出アイコン６１４６を押し続けている間、スピーカ６１９２を通してペットを呼び出そうとすることができる（同じく、ステップ６１７６および６１７８に示す）。ユーザがペットを呼び出すユーザの音声（Ｄｅｖ１０６上でのユーザの声）呼出アイコン６１５０を録音して、スピーカ上で音声を再生する、または音声を再生して音声を聞くことができる（アイコン６１４８）。ユーザがビデオを録画し、ビデオを再生することができる（アイコン６１５２および６１５４，およびステップ６１８０および６１８２も同様）。これにより、所有者が自分のペットの日常の必需品に関して心の安らぎをえることができ、時間通りに帰宅することに関して、またはタスクを行うようだれかに頼むことに関して緊急性がない。
【０４２３】
同様に、Ｄｅｖ１０６は、スマートペット給餌器（図６０Ａの画面６０５１の６０７９）にコマンドを伝送し、ペット給餌時刻、食糧の正しい量についてスマートペット給餌器をスケジュールし、給餌器を再び補充する必要があるときに端末機１０２に警告を発するようにプログラムすることができる。好ましくは、他の家庭用機器に関して図５２ですでに説明したように、所有者が、これらのタスクがもはや必要ないときにこれらのタスクを取り消し、端末機１０２とＤｅｖ１０６の両方からこれらのアプリケーションソフトウェアを取り除くよう端末機１０２を介してＤｅｖ１０６をプログラムすることができる。
【０４２４】
図６２は、ロボットの応用のための、本発明の実施形態６２００の好ましい活動化の一例を示す。この代表的な実施形態は、ロボットへの応用でＤｅｖ１０６と複数の他の移動体機器の間の通信対話を提示し、この場合、複数のユーザ（端末機）が前記Ｄｅｖのタスクを履行する際に前記Ｄｅｖをプログラムし、制御し、監視することができる。
【０４２５】
この代表的な実施形態は、タスクまたは機能６２０８に関して、Ｄｅｖ１０６の入出力インタフェース４３８（図４）に接続する通信リンク／コネクタ６２１０を通してＤｅｖ１０６により行われる、または達成される操作を示す。Ｄｅｖ１０６はその入出力制御４０１（図４）を使用して、たとえば：明るさを調節するために端末機１０２（ユーザ）に代わって行う照明制御４１０、環境読取値を確かめるための温度センサ４０４、声／音響のための音声入出力４０８、視聴するためのビデオ入出力４０６，およびタスクを完了するためにさまざまなステップおよび手続きを行い、制御するための汎用入出力４１２を使用して、タスク６２０８を行う。ビデオ画面５２０６がビデオ入出力４０６からの画像を投影するので、第三者が観察し、関与することができる。タスク６２０８を達成する際に能動的に関与するために、（図１９／図２０の機器構成処理を通して）端末機１０２のユーザにより、未登録端末機６２０４（図１ですでに述べたように、スマートホン、タブレットＰＣ、ラップトップＰＣ、ｉＰａｄ（登録商標）に似た機器、ＰＤＡ［携帯情報端末］、または任意の携帯型電子機器とすることができる）のユーザを招き入れる（登録する）ことができる。接続６２１４および６２１６は携帯電話１１８であることが好ましく、６１２１は有線／無線ＬＡＮであることが好ましいが、これらの接続はまた、任意の無線ネットワークとすることができる。タスク６２０８は、医療手術でのロボット機器、崩壊した建築物、火災を起こしている家の内部で行う救助作業、または人間が近づくことができない場所での救助作業で動き、飛び、誘導するロボット機器とすることができる。
【０４２６】
本発明について、いくつかの実施形態に関して説明してきたが、本発明の範囲に入る変形形態、修正形態、置換形態、および代わりの均等物が存在する。また、本発明の方法およびシステムを実現するための代わりの方法が多くあることにも留意されたい。その結果、以下に添付する特許請求の範囲が、本発明の真の精神および範囲の中に入るとして、そのようなすべての変形形態、修正形態、置換形態、および代わりの均等物を含むとして解釈されることが意図される。
【図１】
2018528495.tif 000003
【図２】
2018528495.tif 000004
【図３】
2018528495.tif 000005
【図４】
2018528495.tif 000006
【図５】
2018528495.tif 000007
【図６】
2018528495.tif 000008
【図７Ａ】
2018528495.tif 000009
【図７Ｂ】
2018528495.tif 000010
【図８】
2018528495.tif 000011
【図９】
2018528495.tif 000012
【図１０】
2018528495.tif 000013
【図１１】
2018528495.tif 000014
【図１２】
2018528495.tif 000015
【図１３】
2018528495.tif 000016
【図１４】
2018528495.tif 000017
【図１５Ａ】
2018528495.tif 000018
【図１５Ｂ】
2018528495.tif 000019
【図１６Ａ】
2018528495.tif 000020
【図１６Ｂ】
2018528495.tif 000021
【図１７】
2018528495.tif 000022
【図１７Ａ】
2018528495.tif 000023
【図１８Ａ】
2018528495.tif 000024
【図１８Ｂ】
2018528495.tif 000025
【図１８Ｃ】
2018528495.tif 000026
【図１８Ｄ】
2018528495.tif 000027
【図１９】
2018528495.tif 000028
【図２０】
2018528495.tif 000029
【図２１Ａ】
2018528495.tif 000030
【図２１Ｂ】
2018528495.tif 000031
【図２２】
2018528495.tif 000032
【図２３】
2018528495.tif 000033
【図２４Ａ】
2018528495.tif 000034
【図２４Ｂ】
2018528495.tif 000035
【図２５】
2018528495.tif 000036
【図２６】
2018528495.tif 000037
【図２７】
2018528495.tif 000038
【図２８Ａ】
2018528495.tif 000039
【図２８Ｂ】
2018528495.tif 000040
【図２９】
2018528495.tif 000041
【図３０】
2018528495.tif 000042
【図３１】
2018528495.tif 000043
【図３２】
2018528495.tif 000044
【図３３】
2018528495.tif 000045
【図３４】
2018528495.tif 000046
【図３５】
2018528495.tif 000047
【図３６】
2018528495.tif 000048
【図３７】
2018528495.tif 000049
【図３８】
2018528495.tif 000050
【図３９】
2018528495.tif 000051
【図４０】
2018528495.tif 000052
【図４１Ａ】
2018528495.tif 000053
【図４１Ｂ】
2018528495.tif 000054
【図４２Ａ】
2018528495.tif 000055
【図４２Ｂ】
2018528495.tif 000056
【図４２Ｃ】
2018528495.tif 000057
【図４３】
2018528495.tif 000058
【図４４】
2018528495.tif 000059
【図４５】
2018528495.tif 000060
【図４６】
2018528495.tif 000061
【図４７】
2018528495.tif 000062
【図４８】
2018528495.tif 000063
【図４９】
2018528495.tif 000064
【図５０】
2018528495.tif 000065
【図５１】
2018528495.tif 000066
【図５２】
2018528495.tif 000067
【図５３】
2018528495.tif 000068
【図５４】
2018528495.tif 000069
【図５５Ａ】
2018528495.tif 000070
【図５５Ｂ】
2018528495.tif 000071
【図５６Ａ】
2018528495.tif 000072
【図５６Ｂ】
2018528495.tif 000073
【図５７】
2018528495.tif 000074
【図５８】
2018528495.tif 000075
【図５９】
2018528495.tif 000076
【図６０Ａ】
2018528495.tif 000077
【図６０Ｂ】
2018528495.tif 000078
【図６１】
2018528495.tif 000079
【図６２】
2018528495.tif 000080
【国際調査報告】
2018528495.tif 000081